(57)【特許請求の範囲】
【請求項１】
弾性シートを備える組織治療デバイスであって、
前記弾性シートは、
平面的な皮膚界面接触表面と、
ピーク応力を低減させるように構成されている第１の起伏のある縁と、
ピーク応力を低減させるように構成されている第２の起伏のある縁であって、前記第２の起伏のある縁は、前記第１の起伏のある縁から最も遠く、かつ反対に位置する、第２の起伏のある縁と、
第１の引張応力構成および第２の引張応力構成と
を備え、
前記皮膚界面接触表面は、前記第１の引張応力構成で皮膚に付着するように構成され、さらに、前記第２の引張応力構成まで部分的に弛緩し、前記付着した皮膚を圧迫するように構成されており、
前記第１の起伏のある縁は、少なくとも２つの連続頂点を備え、前記少なくとも２つの連続頂点は、平均振幅と、少なくとも２ｍｍであり、前記平均振幅の２倍未満である頂点間距離とを有する、組織治療デバイス。
【請求項２】
前記組織治療デバイスは、前記第１の起伏のある縁から前記第２の起伏のある縁までの幅を備え、前記平均振幅は、前記幅の１０％〜４０％である、請求項１に記載の組織治療デバイス。
【請求項３】
前記平均振幅は、前記幅の１２％〜３５％である、請求項２に記載の組織治療デバイス。
【請求項４】
前記第２の起伏のある縁は、少なくとも２つの連続頂点を備え、前記少なくとも２つの連続頂点は、平均振幅と、少なくとも２ｍｍであり、前記平均振幅の２倍未満である頂点間距離とを有する、請求項１に記載の組織治療デバイス。
【請求項５】
各起伏のある縁はさらに、湾曲縁区画または直線縁区画のうちの少なくとも１つを備え、前記第１の起伏のある縁および前記第２の起伏のある縁はそれぞれ、鋭角および鋭頂点が欠けている、請求項１に記載のデバイス。
【請求項６】
前記第１の起伏のある縁の前記平均振幅は、少なくとも４ｍｍである、請求項１に記載のデバイス。
【請求項７】
前記第１の起伏のある縁の前記平均振幅は、２０ｍｍ以下である、請求項６に記載のデバイス。
【請求項８】
前記平均振幅および前記平均頂点間距離の比は、１／３〜２の範囲内である、請求項１に記載のデバイス。
【請求項９】
前記平均振幅および前記平均頂点間距離の比は、０．８〜１．２の範囲内である、請求項８に記載のデバイス。
【請求項１０】
前記弾性シートはさらに、前記第１および第２の起伏のある縁の間に及ぶ第３の縁と、前記第３の縁から最も遠く、かつ反対にある、前記第１の起伏のある縁と第２の起伏のある縁との間に及ぶ第４の縁とを備える、請求項４に記載のデバイス。
【請求項１１】
前記弾性シートはさらに、前記第１の起伏のある縁および前記第３の縁、前記第１の起伏のある縁および前記第４の縁、前記第２の起伏のある縁および前記第３の縁、ならびに前記第２の起伏のある縁および前記第４の縁の間に丸みを帯びた角を備え、前記丸みを帯びた角の最小曲率半径は、少なくとも５ｍｍである、請求項１０に記載のデバイス。
【請求項１２】
前記第３の縁は、少なくとも３つの拡張を伴う第３の起伏のある縁を備え、前記第３の起伏のある縁の前記平均頂点間距離は、前記第１の起伏のある縁または第２の起伏のある縁の前記平均頂点間距離とは異なる、請求項１０に記載のデバイス。
【請求項１３】
前記少なくとも２つの連続拡張はそれぞれ、前記拡張の遠位端より近位に位置する最小拡張幅を伴う頸部と、前記頸部より遠位に位置し、前記最小拡張幅より大きい最大拡張幅を伴う頭部とを備える、請求項１に記載のデバイス。
【請求項１４】
各頭部は、少なくとも半円形の湾曲区画を備える、請求項１３に記載のデバイス。
【請求項１５】
各頭部は、少なくとも４分の３円形の湾曲区画を備える、請求項１４に記載のデバイス。
【請求項１６】
各頭部間の最小間隙は、少なくとも２ｍｍである、請求項１３に記載のデバイス。
【請求項１７】
各頸部間の最小間隙は、５ｍｍである、請求項１３に記載のデバイス。
【請求項１８】
前記最小拡張幅は、１．５ｍｍ〜５．５ｍｍの範囲内である、請求項１３に記載のデバイス。
【請求項１９】
前記第１の起伏のある縁の前記平均振幅は、５ｍｍ〜１０ｍｍの範囲内である、請求項１３に記載のデバイス。
【発明の詳細な説明】
【背景技術】
【０００１】
（関連出願への相互参照）
本ＰＣＴ出願は、２０１３年３月１５日に出願された米国出願第１３／８４４，１５４号および２０１３年３月１５日に出願された米国出願第１３／８４４，０１９号に対して優先権を主張する。上記文献の両方は、それらの全体として参照することによって本明細書において援用される。本出願はまた、２０１２年１月６日に出願された米国出願第１３／３４５，５２４号、２０１１年１月７日に出願された米国仮出願第６１／４３０，９０８号、２０１１年２月１６日に出願された米国仮出願第６１／４４３，６４７号、２０１０年８月１１日に出願された米国出願第１２／８５４，８５９号、および２００７年８月３日に出願された米国出願第１１／８８８，９７８号に関連する。上記文献の全ては、それらの全体として参照することによって本明細書において援用される。
【０００２】
（背景）
皮膚損傷に応答した瘢痕形成は、自然創傷治癒プロセスの一環である。創傷治癒は、ある期間にわたる継続的なプロセスであるが、典型的には、段階的に発生するものとして認識されている。本プロセスは、損傷後直ちに炎症段階から始まる。典型的には（創傷に応じて）２日から１週間まで続くこの段階の間に、損傷した組織および異物は、創傷部から排除される。増殖段階が、炎症段階後の時間に発現し、線維芽増殖およびコラーゲンとプロテオグリカンの生成を特徴とする。構造的な結合性を創傷に提供するために細胞外基質が合成されるのは、増殖段階の間である。増殖段階は、創傷の性質に応じて、通常、約４日から数週間の間続き、通常、肥厚性瘢痕が形成されるのはこの段階である。最終段階は、再形成段階と呼ばれる。再形成段階の間、先に構成され、不規則に組織された基質は、機械的強度を増すように高度に架橋結合および整列された組織構造に再形成される。
【０００３】
肥厚性瘢痕を特徴とする組織学的特徴は、これまで十分に実証されてきたが、基本的な病態生理学は、よく知られていない。肥厚性瘢痕は、過度な創傷治癒の副次的影響であり、概して、細胞、コラーゲン、およびプロテオグリカンの過剰産生をもたらす。典型的には、これらの瘢痕は、隆起しており、組織束の不規則な分布を特徴としている。これらの瘢痕の外観（すなわち、サイズ、形状、および色）は、それらが形成する身体の部分および患者の潜在的な民族性に応じて異なる。肥厚性瘢痕は、非常に一般的に起こるものであり、皮膚への任意の全層損傷の後に発生し得る。最近では、機械的応力が、マウスモデルにおける肥厚性瘢痕化を増大させ得る、その全体で参照することによって本明細書に組み込まれる、米国特許出願公開第２００６／００３７０９１号（２００５年５月２４日に出願の「Ｍｅｔｈｏｄ  ｆｏｒ  Ｐｒｏｄｕｃｉｎｇ  Ｈｙｐｅｒｔｒｏｐｈｉｃ  Ｓｃａｒｒｉｎｇ  Ａｎｉｍａｌ  Ｍｏｄｅｌ  ｆｏｒ  Ｉｄｅｎｔｉｆｉｃａｔｉｏｎ  ｏｆ  Ａｇｅｎｔｓ  ｆｏｒ  Ｐｒｅｖｅｎｔｉｏｎ  ａｎｄ  Ｔｒｅａｔｍｅｎｔ  ｏｆ  Ｈｕｍａｎ  Ｈｙｐｅｒｔｒｏｐｈｉｃ  Ｓｃａｒｒｉｎｇ」と題された米国特許出願第１１／１３５，９９２号）で示されている。
【０００４】
ケロイドは、典型的には、最も一般的には外傷の後に、感受性者の真皮および隣接皮下組織に発生する、高度に増殖性の腫瘤から成る腫瘍として特徴付けられる。ケロイドは、多くの場合、正常な隣接組織に広がる傾向があることから、肥厚性瘢痕より重症であるが、肥厚性瘢痕は、元の瘢痕境界の範囲内に限定されたままとなる傾向がある。
【先行技術文献】
【特許文献】
【０００５】
【特許文献１】米国特許出願公開第２００６／００３７０９１号明細書
【発明の概要】
【課題を解決するための手段】
【０００６】
（簡単な要約）
本明細書で説明されるデバイス、キット、および方法は、皮膚の機械的または物理的性質を操作することによる、あるいは応力から皮膚を防護することによる、および／または皮膚部位またはその付近で、すなわち、対象の皮膚の創傷または治療部位で、あるいはそれに隣接して、皮膚組織の表皮または層に制御可能に応力または歪みを付与することによる、創傷治療、あるいは瘢痕および／またはケロイドの治療、寛解、または予防を制限なく含む、皮膚部位における対象の治療のためのものであってもよい。変形例によると、機械的または物理的性質を操作することにより、皮膚部位における引張または圧縮応力を変調してもよい。皮膚部位における応力は、正常な皮膚および組織が被る応力を下回るレベルまで低減させられてもよい。皮膚部位における応力は、正常な皮膚および組織が被る応力を上回るレベルまで増加させられてもよい。応力または歪みは、１つ、２つ、またはそれを上回る方向への皮膚部位における内因性または外因性応力を操作するように、１つ、２つ、またはそれを上回る方向で周辺組織に印加されてもよい。変形例によると、本明細書で説明されるデバイスおよび方法は、対象を治療するために、皮膚および／または創傷ならびに周辺組織が被る応力を低減させるか、または別様に操作してもよい。本デバイスはまた、創傷裂開の発生を防止または低減することを支援してもよい。
【０００７】
本明細書で説明されるデバイス、キット、および方法によると、対象の皮膚または組織の１つ以上の層に適用され、取り付けられ、または連結され得る、皮膚治療デバイス、皮膚デバイス、創傷治療デバイス、瘢痕またはケロイド治療デバイス、瘢痕またはケロイド寛解または予防デバイス、包帯、あるいは包帯材が提供されてもよい（以降では「包帯材」、「皮膚デバイス」、または「皮膚治療デバイス」と称される）。
【０００８】
瘢痕形成の寛解に加え、そのような皮膚治療デバイスのための他の使用は、限定ではないが、例えば、にきび、染み、酒さ、いぼ、発疹（紅斑性、黄斑性、丘疹性、および／または水疱性症状を含むが、それらに限定されない）、乾癬、皮膚の炎症／過敏症、異痛症、毛細血管拡張症、ポートワイン母斑および他の動静脈奇形、および異所性皮膚炎等の皮膚関連症状を治療すること、既存の瘢痕、しわ、皮膚線条、弛緩性またはたるんだ皮膚、あるいは他の皮膚の不整形を治療または改善すること、術前準備中に、例えば、針またはカテーテル挿入中に血管を安定させるための薄型組織開創器として外科的手技中に、術後に、例えば、瘢痕補正、創傷切開、体形矯正に先立って、皮膚を事前治療または事前調節するために術前または術後に、乳房切除術の皮膚拡張において、局所的または皮下であるかにかかわらず、例えば、マイクロ波、高周波アブレーション、高密度焦点式超音波、レーザ、赤外線、インコヒーレント光等のエネルギーモダリティの使用にかかわらず、審美的皮膚治療またはリサーフェシングにおいて、減量中に、または美的目的等の種々の目的で、皮膚を持ち上げ、固定し、保持し、移動させること、除毛または脱毛、皮膚損傷、例えば、切開、創傷、慢性創傷、床ずれ、潰瘍（静脈うっ滞潰瘍を含む）を治療および／閉鎖すること、創傷裂開、糖尿病性皮膚または創傷症状の発生を予防または低減すること、熱傷治癒および／または緩和、閉塞性または陰圧創傷包帯材の役割を果たすこと、切開または創傷を保護すること、例えば、分裂または開口の予防、臍帯を切断した後に新生児の臍を保護することを含む場合もあり、そうではない場合もある。そのような治療は、そのようなデバイスを用いて皮膚に適用され得る薬剤または他の治療薬の使用を含んでもよい。薬剤は、抗生物質、抗真菌剤、コルチコステロイドおよび非ステロイド性免疫変調成分を含む免疫変調成分を含んでもよいが、それらに限定されない。薬剤は、粉末、ゲル、ローション、クリーム、ペースト、懸濁液等を含むが、それらに限定されない、種々の製剤のうちのいずれかで提供されてもよい。本デバイスはまた、例えば、皮膚を伸張し、そこに薬剤を適用することによって、皮膚に、または皮膚を通して、薬剤を送達するという目的で使用されてもよい。デバイスの異なる構成が、異なる身体領域のサイズまたは幾何学形状に適し得る。治療は、任意の形状（例えば、線形、湾曲、星形）、サイズ、または深度の領域に、および頭皮、額、顔（例えば、鼻、瞼、頬、唇、顎）、耳、首、肩、上腕、前腕、掌、手背、指、爪床、腋窩、胸部、乳頭、乳輪、背部、腹部、鼠径部、臀部、会陰部、陰唇、陰茎、陰嚢、大腿部、下腿、足の足底面、足の背面、および／または足指を含むが、それらに限定されない、身体の１つ以上の領域に適用されてもよい。そのようなデバイスはまた、本明細書では「包帯材」、「皮膚デバイス」、または「皮膚治療デバイス」と称されてもよい。
【０００９】
状況によっては、包帯材の即時、迅速、または簡単な適用が所望され得る。本明細書で説明されるデバイス、キット、および方法は、包帯材の準備および／または皮膚への適用、ならびにアプリケータ、引張デバイス、または包帯材の担体、支持体、またはベースの皮膚デバイスからの分離のためのものであってもよい。
【００１０】
本明細書に説明されるデバイス、キット、または方法は、包装、担体、支持体、ベース、アプリケータ、または引張デバイスを含んでもよく、これらのそれぞれは、包帯材を少なくとも一時的に含有、保持、担持、または支持してもよく、適用するための包帯材を準備するために使用されてもよく、包帯材を送達、配向、または適用するために使用されてもよく、応力または歪みが付与された構成で包帯材を維持するために使用されてもよく、包帯材に応力または歪みを付与するために使用されてもよく、包帯材を包装、担体、支持体、ベース、アプリケータ、または引張デバイスから分離するために使用されてもよく、および／または包帯材の適用中あるいは後に、創傷、切開、または他の治療場所に付加的な治療を提供するために使用されてもよく、および／または創傷、切開、あるいは他の治療場所に圧力を印加するために使用されてもよい。いくつかの変形例によると、包装および／またはアプリケータは、接着ライナが剥離されている間、または剥離された後に、構造的支持を包帯材に提供してもよい。いくつかの変形例によると、アセンブリは、包帯材上の接着材がそれ自体にくっつくほどの包帯材の折曲または屈曲を回避するように構築されてもよい。例えば、包帯材のいくつかの変形例が、包帯材の一点でまたは一縁に沿ってカンチレバー構成で保持または支持されるとき、包帯材は、それら自体の質量または構成の下、面外に腰折れしない、横方向に変形しない、または別様に変形しないであろう。
【００１１】
本明細書のデバイスおよび方法のいくつかの他の変形例では、デバイスが座屈または折曲する前に、デバイスおよび支持構造の２つの反対縁が、軸方向圧縮または横変形を引き起こす圧縮負荷の下に置かれた、例えば、手の握力に類似する力がデバイスの縁に印加されたときに、実質的に剛性の支持構造を伴うか、または構造的支持を包帯材に提供し、かつ屈曲に対する特定の抵抗または柱強度を提供する、デバイスである。例えば、屈曲に対する抵抗は、デバイスおよび支持構造がその元の寸法の２５％だけ圧縮されることなく圧縮されると達成される、ピーク力として特徴付けられてもよい。この柱強度または剛性は、測定されているデバイスおよび支持構造に沿った方向に応じて異なり得る。いくつかのさらなる変形例では、ピーク力は、少なくとも約０．０２ニュートン／ミリメートル（Ｎ／ｍｍ）、約０．０３Ｎ／ｍｍ、約０．０５Ｎ／ｍｍ、約０．１Ｎ／ｍｍ、約０．１５Ｎ／ｍｍ、約０．２Ｎ／ｍｍ、約０．３Ｎ／ｍｍ、約０．４Ｎ／ｍｍ、または約０．５Ｎ／ｍｍであってもよい。厚さを有する略平坦または平面的なデバイスおよび支持構造を備える、デバイスのいくつかの変形例では、ピーク力は、デバイス／支持構造の厚さに対して直角であるデバイス／支持構造の最短寸法に沿って、圧縮力を印加することによって測定されてもよい。そのような変形例によると、本デバイスは、例えば、１：１、２：１、または３：１より大きい長さ対幅のアスペクト比を有してもよい。
【００１２】
包帯材の歪みの方向での屈曲に対する抵抗はまた、所与の離れた距離または支持範囲で、２つの外側の点上で単純に支持されるアプリケータの中間点に横方向力を印加する、３点屈曲によって測定されてもよい。例えば、サンプルの２つの点の間の距離は、約０．７５インチであってもよく、約１ポンド〜１．２５ポンドに及ぶ力が、幅が約０．３５インチのサンプルに印加されてもよく、約０．０５インチの偏向をもたらす。屈曲に対する抵抗はまた、座屈が単純に支持されたビーム上で生じる、力を特徴付けることによって測定されてもよい。例えば、約０．４５ポンドの力が、幅約０．３５インチの単純に支持されたサンプルに印加されてもよく、約０．００４インチの偏向をもたらしてもよい。屈曲に対する抵抗はまた、破損または永久的変形前の外面の歪みによって特徴付けられてもよい。試験手順中に支持構造および偏向の測定を行うことによって、負荷偏向曲線が生成されてもよく、支持構造の曲げ弾性率も計算されてもよい。いくつかの変形例では、支持構造が、少なくとも約０．９ＧＰａの曲げ弾性率を備えてもよい一方で、他の実施形態では、曲げ弾性率は、少なくとも約１ＧＰａ、少なくとも約１．１ＧＰａ、少なくとも約１．２ＧＰａ、少なくとも約１．３ＧＰａ、または少なくとも約１．４ＧＰａである。
【００１３】
別の実施例では、幅７ｃｍ×長さ１９ｃｍのデバイスが、板紙の支持シートまたは支持構造を備える、支持構造を伴って構成されてもよい。支持構造は、約０．００８インチ〜約０．０２８インチ、またはそれより大きい範囲内の平均厚さを有してもよい。いくつかの具体的変形例では、支持構造は、約０．０１２インチ、約０．０１６インチ、約０．０１８インチ、約０．０２４インチ、約０．２８インチ、または約０．０３２インチ、約０．０３６インチ、約０．０４インチ、約０．０５インチ、またはそれより大きい厚さを有してもよい。長さ１９センチメートルの縦方向縁に沿った、すなわち、デバイスの７ｃｍ幅にわたった力の印加時に、支持構造は、その７ｃｍ幅に沿って２５％（すなわち、約１．７５ｃｍ）だけ圧縮され、圧潰され、たわめられ、座屈され、または別様に変形させられている間に、約３ポンド以上、４ポンド以上、あるいは約１０ポンド以上のピーク力を達成するために十分な剛性または柱強度を提供してもよい。いくつかの変形例では、支持構造は、少なくとも一方の方向で、または両方向で、いくらかの屈曲を可能にするように、折り目または低減した厚さの領域を備えてもよい。
【００１４】
いくつかの変形例によると、構造的支持を提供するデバイスは、長さの一方の縁から長さの対向縁まで（または幅の一方の縁から幅の対向縁まで）延在する、複数の支持交差要素または区画を有してもよい。いくつかの変形例によると、３つ以上の交差要素、例えば、２つの交差縁に沿って、かつ幅（または長さ）を横断して横方向に延在する交差要素、および幅（または長さ）を横断し、かつ２つの対向縁に沿って交差要素の間に延在する、１つ以上の交差要素があってもよい。そのような交差要素は、例えば、比較的可撓性の材料を用いて、相互に連結または接続される場合もあり、されない場合もある。そのような交差要素は、約２０％以上、約２５％以上、約３０％以上、あるいは約３５％以上の対向縁の長さに対する総計幅を有してもよい。いくつかの変形例によると、約２０％〜１００％の対向側の長さに対する総計幅を有する、１つ以上の交差要素が提供されてもよい。そのような交差要素は、分割されてもよく、ある方向で屈曲するときの可撓性、および別の方向で可撓性に対する剛性を提供してもよい。
【００１５】
包装および／またはアプリケータは、対象の皮膚に配向および／または適用されると、包帯材の構造的支持または安定性を提供してもよい。いくつかの変形例によると、包帯材および包装は、創傷デバイスが適用のために準備される、例えば、接着ライナが除去される前または後に、創傷に対面する位置で再配向されるように構成される。いくつかの変形例によると、包装またはアプリケータは、デバイスを対象の皮膚に配向および／または適用するために片手で使用されるように構成される。例えば、状況によっては、特に、より長いまたは大きい包帯材が使用される場合、包装またはアプリケータは、ユーザが片手で準備された包帯材を効果的に固持する、操作する、および／または適用することができるように、包帯材のための構造的支持を提供する。いくつかの変形例によると、アセンブリは、支持構造を備える。包帯材支持構造は、対象に適用される包帯材の裏面に直接的であろうと間接的であろうと連結される、構造を意味するように本明細書で定義される。支持構造はさらに、少なくとも部分的に、対象に適用される包帯材より剛性である、材料または構造を備えてもよい。支持構造は、１つ以上の要素または区画を備えてもよい。これは、単一の基板、積層、あるいはともにおよび／または包帯材に連結された複数の要素で構築されてもよい。いくつかの変形例によると、包帯材の長さまたは幅の少なくとも２０％、２５％、３０％、３５％、または４０％は、包帯材の長さまたは幅に沿って第１の対向側から反対側に延在する、１つ以上の支持構造によって支持される。いくつかのさらなる変形例では、支持構造によって支持される長さまたは幅の割合は、デバイスの全長または全幅を横断する支持の最小平均、例えば、デバイスの寸法全体、例えば、長さまたは幅を横断する、少なくとも２０％、２５％、３０％、３５％、または４０％の平均支持である。いくつかの変形例によると、包帯材の領域全体が支持構造によって支持される。いくつかの変形例によると、包帯材のベース、担体、または支持体は、包帯材の対向側の間で横方向に延在する、少なくとも３つの支持構造を備えてもよい。いくつかの変形例によると、支持構造は、相互接続された部材または要素を備える。いくつかの変形例によると、ベース、担体、または支持体は、適用されると包帯材に連結されたままである。いくつかの変形例によると、より大きい構造的支持が、第１の方向で包帯材担体、ベース、または支持体に提供される一方で、より大きい可撓性が第２の方向で提供されるが、より少ない可撓性が第１の方向にあり、より少ない構造的支持が第２の方向で提供される。いくつかの変形例によると、１つ以上の支持構造が、第１の対向側の縁を越えて延在してもよい。いくつかの変形例によると、１つ以上の支持構造は、少なくとも部分的に、第１の対向側の縁の少なくとも一部分を越えて、かつ反対側の縁の少なくとも一部分を少なくとも部分的に越えて延在してもよい。いくつかの変形例によると、支持構造は、包帯材の縁の少なくとも一部分から少なくとも３ｍｍ延在してもよい。いくつかの変形例によると、包装またはアプリケータは、対象の創傷への包帯材の無菌移送を向上させるように構成される。変形例によると、包装またはアプリケータは、包帯材より十分に幅広いか、または長くあり得、あるいは十分に広い面積を有してもよく、包帯材に触れる必要なく滅菌適用および／または片手適用を提供するように、支持体またはアプリケータを操縦または操作する能力を提供する。いくつかの変形例によると、距離の限界が、包帯材担体、支持体、またはベースの外縁から、包帯材上のベースまたは接着剤上で支持された包帯材まで提供される。そのような限界は、包帯材担体、支持体、アプリケータ、またはベースを操作するように縁を把持するときに、ユーザが包帯材または包帯材の接着剤に触れることを防止または抵抗するように選択されてもよい。
【００１６】
本明細書で説明されるデバイス、キット、および方法は、包帯から皮膚表面に略平面（例えば、圧縮）力を伝達するように、皮膚接着剤を使用して、皮膚表面に次いで添着される弾性皮膚治療デバイスにおいて、所定の歪みを生成および／または維持することによって、瘢痕および／またはケロイドの治療、寛解、または予防のためのものであってもよい。
【００１７】
いくつかの変形例では、上面と、下面と、第１の縁および第１の縁と反対の第２の縁と、１つ以上の接着剤領域とを備える、弾性シート構造（例えば、シリコーンポリウレタン、ＴＰＥ（熱可塑性エラストマー）、合成ゴム、またはコポリエステル材料を含む）を備える、包帯材が提供される。包帯材はさらに、接着剤領域または複数の領域に剥離可能に取り付けられる、第１の剥離ライナを備えてもよい。接着剤領域は、感圧接着剤を備えてもよい。包帯材は、縁における皮膚張力を低減させるように先細化または別様に成形されてもよい。包帯材は、縁における皮膚張力を低減させるように、その縁付近で、修正された、低減された接着剤を有してもよく、または接着剤を有しなくてもよい。包帯材の一部は、歪みが付与されなくてもよく、それによって、包帯材が適用される皮膚のある面積における歪みを低減させてもよい。いくつかの具体的実施例では、歪んでいない面積または複数の面積が、包帯材の縁と歪んだ面積との間に見出される。いくつかのさらなる実施例では、歪んでいない面積は、本面積に限定され、適用または使用中に、使用中の単一包帯材の歪んでいない面積間には見出されない。なおもさらなる実施例では、歪んでいない面積は、歪み軸に略平行な包帯材の縁に沿った面積ではなく、歪んだ面積の歪み軸に交差する包帯材の縁に沿った面積に限定される。
【００１８】
包装デバイス、包帯材担体、包帯材支持体、包帯材ベース、アプリケータ、および／または引張デバイスが、提供されてもよい。包装デバイス、包帯材担体、包帯材支持体、包帯材ベース、アプリケータ、および／または引張デバイスは、対象への適用に先立って、包帯材に応力および／または歪みを付与するように構成されてもよい。デバイスは、包帯材に歪みを付与する、および／または歪みを維持するために使用されてもよい。一変形例では、第１のデバイス取付構造、ゾーン、または領域と、第２のデバイス取付構造、ゾーン、または領域と、第１および第２の  デバイス取付構造、ゾーン、または領域の間に分離力を付与するように構成される構造または機構とを備える、包帯材が提供される。本デバイスはさらに、部材または機構を歪んだ構成で維持するように構成される剥離可能な係止機構、取付機構、または接着剤を備えてもよい。
【００１９】
状況によっては、創傷への圧縮力の印加は、出血を低減させるために望ましい。いくつかの変形例によると、本明細書で説明される包装、担体、支持体、ベース、アプリケータ、または引張デバイスはさらに、例えば、包帯材が適用されている間またはその後に、本デバイスを使用して圧縮力の印加を可能にすることによって、出血の低減させることに役立つために使用されてもよい。凝固性添加剤もまた、包帯材上に提供されてもよい。
【００２０】
一側面によると、包装、担体、支持体、ベース、アプリケータ、および／または引張デバイスは、操作することが容易であるように、包帯材の形態を保持するために少なくとも１つの方向で十分に剛性または支持性であり得る。
【００２１】
いくつかの変形例によると、包装はまた、包帯材が適用される身体または皮膚上の場所の曲率または形状に一致するように、包帯材の湾曲または成形を可能にするために少なくとも１つの方向で十分に可撓性である。概して、包帯材を治療部位に一致させるために使用される包装の可撓性は、治療部位が包帯材の適用中に実質的に変形させられないように、包帯材の適用が皮膚上で比較的平滑または一様であるように、および／または一様な、所定の、または比較的予測可能な歪みまたは力を皮膚のある領域に提供するように、構成されてもよい。包装またはアプリケータは、第１の方向で可撓性、および別の方向でより大きい剛性を有してもよい。包装またはアプリケータは、隣接要素または区画に対する可撓性を可能にする、要素または区画を含んでもよい。
【００２２】
いくつかの変形例によると、包装はまた、包帯材が適用される身体または皮膚上の場所の曲率または形状に一致するように、包帯材の湾曲または成形を可能にするために少なくとも１つの方向で十分に可撓性である。概して、包帯材を治療部位に一致させるために使用される包装の可撓性は、治療部位が包帯材の適用中に実質的に変形させられないように、および／または包帯材の適用が皮膚上で比較的平滑または一様であるように、および／または一様な、所定の、または比較的予測可能な歪みおよび／または力を皮膚のある領域に提供するように、構成されてもよい。包装またはアプリケータは、第１の方向で可撓性、および第２の方向でより大きい剛性を有してもよい。第１の方向は、歪みを付与する方向に対して直角であり得るか、または歪みを付与する方向に対して直角である成分を有してもよい。第２の方向は、歪みを付与する方向であってもよいか、または歪みを付与する方向にある成分を有してもよい。第１の方向は、第２の方向に対して直角である場合もあり、そうではない場合もある。包装またはアプリケータは、隣接要素または区画に対する可撓性を可能にする、要素または区画を含んでもよい。
【００２３】
いくつかの変形例によると、例えば、歪みを付与する方向に対して直角である少なくとも１つの成分を有する、所望の可撓性は、修正されたカンチレバー状ビーム屈曲モデル、すなわち、曲率半径の逆数として定義される、既知の曲率半径または曲率を伴う円筒形オブジェクトに巻き付きながら、単純に他方の端から支持されたビームの自由端に力を印加することによって、特徴付けられてもよい。一変形例によると、所定の曲率を伴うオブジェクトの周囲で包装またはアプリケータを屈曲させる力は、約３ポンドと同じくらいであり得る。一変形例によると、力は、約０．３ポンドと同じくらいであり得る。一変形例によると、約２．５インチ半径の所定の曲率の周囲で屈曲する力は、約３ポンドと同じくらいであり得る。別の変形例では、約２．５インチ半径の所定の曲率の周囲で屈曲する力は、約０．３ポンドと同じくらいであり得る。
【００２４】
いくつかの変形例によると、包帯材が取り外し可能に取り付けられる内面を有するベースと、初期閉鎖構成であるときにベースの内面に界面接触する内面を有するカバーまたは蓋とを備える、包装、アプリケータ、または引張デバイスが提供される。いくつかの変形例によると、ベースまたはカバーは、本のような構造を形成するように、それらの対応する長さに沿って対応する縁で連結され、それによって、カバーは、本デバイスを開放するようにベースに対して回転させられてもよい。代替として、カバーは、ベースから持ち上げられてもよい。変形例によると、ライナがカバーに取り付けられ、カバーが持ち上げられるか、または開放されたときに包帯材の接着剤側を露出するであろう。
【００２５】
いくつかの変形例では、本のような構造が、閉鎖構成では、カバー／蓋、治療デバイス、および基礎をその相対的順序で備える、層状構造を備える一方で、開放構成では、層状構造の相対的順序は、カバー／蓋、ベース、および治療デバイスに変化する。治療デバイスはまた、１つ以上の剥離層を備えてもよい。一変形例では、閉鎖構成では、カバー／蓋の第１の面が、治療デバイスの第１の面と接触し、ベースの第１の面が、第１の面と反対の治療デバイスの第２の面と接触している一方で、開放構成では、（カバー／蓋の第１の面と反対の）カバー／蓋の第２の面は、（基礎の第１の面と反対の）基礎の第２のベースと接触しているが、治療デバイスの第１の面とは接触していない。いくつかの変形例では、カバー／蓋は、治療デバイスに張力を加えている間またはその後に、分離されてもよい。いくつかの変形例では、治療デバイスは、本のような構造の屈曲領域に対して、本のような構造に非対称的に取り付けられてもよい。場合によっては、非対称取付は、包帯材に張力を加えるときに機械効率をユーザに提供してもよく、および／または包帯材で使用される弾性材料の量を最適化することによって製造費を削減してもよい。他の変形例では、包帯材または皮膚治療デバイスは、本のような構造の屈曲領域に対して、本のような構造に対称的に取り付けられてもよい。
【００２６】
別の実施形態では、包帯材を表面に適用する方法が提供される。いくつかの変形例によると、本方法は、内面および操作部分を有するベース構造を備える、アプリケータと、対象の皮膚または創傷に適用されるように構成される第１の表面を備える、包帯材と、裏面であって、包帯材の裏面は、ベース構造の内面に取り外し可能に連結または係留され、第１の表面は、ベース構造の内面の外方を向く、裏面と、包帯材の第１の表面を取り外し可能に覆うように構成されるカバーとを備える、包帯材包装を提供するステップを含んでもよい。方法はさらに、包帯材の第１の表面を露出するようにカバーを除去するステップと、包帯材の第１の表面を対象の創傷または皮膚に適用するためにベース構造の操作部分を使用するステップとを含んでもよい。別の変形例では、第１の歪んでいない領域と第２の歪んでいない領域との間の弾性包帯の内側領域に歪みを付与するステップと、少なくとも包帯材の歪んだ内側領域を皮膚部位または歪んだ領域および歪んでいない領域の両方に取り付けるステップとを含む、創傷を治療するための方法が提供される。
【００２７】
いくつかの変形例によると、包帯材包装アセンブリは、内面を有するベース構造と、対向表面を有するカバー構造であって、ベース構造がカバー構造に移動可能に連結される、カバー構造と、対象の創傷または皮膚に適用されるように構成される第１の表面、および裏面の少なくとも一部がベース構造の内面に取り外し可能に連結される、裏面を備える、包帯材とを備え、カバー構造は、対向表面が、包帯材の第１の表面と界面接触し、かつそれと実質的に平行である、第１の位置から、対向表面が包帯材の第１の表面から分離される、第２の位置まで移動するように構成される。変形例によると、包帯材の第１の表面は、接着剤領域を備える。変形例によると、包帯材の第１の表面は、包帯材上の接着剤領域と界面接触する、接着剤裏当てを備える。変形例によると、カバー構造の対向表面は、カバー構造が第１の位置にあるときに接着剤領域を被覆し、カバー構造が第２の位置にあるときに接着剤領域から分離される、接着剤裏当てを備える。変形例によると、包帯材は、弾性材料を備える。変形例によると、包帯材は、ベース構造の内面に連結された第１の取付領域と、カバー構造の対向表面に連結された第２の取付領域とを備え、カバーおよびベースは、カバーが第１の位置から第２の位置まで移動させられたときに歪付与力を付与し、包帯材に歪みを付与するように構成される。変形例によると、引張構造は、歪付与力を包帯材に付与するように構成される。変形例によると、引張構造は、第１の取付領域における包帯材をベース構造の内面に連結するように構成される、第１の構造と、第２の取付領域における包帯材をカバーの対向表面に連結するように構成される、第２の構造とを備え、引張構造は、カバー構造が、ベース構造に対して第１の位置から第２の位置まで移動させられたときに、第１の取付領域と第２の取付領域との間の包帯材に歪付与力を付与するように構成される。いくつかの変形例によると、包帯材は、カバーが第１の位置にあるときに第１の幅を有し、カバーが第２の位置にあるときに第２の幅を有し、第２の幅は、第１の幅より大きい。変形例によると、第２の幅は、第１の幅より少なくとも２０％大きい。変形例によると、第２の幅は、第１の幅より少なくとも４０％大きい。変形例によると、ベース構造は、少なくとも１つの比較的剛性の要素と、少なくとも１つの比較的可撓性の要素とを備え、比較的剛性の要素は、歪付与力が第１の方向に印加されるときに包帯材を支持するために十分に剛性であって、比較的可撓性の要素は、ベース構造が第２の方向に撓曲することを可能にする。変形例によると、少なくとも１つの比較的剛性の要素は、複数の可撓性の連結された比較的剛性の要素を備える。変形例によると、カバー構造は、少なくとも１つの比較的剛性の要素と、少なくとも１つの比較的可撓性の要素とを備える。変形例によると、剥離デバイスは、包帯材が対象の創傷または皮膚に適用された後、ベース構造から包帯材を剥離するように構成される。いくつかの変形例によると、ベース構造は、カバー構造に枢動可能に連結される。
【００２８】
変形例によると、包帯材包装アセンブリは、内面を有し、少なくとも１つの支持要素および少なくとも１つの可撓性要素を備える、ベース構造と、対象の創傷または皮膚に適用されるように構成される第１の表面、および裏面の少なくとも一部がベース構造の内面に取り外し可能に連結される、裏面を備える、包帯材とを備える。変形例によると、少なくとも１つの剛性要素は、少なくとも１つの可撓性要素を用いて相互に連結された複数の剛性要素を備える。変形例によると、カバー構造は、包帯材の第１の表面と界面接触するように構成される対向表面を備え、カバー構造は、対向表面が包帯材の第１の表面と界面接触する第１の位置から、カバーが包帯材の第１の表面から分離される第２の位置まで移動するように、ベース構造に移動可能に連結される。変形例によると、カバー構造は、ベース構造に枢動可能に連結される。変形例によると、カバー構造は、少なくとも１つの支持要素と、カバー構造の成形を可能にするために十分に可撓性である少なくとも１つの可撓性要素とを備える。変形例によると、包帯材の第１の表面は、接着剤領域を備える。変形例によると、包帯材の第１の表面は、包帯材上の接着剤領域と界面接触する、接着剤裏当てを備える。変形例によると、カバー構造の対向表面は、第１の位置で接着剤領域を被覆し、第２の位置で接着剤領域から分離される、接着剤裏当てを備える。変形例によると、包帯材は、弾性材料を備える。変形例によると、包帯材は、ベース構造の内面に連結された第１の取付領域と、カバー構造の対向表面に連結された第２の取付領域とを備え、カバーおよびベースは、カバーが第１の位置から第２の位置まで移動させられたときに歪付与力を付与し、包帯材に歪みを付与するように構成される。変形例によると、アセンブリはさらに、歪付与力を包帯材に付与するように構成される、引張構造を備える。変形例によると、引張構造は、第１の取付領域における包帯材をベース構造の内面に連結するように構成される、第１の構造と、第２の取付領域における包帯材をカバーの対向表面に連結するように構成される、第２の構造とを備え、引張構造は、カバー構造が、ベース構造に対して第１の位置から第２の位置まで移動させられたときに、第１の取付領域と第２の取付領域との間の包帯材に歪付与力を付与するように構成される。変形例によると、第１および第２の取付領域の間の包帯材は、カバーが第１の位置にあるときに第１の幅、およびカバーが第２の位置にあるときに第２の幅を有し、第２の幅は、第１の幅より大きい。変形例によると、第２の幅は、第１の幅より少なくとも４％大きい。変形例によると、第２の幅は、第１の幅より少なくとも２０％大きい。変形例によると、第２の幅は、第１の幅より少なくとも４０％大きい。
【００２９】
変形例によると、包帯材を対象の創傷または皮膚に適用する方法は、内面を有するベース構造と、対向表面を有するカバー構造であって、ベース構造がカバー構造に移動可能に連結される、カバー構造と、接着剤領域を含む第１の表面、および裏面の少なくとも一部がベース構造の内面に取り外し可能に連結される、裏面を備える、包帯材とを備え、カバー構造の対向表面は、カバー構造が第１の位置にあるときに接着剤領域を被覆する、接着剤裏当てを備える、包帯材包装アセンブリを提供するステップと、包帯材の第１の表面から対向表面を分離するように、および接着剤領域から接着剤裏当てを分離するように、ベース構造に対して第２の位置までカバー構造を枢動させるステップと、包帯材の第１の表面を対象の創傷または皮膚に適用し、次いで、後にベース構造から包帯材を剥離するステップとを含む。本方法の変形例によると、包帯材の裏面の少なくとも一部分は、カバー構造に連結され、さらに、包帯材に歪みを付与するように、ベース構造に対してカバー構造を枢動させるステップを含む。
【００３０】
変形例によると、包帯材アプリケータは、第１の包帯材取付領域と第２の包帯材取付領域との間に可変分離距離を備える、第１の包帯材取付領域および第２の包帯材取付領域と、可変分離距離を変化させる、第１の包帯材取付領域と第２の包帯材取付領域との間の屈曲領域とを備え、屈曲領域の中心から第１の包帯材取付領域までの第１の距離は、屈曲領域の中心から第２の包帯材取付領域までの第２の距離とは異なる。
【００３１】
変形例によると、包帯材引張デバイスは、その間に担体幅を画定する、第１の担体縁および第２の対向担体縁を備える、包帯材担体と、包帯材担体に対して第１の位置から第２の包帯材引張位置まで移動するように構成される、引張要素と、第１の担体縁に隣接して担体に連結される第１の包帯材縁、および取付要素に連結される第２の包帯材縁であって、取付要素が引張要素に連結される、第２の包帯材縁を含む、包帯材を備える包帯材アセンブリとを備え、引張要素の第１の位置では、第２の包帯材縁は、担体の幅内で第２の担体縁から第１の距離にあり、引張要素の第２の位置では、第２の包帯材縁は、担体の幅内で第２の担体縁から第２の距離にあり、第１の距離は、第２の距離より大きい。変形例によると、第１の包帯材縁は、引張要素が第１および第２の位置の間で移動させられたときに第２の包帯材縁に対して比較的固定される。
【００３２】
変形例によると、包帯材包装アセンブリは、内面を有するベース構造と、対向表面を有するカバー構造であって、ベース構造がカバー構造に移動可能に連結される、カバー構造と、対象の創傷または皮膚に適用されるように構成される第１の表面、および裏面の少なくとも一部がベース構造の内面に取り外し可能に連結される、裏面を備える、包帯材とを備え、カバー構造は、対向表面が包帯材の第１の表面と界面接触する第１の位置から、対向表面が包帯材の第１の表面から分離される第２の位置まで移動するように構成され、第２の位置は、第１の位置に対して少なくとも約１８０度回転させられる。変形例によると、包帯材の第１の表面は、接着剤領域を備える。変形例によると、包帯材の第１の表面は、包帯材上の接着剤領域と界面接触する、接着剤裏当てを備える。変形例によると、カバー構造の対向表面は、カバー構造が第１の位置にあるときに接着剤領域を被覆し、カバー構造が第２の位置にあるときに接着剤領域から分離される、接着剤裏当てを備える。変形例によると、包帯材は、弾性材料を備える。変形例によると、包帯材は、ベース構造の内面に連結された第１の取付領域と、カバー構造の対向表面に連結された第２の取付領域とを備え、カバーおよびベースは、カバーが第１の位置から第２の位置まで移動させられたときに歪付与力を付与し、包帯材に歪みを付与するように構成される。変形例によると、アセンブリはさらに、歪付与力を包帯材に付与するように構成される引張構造を備える。引張構造は、第１の取付領域における包帯材をベース構造の内面に連結するように構成される、第１の構造と、第２の取付領域における包帯材をカバーの対向表面に連結するように構成される、第２の構造とを備え、引張構造は、カバー構造が、ベース構造に対して第１の位置から第２の位置まで移動させられたときに、第１の取付領域と第２の取付領域との間の包帯材に歪付与力を付与するように構成される。変形例によると、包帯材は、カバーが第１の位置にあるときに第１の幅、およびカバーが第２の位置にあるときに第２の幅を有し、第２の幅は、第１の幅より大きい。変形例によると、第２の幅は、第１の幅より少なくとも２０％大きい。変形例によると、第２の幅は、第１の幅より少なくとも４０％大きい。変形例によると、ベース構造は、少なくとも１つの比較的剛性の要素と、少なくとも１つの比較的可撓性の要素とを備え、比較的剛性の要素は、歪付与力が第１の方向に印加されるときに包帯材を支持するために十分に剛性であって、比較的可撓性の要素は、ベース構造が第２の方向に撓曲することを可能にする。
【００３３】
変形例によると、包帯材包装は、第１の担体縁、第１の担体縁に対向する第２の担体縁、および対象への包帯材の適用中に包帯材を支持するように構成される、第１の縁と第２の縁との間に延在する支持構造を備える、包帯材担体と、第１の包帯材縁、第１の包帯材縁に対向する第２の包帯材縁、裏面、および対向皮膚界面接触表面を備える、包帯材とを備え、裏面の少なくとも一部分は、包帯材担体に取り外し可能に連結され、第１の包帯材縁および第２の包帯材縁は、第１の担体縁と第２の担体縁との間に位置付けられ、第１の包帯材縁は、第１の包帯材縁と第１の担体縁との間の第１の辺縁を画定し、第２の包帯材縁は、第２の包帯材縁と第２の担体縁との間の第２の辺縁を画定し、第１および第２の辺縁のそれぞれは、少なくとも３ミリメートルの幅を有する。
【００３４】
一変形例では、第１の支持体と、第２の支持体と、その間の一次屈曲領域であって、一次屈曲軸を備える一次屈曲領域と、第１の支持体に取り付けられた第１の取付領域、および第２の支持体に取り付けられた第２の取付領域、第１の取付領域から分離するように構成される第１の分離領域、および第２の取付領域から分離するように構成される第２の分離領域を備える、治療デバイスとを備える、包帯材システムが提供される。第１および第２の分離領域は、穿孔を備えてもよい。包帯材システムはさらに、穿孔に沿って位置するけん引要素を備えてもよい。治療デバイスは、一次屈曲領域に対して第１および第２の支持体に非対称的に取り付けられてもよい。第１の支持体と一次屈曲軸との間の第１の距離は、第２の支持体と一次屈曲軸との間の第２の距離とは異なり得る。包帯材システムはさらに、治療デバイスが第１の支持体と第２の支持体との間に位置する閉鎖構成と、第２の支持体が第１の支持体と治療デバイスとの間に位置する閉鎖構成とを備えてもよい。第２の支持体は、一次屈曲軸と平行ではない二次屈曲軸を備える、少なくとも１つの二次屈曲領域を備えてもよい。二次屈曲軸は、一次屈曲軸と直角であり得る。第１の支持体は、一次屈曲軸と平行ではない二次屈曲軸を備える、少なくとも１つの二次屈曲領域を備えてもよい。第１の支持体の少なくとも１つの二次屈曲領域は、第２の支持体の少なくとも１つの二次屈曲領域と整合させられてもよい。治療デバイスはさらに、治療デバイスの接着剤表面に連結される剥離ライナを備えてもよい。治療デバイスは、穿孔領域を備えてもよい。包帯材システムはさらに、穿孔領域に隣接して取り付けられた伸長要素を備えてもよい。伸長要素は、治療デバイスの穿孔領域を越えて突出してもよい。いくつかの変形例では、伸長要素の少なくとも一部分が折曲されてもよく、折曲は、治療デバイスの実質的な長さに沿ってもよい。第１および第２の支持体のうちの少なくとも１つは、治療デバイスの中心領域を識別する印を備えてもよい。印は、陥凹縁、インクマーク、エンボス加工、または窓を備えてもよい。一次屈曲領域もまた、穿孔されてもよい。第１の支持体は、第２の支持体および治療デバイスから着脱するように構成されてもよく、歪んだ構成で治療デバイスを維持しながら、そうする場合もあり、そうしない場合もある。第２の支持体は、包帯材システムが閉鎖構成ではなく開放構成であるときに、治療デバイスに付着するように構成される接着要素を備えてもよい。第１の支持体は、取り付けられた剥離ライナを備えてもよい。剥離ライナは、第１の支持体の外縁と取り付けられた治療デバイスとの間で第１の支持体に取り付けられてもよい。治療デバイスに対面する第１および／または第２の支持体の内面は、伸張させられて接着剤に接触すると、引っ張られた状態で治療デバイスを維持するように、および／または第１のおよび／または第２の支持体に対して治療デバイスを維持するように、いずれかで構成される、接着コーティングまたは接着テープ等の接着剤を含んでもよい。
【００３５】
別の変形例では、第１の引張部材と、第２の引張部材と、その間の一次屈曲領域であって、一次屈曲軸を備える一次屈曲領域と、一次屈曲領域に対して第１および第２の引張部材に非対称的に取り付けられた治療デバイスとを備える、包帯材システムが提供される。治療デバイスは、第１の引張部材に取り付けられた第１の端部と、第２の引張部材に取り付けられた第２の端部とを備えてもよく、第１の引張部材と一次屈曲軸との間の第１の距離は、第２の引張部材と一次屈曲軸との間の第２の距離とは異なる。包帯材システムはさらに、治療デバイスが第１の引張部材と第２の引張部材との間に位置する閉鎖構成と、第２の引張部材が第１の引張部材と治療デバイスとの間に位置する開放構成とを備えてもよい。第２の引張部材は、一次屈曲軸と平行ではない二次屈曲軸を備える、少なくとも１つの二次屈曲領域を備えてもよい。二次屈曲軸は、一次屈曲軸と直角であり得る。第１の引張部材は、一次屈曲軸と平行ではない二次屈曲軸を備える、少なくとも１つの二次屈曲領域を備えてもよい。第１の引張部材の少なくとも１つの二次屈曲領域は、第２の引張部材の少なくとも１つの二次屈曲領域と整合させられてもよい。治療デバイスはさらに、治療デバイスの接着剤表面に連結される剥離ライナを備えてもよい。治療デバイスは、穿孔領域を備えてもよい。包帯材システムはさらに、穿孔領域に隣接して取り付けられた伸長要素を備えてもよい。伸長要素は、治療デバイスの穿孔領域を越えて突出してもよい。いくつかの変形例では、伸長要素の少なくとも一部分が折曲されてもよく、折曲は、治療デバイスの実質的な長さに沿ってもよい。第１および第２の引張部材のうちの少なくとも１つは、治療デバイスの中心領域を識別する印を備えてもよい。印は、陥凹縁、インクマーク、エンボス加工、または窓を備えてもよい。一次屈曲領域もまた、穿孔されてもよい。第１の引張部材は、第２の引張部材および治療デバイスから着脱するように構成されてもよい。第１の引張部材は、歪んだ構成で治療デバイスを維持しながら、第２の引張部材および治療デバイスから着脱するように構成されてもよい。第２の支持体は、包帯材システムが閉鎖構成ではなく開放構成であるときに、治療デバイスに付着するように構成される接着要素を備えてもよい。第１の引張部材は、取り付けられた剥離ライナを備えてもよい。剥離ライナは、第１の引張部材の外縁と取り付けられた治療デバイスとの間で第１の引張部材に取り付けられてもよい。
【００３６】
別の変形例では、第１のアプリケータ部材と、第２のアプリケータ部材と、その間の一次屈曲領域であって、一次屈曲軸を備える一次屈曲領域と、第１および第２のアプリケータ部材に取り付けられた治療デバイスとを備える、包帯材システムが提供され、包帯材システムは、治療デバイスが第１のアプリケータ部材と第２のアプリケータ部材との間に位置する閉鎖構成と、第２のアプリケータ部材が第１のアプリケータ部材と治療デバイスとの間に位置する閉鎖構成とを備える。第２のアプリケータ部材は、一次屈曲軸と平行ではない二次屈曲軸を備える、少なくとも１つの二次屈曲領域を備えてもよい。二次屈曲軸は、一次屈曲軸と直角であり得る。第１のアプリケータ部材は、一次屈曲軸と平行ではない二次屈曲軸を備える、少なくとも１つの二次屈曲領域を備えてもよい。第１のアプリケータ部材の少なくとも１つの二次屈曲領域は、第２のアプリケータ部材の少なくとも１つの二次屈曲領域と整合させられてもよい。治療デバイスはさらに、治療デバイスの接着剤表面に連結される剥離ライナを備えてもよい。治療デバイスは、穿孔領域を備えてもよい。包帯材システムはさらに、穿孔領域に隣接して取り付けられた伸長要素を備えてもよい。伸長要素は、治療デバイスの穿孔領域を越えて突出してもよい。伸長要素の少なくとも一部分が折曲されてもよく、折曲は、治療デバイスの実質的な長さに沿ってもよい。第１および第２のアプリケータ部材のうちの少なくとも１つは、治療デバイスの中心領域を識別する印を備えてもよい。印は、陥凹縁、インクマーク、エンボス加工、または窓を備えてもよい。一次屈曲領域もまた、穿孔されてもよい。第１のアプリケータ部材は、第２のアプリケータ部材および治療デバイスから着脱するように構成されてもよい。第１のアプリケータ部材は、歪んだ構成で治療デバイスを維持しながら、第２のアプリケータ部材および治療デバイスから着脱するように構成されてもよい。第２のアプリケータ部材は、包帯材システムが閉鎖構成ではなく開放構成であるときに、治療デバイスに付着するように構成される接着要素を備えてもよい。第１のアプリケータ部材は、取り付けられた剥離ライナを備えてもよい。剥離ライナは、第１のアプリケータ部材の外縁と取り付けられた治療デバイスとの間で第１のアプリケータ部材に取り付けられてもよい。
【００３７】
本明細書で説明されるデバイス、キット、および方法は、創傷治癒、瘢痕あるいはケロイドの治療、寛解、および／または予防を含むが、それらに限定されない、皮膚への治療のために提供される。包帯材を対象に適用するために、本のような包装、アプリケータ、および／または引張デバイスが使用される。包装、アプリケータ、および／または引張デバイスは、弾性包帯材に歪みを印加し、および／またはそれを維持し、従来の包帯材の形状と比較して、皮膚に印加されるピーク応力を低減させるように、起伏のある縁構成を含む。
【００３８】
一実施形態では、弾性シートであって、平面的な皮膚界面接触表面と、第１の起伏のある縁と、第１の縁から最も遠く、かつ反対に位置する、第２の起伏のある縁とを備える、弾性シートを備える、組織治療デバイスが提供され、弾性シートはさらに、第１の引張応力構成と、第２の引張応力構成とを備えてもよく、皮膚界面接触表面は、第１の引張応力構成で皮膚に付着するように構成され、かつ第２の引張応力構成まで部分的に弛緩し、接着した皮膚を圧迫するように構成され、起伏のある縁は、第１の起伏のある縁および第２の起伏のある縁に沿った１つ以上の場所で局所的引張応力を低減させるように構成され、各起伏のある縁は、平均振幅、少なくとも２ｍｍである最小分離、および平均振幅の２倍以下である頂点間距離を伴う、少なくとも２つの連続拡張を備える。各起伏のある縁はさらに、湾曲縁区画または直線縁区画のうちの少なくとも１つを備えてもよく、第１の縁および第２の縁はそれぞれ、鋭角および鋭頂点が欠けている。第１の起伏のある縁の平均振幅は、少なくとも４ｍｍであってもよく、かつ２０ｍｍ以下であってもよい。平均振幅および平均頂点間距離の比は、約１／３〜約２の範囲内であってもよく、または約０．８〜約１．２の範囲内であってもよい。弾性シートはさらに、第１および第２の縁の間に及ぶ第３の縁と、第３の縁から最も遠く、かつ反対にある、第１の縁と第２の縁との間に及ぶ第４の縁とを備えてもよい。弾性シートはさらに、第１および第３の縁、第１および第４の縁、第２および第３の縁、ならびに第２および第４の縁の間に丸みを帯びた角を備えてもよく、丸みを帯びた角の最小曲率半径は、少なくとも５ｍｍである。第３の縁は、少なくとも３つの拡張を備えてもよく、第３の縁の平均頂点間距離は、第１の縁または第２の縁の平均頂点間距離とは異なる。少なくとも２つの連続拡張はそれぞれ、拡張の遠位端より近位に位置する最小拡張幅を伴う頸部と、頸部より遠位にあり、最小拡張幅より大きい最大拡張幅を伴う頭部とを備えてもよい。各頭部は、少なくとも半円形の湾曲区画、または少なくとも４分の３円形の湾曲区画を備えてもよい。各頭部間の最小間隙は、少なくとも２ｍｍ、または少なくとも５ｍｍであってもよい。各頸部間の最小間隙は、５ｍｍである。最大拡張幅は、約５ｍｍ〜約８ｍｍであってもよい。最小拡張幅は、約１．５ｍｍ〜約５．５ｍｍの範囲内であってもよい。第１の起伏のある縁の平均振幅は、約５ｍｍ〜約１０ｍｍの範囲内であってもよい。
【００３９】
別の実施形態では、平面的な皮膚界面接触表面と、ピーク応力を低減させるための  第１の縁手段およびピーク応力を低減させるための第２の縁手段であって、第２の縁手段は、第１の縁手段から最も遠く、かつ反対に位置する、縁手段と、第１の引張応力構成および第２の引張応力構成であって、皮膚界面接触表面は、第１の引張応力構成で皮膚に付着するように構成され、さらに、第２の引張応力構成まで部分的に弛緩し、付着した皮膚を圧迫するように構成される、引張応力構成とを備える、弾性シートを備える、組織治療デバイスが提供される。第１の縁は、少なくとも２つの連続頂点を伴う第１の起伏のある縁を備えてもよく、少なくとも２つの連続頂点は、平均振幅と、少なくとも２ｍｍであり、平均振幅の２倍未満である頂点間距離とを備える。第２の縁手段は、少なくとも２つの連続頂点を伴う第２の起伏のある縁を備えてもよく、少なくとも２つの連続頂点は、平均振幅と、少なくとも２ｍｍであり、平均振幅の２倍未満である頂点間距離とを有する。第１の縁手段は、少なくとも２つの連続頂点を伴う第１の起伏のある縁を備えてもよく、少なくとも２つの連続頂点は、平均振幅を備え、組織治療デバイスは、第１の起伏のある縁から第２の起伏のある縁までの幅を備え、平均振幅は、幅の約１０％〜４０％である。平均振幅は、幅の約１２％〜３５％であってもよい。第１の縁手段は、頂点および振幅をそれぞれ有する、複数の連続拡張と、変調ゾーンを画定する谷をそれぞれ有する、複数の連続開放領域とを伴う、第１の起伏のある縁を備えてもよく、変調ゾーンは、谷に沿った最良適合の線または曲線に沿った近位境界、頂点に沿った最良適合の線または曲線に沿った外側境界、第１の頂点または頂点に直接隣接する第１の谷に位置する第１の側面境界、および第２の頂点または第１の頂点あるいは第１の谷とは異なる頂点に直接隣接する第２の谷に位置する第２の側面境界によって画定される、総面積を有し、複数の連続開放空間は、総開放空間面積を有し、総開放空間面積は、変調ゾーンの総面積の約２５％〜８０％である。第１の側面境界および第２の側面境界は、両方とも頂点または両方とも谷であってもよい。第１の頂点および第２の頂点は、第１の縁に沿って最も遠く離間される２つの頂点である。第１の谷および第２の谷は、第１の縁手段に沿って最も遠く離間される２つの谷であってもよい。複数の連続拡張は、少なくとも１ｍｍである曲率半径を伴う湾曲遠位端を備えてもよい。複数の連続開放領域は、少なくとも１ｍｍである曲率半径を伴う湾曲谷基部を備えてもよい。
【００４０】
なおも別の実施形態では、第１の応力構成の弾性シートを治療領域に接着するステップであって、弾性シートは、平面的な皮膚界面接触表面と、第１の起伏のある縁と、第１の縁から最も遠く、かつ反対に位置する、第２の起伏のある縁とを備え、起伏のある縁は、第１の起伏のある縁および第２の起伏のある縁に沿った１つ以上の場所で、局所的引張応力を低減させるように構成され、各起伏のある縁は、平均振幅、少なくとも２ｍｍである最小分離、および平均振幅の２倍以下である頂点間距離を伴う、少なくとも２つの連続拡張を備える、ステップと、第１の応力構成の弾性シートが、第２の引張応力構成まで部分的に弛緩し、付着した皮膚を圧迫することを可能にするステップとを含む、患者を治療する方法が提供される。本方法はさらに、非付勢構成から第１の応力構成に弾性シートを伸張させるためにアプリケータを使用するステップを含んでもよい。
【００４１】
別の実施形態では、第１の応力構成の弾性シートを治療領域に接着するステップであって、弾性シートは、平面的な皮膚界面接触表面と、ピーク応力を低減させるための第１の縁手段と、第１の縁手段から最も遠く、かつ反対に位置する、ピーク応力を低減させるための第２の縁手段とを備える、ステップと、第１の応力構成の弾性シートが、第２の引張応力構成まで部分的に弛緩し、付着した皮膚を圧迫することを可能にするステップとを含む、患者を治療する方法が提供される。本方法はさらに、非付勢構成から第１の応力構成に弾性シートを伸張させるためにアプリケータを使用するステップを含んでもよい。
【００４２】
一実施形態では、総表面積および正味の縁長、平面的な皮膚界面接触表面と、第１の起伏のある縁と、第１の縁から最も遠く、かつ反対に位置する、第２の起伏のある縁とを備える、弾性シートを備える、組織治療デバイスが提供され、弾性シートはさらに、第１の引張応力構成と、第２の引張応力構成とを備えてもよく、皮膚界面接触表面は、第１の引張応力構成で皮膚に付着するように構成され、かつ第２の引張応力構成まで部分的に弛緩し、付着した皮膚を圧迫するように構成され、起伏のある縁は、同一の総表面積を伴うが縁長がより小さい弾性シートに対して、第１の起伏のある縁および第２の起伏のある縁に沿った１つ以上の場所で包帯材によって付与されるけん引力を低減させるように構成される。各起伏のある縁は、平均振幅、少なくとも２ｍｍである最小分離、および平均振幅の２倍以下である頂点間距離を伴う、少なくとも２つの連続拡張を備えてもよい。
【００４３】
別の実施形態では、弾性シートであって、平面的な皮膚界面接触表面と、第１の起伏のある縁と、第１の縁から最も遠く、かつ反対に位置する、第２の起伏のある縁とを備える、弾性シートを備える、組織治療デバイスが提供され、弾性シートはさらに、第１の引張応力構成と、第２の引張応力構成とを備えてもよく、皮膚界面接触表面は、第１の引張応力構成で皮膚に付着するように構成され、かつ第２の引張応力構成まで部分的に弛緩し、付着した皮膚を圧迫するように構成され、起伏のある縁は、第１の起伏のある縁および第２の起伏のある縁に沿った１つ以上の場所またはその付近で包帯材によって付与されるけん引力を低減させるように構成され、第１の起伏のある縁および第２の起伏のある縁は、包帯材幅を画定し、各起伏のある縁は、平均振幅を伴う少なくとも２つの連続拡張を備え、平均振幅は、包帯材幅の約１０％〜４０％である。平均振幅は、包帯材幅の約１２％〜３５％であってもよい。各起伏のある縁はさらに、湾曲縁区画または直線縁区画のうちの少なくとも１つを備え、第１の縁および第２の縁はそれぞれ、鋭角および鋭頂点が欠けている。
【００４４】
別の実施形態では、弾性シートであって、変調ゾーンを画定する振幅を有する、複数の連続拡張を備える、第１の起伏のある縁であって、変調ゾーンは、谷に沿った最良適合の線または曲線に沿った近位境界、頂点に沿った最良適合の線または曲線に沿った外側境界、頂点に直接隣接する第１の谷に位置する第１の側面境界、および頂点に直接隣接する第２の谷に位置する第２の側面境界によって画定される、総面積を有し、第１および第２の谷は、最も遠く離れている第１の起伏のある縁の上の２つの谷であり、複数の連続拡張のそれぞれは、総開放空間面積を画定する、開放空間をその間に有し、総開放空間面積は、変調ゾーンの総面積の約２５％〜８０％である、第１の起伏のある縁と、平面的な皮膚界面接触表面とを備える、弾性シートを備える、組織治療デバイスが提供され、弾性シートはさらに、第１の引張応力構成と、第２の引張応力構成とを備え、皮膚界面接触表面は、第１の引張応力構成で皮膚に付着するように構成され、かつ第２の引張応力構成まで部分的に弛緩し、付着した皮膚を圧迫するように構成され、起伏のある縁は、同一の総表面積を伴うが縁長がより小さい弾性シートに対して、第１の起伏のある縁および第２の起伏のある縁に沿った１つ以上の場所で、またはその付近で、包帯材によって付与されるけん引力を低減させるように構成される。総開放空間面積は、変調ゾーンの総面積の約３０％〜７０％であってもよい。各起伏のある縁は、少なくとも２ｍｍの最小分離を伴う少なくとも２つの連続拡張を備えてもよい。少なくとも２つの連続拡張は、平均振幅の２倍に等しいまたはそれ未満である平均頂点間距離を備えてもよい。弾性シートは、ピーク応力を低減させるように構成される、第２の起伏のある縁を備えてもよく、第２の起伏のある縁は、第１の起伏のある縁から最も遠く、かつ反対に位置する。複数の連続拡張は、少なくとも１ｍｍである曲率半径を伴う湾曲遠位端を備えてもよく、複数の連続開放領域は、少なくとも１ｍｍである曲率半径を伴う湾曲谷基部を備える。
【００４５】
一実施形態では、順に、平面的な皮膚界面接触表面と、ピーク応力を低減させるように構成される第１の縁と、ピーク応力を低減させるように構成される第２の縁であって、第２の縁は、第１の縁から最も遠く、かつ反対に位置する、第２の縁と、第１の引張応力構成および第２の引張応力構成であって、皮膚界面接触表面は、第１の引張応力構成で皮膚に付着するように構成され、さらに、第２の引張応力構成まで部分的に弛緩し、付着した皮膚を圧迫するように構成され得る、引張応力構成とを備え得る、弾性シートを備える、組織治療デバイスが提供されてもよい。第１の縁は、少なくとも２つの連続頂点を伴う第１の起伏のある縁を備えてもよく、少なくとも２つの連続頂点は、平均振幅と、少なくとも２ｍｍであり得、平均振幅の２倍未満であり得る頂点間距離とを有する。第１の縁は、少なくとも２つの連続頂点を伴う第１の起伏のある縁を備えてもよく、少なくとも２つの連続頂点は、平均振幅を備え、組織治療デバイスは、第１の縁手段から第２の縁手段までの幅を備え、平均振幅は、幅の約１０％〜４０％であってもよい。平均振幅は、幅の約１２％〜３５％であってもよい。第１の縁は、頂点および振幅をそれぞれ有する、複数の連続拡張と、変調ゾーンを画定する谷をそれぞれ有する、複数の連続開放領域とを伴う、第１の起伏のある縁を備えてもよく、変調ゾーンは、谷に沿った最良適合の線または曲線に沿った近位境界、頂点に沿った最良適合の線または曲線に沿った外側境界、第１の頂点または頂点に直接隣接する第１の谷に位置する第１の側面境界、および第２の頂点または第１の頂点あるいは第１の谷とは異なり得る頂点に直接隣接する第２の谷に位置する第２の側面境界によって画定される、総面積を有し、複数の連続開放空間は、総開放空間面積を有し、総開放空間面積は、変調ゾーンの総面積の約２５％〜８０％であってもよい。第１の側面境界および第２の側面境界は、両方とも頂点または両方とも谷であってもよい。第１の頂点および第２の頂点は、第１の縁に沿って最も遠く離間され得る２つの頂点である。第１の谷および第２の谷は、第１の縁に沿って最も遠く離間され得る２つの谷である。複数の連続拡張は、少なくとも１ｍｍである曲率半径を伴う湾曲遠位端を備えてもよい。複数の連続開放領域は、少なくとも１ｍｍである曲率半径を伴う湾曲谷基部を備えてもよい。第２の縁は、少なくとも２つの連続頂点を伴う第２の起伏のある縁を備えてもよく、少なくとも２つの連続頂点は、平均振幅と、少なくとも２ｍｍであり得、平均振幅の２倍未満であり得る頂点間距離とを有する。弾性シートは、総表面積と、正味の縁長とを備えてもよく、第１の縁は、第１の起伏のある縁を備えてもよく、第２の縁は、第１の起伏のある縁から最も遠く、かつ反対に第２の起伏のある縁を備えてもよく、起伏のある縁は、第１の起伏のある縁および第２の起伏のある縁に沿った１つ以上の場所で、またはその付近で、組織治療デバイスによって付与されるけん引力を低減させるように構成されてもよく、同一の総表面積を伴う弾性シートに対する、第１の起伏のある縁および第２の起伏のある縁に沿った１つ以上の場所は、より小さい縁長を有する。第１の起伏のある縁および第２の起伏のある縁は、デバイス幅を画定してもよく、各起伏のある縁は、平均振幅を伴う少なくとも２つの連続拡張を備えてもよく、平均振幅は、デバイス幅の約１０％〜４０％であってもよい。平均振幅は、デバイス幅の約１２％〜３５％であってもよい。各起伏のある縁はさらに、湾曲縁区画または直線縁区画のうちの少なくとも１つを備えてもよく、第１の縁および第２の縁はそれぞれ、鋭角および／または鋭頂点が欠けていてもよい。第１の起伏のある縁は、変調ゾーンを画定する振幅を有する、複数の連続拡張を備えてもよく、変調ゾーンは、谷に沿った最良適合の線または曲線に沿った近位境界、頂点に沿った最良適合の線または曲線に沿った外側境界、頂点に直接隣接する第１の谷に位置する第１の側面境界、および頂点に直接隣接する第２の谷に位置する第２の側面境界によって画定される、総面積を有し、第１および第２の谷は、最も遠く離れている第１の起伏のある縁の上の２つの谷であってもよく、複数の連続拡張のそれぞれは、総開放空間面積を画定する、開放空間をその間に備え、総開放空間面積は、変調ゾーンの総面積の約２５％〜８０％であってもよい。総開放空間面積は、変調ゾーンの総面積の約３０％〜７０％であってもよい。各起伏のある縁は、少なくとも２ｍｍの最小分離を伴う少なくとも２つの連続拡張を備えてもよい。少なくとも２つの連続拡張は、平均振幅の２倍に等しいまたはそれ未満であり得る平均頂点間距離を備えてもよい。複数の連続拡張は、少なくとも１ｍｍである曲率半径を伴う湾曲遠位端を備えてもよく、複数の連続開放領域は、少なくとも１ｍｍである曲率半径を伴う湾曲谷基部を備えてもよい。第１の起伏のある縁の平均振幅は、少なくとも４ｍｍであってもよく、かつ２０ｍｍ以下であってもよい。平均振幅および平均頂点間距離の比は、約１／３〜約２の範囲内であってもよい。平均振幅および平均頂点間距離の比は、約０．８〜約１．２の範囲内であってもよい。弾性シートはさらに、第１および第２の縁の間に及ぶ第３の縁と、第３の縁から最も遠く、かつ反対にある、第１の縁と第２の縁との間に及ぶ第４の縁とを備えてもよい。弾性シートはさらに、第１および第３の縁、第１および第４の縁、第２および第３の縁、ならびに第２および第４の縁の間に丸みを帯びた角を備えてもよく、丸みを帯びた角の最小曲率半径は、少なくとも５ｍｍであってもよい。第３の縁は、少なくとも３つの拡張を伴う第３の起伏のある縁を備えてもよく、第３の起伏のある縁の平均頂点間距離は、第１の起伏のある縁または第２の起伏のある縁の平均頂点間距離とは異なり得る。少なくとも２つの連続拡張はそれぞれ、拡張の遠位端より近位に位置する最小拡張幅を伴う頸部と、頸部より遠位にあり、最小拡張幅より大きい最大拡張幅を伴う頭部とを備えてもよい。各頭部は、少なくとも半円形の湾曲区画を備えてもよい。各頭部は、少なくとも４分の３円形の湾曲区画を備えてもよい。各頭部間の最小間隙は、少なくとも２ｍｍであってもよい。各頸部間の最小間隙は、５ｍｍであってもよい。最小拡張幅は、約１．５ｍｍ〜約５．５ｍｍの範囲内であってもよい。第１の起伏のある縁の平均振幅は、約５ｍｍ〜約１０ｍｍの範囲内であってもよい。
本明細書は、例えば、以下の項目も提供する。
（項目１）
弾性シートを備える組織治療デバイスであって、
前記弾性シートは、
平面的な皮膚界面接触表面と、
ピーク応力を低減させるように構成されている第１の縁と、
ピーク応力を低減させるように構成されている第２の縁であって、前記第２の縁は、前記第１の縁から最も遠く、かつ反対に位置する、第２の縁と、
第１の引張応力構成および第２の引張応力構成と
を備え、
前記皮膚界面接触表面は、前記第１の引張応力構成で皮膚に付着するように構成され、さらに、前記第２の引張応力構成まで部分的に弛緩し、前記付着した皮膚を圧迫するように構成されている、組織治療デバイス。
（項目２）
前記第１の縁は、少なくとも２つの連続頂点を伴う第１の起伏のある縁を備え、前記少なくとも２つの連続頂点は、平均振幅と、少なくとも２ｍｍであり、前記平均振幅の２倍未満である頂点間距離とを有することを備える、項目１に記載の組織治療デバイス。
（項目３）
前記第１の縁は、少なくとも２つの連続頂点を伴う第１の起伏のある縁を備え、前記少なくとも２つの連続頂点は、平均振幅を備え、前記組織治療デバイスは、第１の縁手段から第２の縁手段までの幅を備え、平均振幅は、前記幅の約１０％〜４０％である、項目１に記載の組織治療デバイス。
（項目４）
前記平均振幅は、前記幅の約１２％〜３５％である、項目３に記載の組織治療デバイス。
（項目５）
前記第１の縁は、頂点および振幅をそれぞれ有する複数の連続拡張と、変調ゾーンを画定する谷をそれぞれ有する複数の連続開放領域とを伴う第１の起伏のある縁を備え、前記変調ゾーンは、前記谷に沿った最良適合の線または曲線に沿った近位境界、前記頂点に沿った最良適合の線または曲線に沿った外側境界、第１の頂点または頂点に直接隣接する第１の谷に位置する第１の側面境界、および第２の頂点または前記第１の頂点あるいは第１の谷とは異なる頂点に直接隣接する第２の谷に位置する第２の側面境界によって画定されている、総面積を有し、複数の連続開放空間は、総開放空間面積を有し、前記総開放空間面積は、前記変調ゾーンの前記総面積の約２５％〜８０％である、項目１に記載の組織治療デバイス。
（項目６）
前記第１の側面境界および前記第２の側面境界は、両方とも頂点または両方とも谷である、項目５に記載の組織治療デバイス。
（項目７）
前記第１の頂点および前記第２の頂点は、前記第１の縁に沿って最も遠く離間されている２つの頂点である、項目６に記載の組織治療デバイス。
（項目８）
前記第１の谷および前記第２の谷は、前記第１の縁に沿って最も遠く離間されている２つの谷である、項目６に記載の組織治療デバイス。
（項目９）
前記複数の連続拡張は、少なくとも１ｍｍである曲率半径を伴う湾曲遠位端を備える、項目５に記載の組織治療デバイス。
（項目１０）
前記複数の連続開放領域は、少なくとも１ｍｍである曲率半径を伴う湾曲谷基部を備える、項目６に記載の組織治療デバイス。
（項目１１）
前記第２の縁は、少なくとも２つの連続頂点を伴う第２の起伏のある縁を備え、前記少なくとも２つの連続頂点は、平均振幅と、少なくとも２ｍｍであり、前記平均振幅の２倍未満である頂点間距離とを有する、項目２に記載の組織治療デバイス。
（項目１２）
前記弾性シートは、総表面積と、正味の縁長とを備え、
前記第１の縁は、第１の起伏のある縁を備え、前記第２の縁は、前記第１の起伏のある縁から最も遠く、かつ反対に第２の起伏のある縁を備え、
前記起伏のある縁は、前記第１の起伏のある縁および前記第２の起伏のある縁に沿った１つ以上の場所で、またはその付近で、前記組織治療デバイスによって付与されるけん引力を低減させるように構成され、
同一の総表面積を伴う弾性シートに対して、前記第１の起伏のある縁および前記第２の起伏のある縁に沿った１つ以上の場所は、より小さい縁長を有する、項目１に記載のデバイス。
（項目１３）
前記第１の起伏のある縁および第２の起伏のある縁は、デバイス幅を画定し、各起伏のある縁は、平均振幅を伴う少なくとも２つの連続拡張を備え、前記平均振幅は、前記デバイス幅の約１０％〜４０％である、項目１２に記載のデバイス。
（項目１４）
前記平均振幅は、前記デバイス幅の約１２％〜３５％である、項目１３に記載のデバイス。
（項目１５）
各起伏のある縁はさらに、湾曲縁区画または直線縁区画のうちの少なくとも１つを備え、前記第１の縁および前記第２の縁はそれぞれ、鋭角および鋭頂点が欠けている、項目１３に記載のデバイス。
（項目１６）
前記第１の起伏のある縁は、変調ゾーンを画定する振幅を有する複数の連続拡張を備え、前記変調ゾーンは、前記谷に沿った最良適合の線または曲線に沿った近位境界、前記頂点に沿った最良適合の線または曲線に沿った外側境界、頂点に直接隣接する第１の谷に位置する第１の側面境界、および頂点に直接隣接する第２の谷に位置する第２の側面境界によって画定されている、総面積を有し、前記第１および第２の谷は、最も遠く離れている前記第１の起伏のある縁の上の２つの谷であり、前記複数の連続拡張のそれぞれは、総開放空間面積を画定する、開放空間をその間に備え、前記総開放空間面積は、前記変調ゾーンの前記総面積の約２５％〜８０％である、項目１２に記載のデバイス。
（項目１７）
前記総開放空間面積は、前記変調ゾーンの前記総面積の約３０％〜７０％である、項目１６に記載のデバイス。
（項目１８）
各起伏のある縁は、少なくとも２ｍｍの最小分離を伴う少なくとも２つの連続拡張を備える、項目１６に記載のデバイス。
（項目１９）
前記少なくとも２つの連続拡張は、前記平均振幅の２倍以下である平均頂点間距離を備える、項目１８に記載のデバイス。
（項目２０）
前記複数の連続拡張は、少なくとも１ｍｍである曲率半径を伴う湾曲遠位端を備え、前記複数の連続開放領域は、少なくとも１ｍｍである曲率半径を伴う湾曲谷基部を備える、項目１６に記載のデバイス。
（項目２１）
前記第１の起伏のある縁の前記平均振幅は、少なくとも４ｍｍである、項目２に記載のデバイス。
（項目２２）
前記第１の起伏のある縁の前記平均振幅は、２０ｍｍ以下である、項目２１に記載のデバイス。
（項目２３）
前記平均振幅および前記平均頂点間距離の比は、約１／３〜約２の範囲内である、項目２に記載のデバイス。
（項目２４）
前記平均振幅および前記平均頂点間距離の比は、約０．８〜約１．２の範囲内である、項目２３に記載のデバイス。
（項目２５）
前記弾性シートはさらに、第１および第２の縁の間に及ぶ第３の縁と、前記第３の縁から最も遠く、かつ反対にある、前記第１の縁と第２の縁との間に及ぶ第４の縁とを備える、項目１１に記載のデバイス。
（項目２６）
前記弾性シートはさらに、前記第１および第３の縁、前記第１および第４の縁、前記第２および第３の縁、ならびに前記第２および第４の縁の間に丸みを帯びた角を備え、前記丸みを帯びた角の最小曲率半径は、少なくとも５ｍｍである、項目２５に記載のデバイス。
（項目２７）
前記第３の縁は、少なくとも３つの拡張を伴う第３の起伏のある縁を備え、前記第３の起伏のある縁の前記平均頂点間距離は、前記第１の起伏のある縁または第２の起伏のある縁の前記平均頂点間距離とは異なる、項目２５に記載のデバイス。
（項目２８）
前記少なくとも２つの連続拡張はそれぞれ、前記拡張の遠位端より近位に位置する最小拡張幅を伴う頸部と、前記頸部より遠位に位置し、前記最小拡張幅より大きい最大拡張幅を伴う頭部とを備える、項目２に記載のデバイス。
（項目２９）
各頭部は、少なくとも半円形の湾曲区画を備える、項目２８に記載のデバイス。
（項目３０）
各頭部は、少なくとも４分の３円形の湾曲区画を備える、項目２９に記載のデバイス。
（項目３１）
各頭部間の最小間隙は、少なくとも２ｍｍである、項目２８に記載のデバイス。
（項目３２）
各頸部間の最小間隙は、５ｍｍである、項目２８に記載のデバイス。
（項目３３）
前記最小拡張幅は、約１．５ｍｍ〜約５．５ｍｍの範囲内である、項目２８に記載のデバイス。
（項目３４）
前記第１の起伏のある縁の前記平均振幅は、約５ｍｍ〜約１０ｍｍの範囲内である、項目２８に記載のデバイス。
【図面の簡単な説明】
【００４６】
【図１】図１は、閉鎖構成での包帯材および包装アセンブリの変形例の斜視図である。
【図２】図２は、閉鎖位置から約９０度位置でカバーが開放している、図１の包帯材および包装アセンブリの斜視図である。
【図３】図３は、閉鎖位置から約３６０度構成でカバーが開放している、図１の包帯材および包装アセンブリの底面斜視図である。
【図４】図４は、閉鎖位置から約３６０度位置でカバーが開放している、図１の包帯材および包装アセンブリの上面斜視図である。
【図５Ａ】図５Ａは、図３で図示される位置での包帯材および包装アセンブリの概略底面図である。
【図５Ｂ】図５Ｂは、線Ｃ−Ｃに沿った図５Ａの断面図である。
【図５Ｃ】図５Ｃは、線Ｄ−Ｄに沿った図５Ａの断面図である。
【図６】図６は、包帯材および包装アセンブリの変形例を図示する。
【図７】図７は、閉鎖位置から９０度の開放位置でカバーを伴う、包帯材および包装アセンブリの斜視図である。
【図８Ａ】図８Ａは、閉鎖構成から約３６０度位置でカバーが開放している、歪んだ構成での図７の包帯材および包装アセンブリの概略端面図である。
【図８Ｂ】図８Ｂは、図８Ａの区分Ａの拡大図である。
【図８Ｃ】図８Ｃは、図８Ａの区分Ｂの拡大図である。
【図９】図９は、剥離後の図７の包帯材および包装アセンブリの上面斜視図である。
【図１０】図１０は、閉鎖構成での包帯材および包装アセンブリの別の実施例の斜視図である。
【図１１】図１１は、閉鎖構成から約９０度構成でカバーを伴う、図１０の包帯材および包装アセンブリの斜視図である。
【図１２】図１２Ａは、閉鎖構成から約３６０度構成でカバーを伴う、図１０の包帯材および包装アセンブリの上面斜視図である。図１２Ｂは、閉鎖構成から約３６０度構成でカバーを伴う、図１０の包帯材および包装アセンブリの底面斜視図である。
【図１３】図１３は、開放構成での包装デバイスの上面図である。
【図１４】図１４は、開放構成での包装デバイスの分解斜視図である。
【図１５Ａ】図１５Ａは、歪んでいない構成での包帯材および包装アセンブリの変形例の斜視図である。
【図１５Ｂ】図１５Ｂは、歪んだ構成での図１５Ａの包帯材および包装アセンブリの底面斜視図である。
【図１５Ｃ】図１５Ｃは、担体、支持体、またはベースのカバーを除去した後の図１５Ａの包帯材および包装アセンブリの底面斜視図である。
【図１５Ｄ】図１５Ｄは、担体、支持体、またはベースのカバーを除去した後の図１５Ａのデバイスの上面斜視図である。
【図１５Ｅ】図１５Ｅは、担体、支持体、またはベースのカバーを除去した後の図１５Ａのデバイスの上面斜視図である。
【図１５Ｆ】図１５Ｆは、取付シートから分離された後の歪んだ包帯材の斜視図である。
【図１５Ｇ】図１５Ｇは、取付シートを伴う包帯材アセンブリの斜視図である。
【図１５Ｈ】図１５Ｈは、取付シートが剥がされた、図１５Ｇの包帯材アセンブリの斜視図である。
【図１５Ｉ】図１５Ｉは、取付シートが除去された、図１５Ｇの包帯材アセンブリの斜視図である。
【図１５Ｊ】図１５Ｊは、図１５Ｇの取付シートを伴う包帯材アセンブリの断面図である。
【図１６】図１６Ａは、取り外し可能な取付シートを伴う包帯材アセンブリの変形例の斜視図である。図１６Ｂは、取り外し可能な取付シートが剥がされた、図１６Ａの包帯材アセンブリの斜視図である。図１６Ｃは、取付シートが除去された、図１６Ａの包帯材アセンブリの斜視図である。図１６Ｄは、図１６Ａの取付シートを伴う包帯材アセンブリの断面図である。
【図１７】図１７Ａは、取り外し可能な取付シートを伴う包帯材アセンブリの変形例の斜視図である。図１７Ｂは、取り外し可能な取付シートが剥がされた、図１７Ａの包帯材アセンブリの斜視図である。図１７Ｃは、取付シートが除去された、図１７Ａの包帯材アセンブリの斜視図である。図１７Ｄは、図１７Ａの取付シートを伴う包帯材アセンブリの断面図である。
【図１８Ａ】図１８Ａは、歪んでいない構成での包帯材および包装アセンブリの変形例の斜視図である。
【図１８Ｂ】図１８Ｂは、歪んで折曲された構成での図１８Ａのデバイスの上面斜視図である。
【図１８Ｃ】図１８Ｃは、図１８Ｂの歪んで折曲された構成のデバイスの底部側の斜視図である。
【図１８Ｄ】図１８Ｄは、取付シートを着脱している間の歪んで折曲された構成での図１８Ａのデバイスの上面斜視図である。
【図１８Ｅ】図１８Ｅは、包帯材アセンブリの第１の側面が担体から着脱され、カバーが除去された、図１８Ａのデバイスの上面斜視図である。
【図１８Ｆ】図１８Ｆは、包帯材アセンブリが担体から着脱された、図１８Ａのデバイスの上面斜視図である。
【図１８Ｇ】図１８Ｇは、担体が着脱および除去された、図１８Ａのデバイスの上面斜視図である。
【図１８Ｈ】図１８Ｈは、包帯材が取付シートから分離されている、図１８Ａのデバイスの斜視図である。
【図１８Ｉ】図１８Ｉは、包帯材が取付シートから分離されている、図１８Ａのデバイスの斜視図である。
【図１８Ｊ】図１８Ｊは、図１８Ｉのデバイスの側面図である。
【図１９Ａ】図１９Ａは、包帯材および包装アセンブリデバイスの変形例の斜視図である。
【図１９Ｂ】図１９Ｂは、図１９Ａの包帯材アセンブリの歪んでいない構成の上面図である。
【図１９Ｃ】図１９Ｃは、図１９Ｂの包帯材アセンブリの歪んで取り付けられた構成の上面図である。
【図１９Ｄ】図１９Ｄは、図１９Ｂの包帯材アセンブリの歪んで着脱された構成の上面図である。
【図１９Ｅ】図１９Ｅは、図１９Ｂの包帯材の上面図である。
【図２０】図２０Ａは、包帯材担体、支持体、ベース引張デバイス、またはアプリケータの変形例の上面図である。図２０Ｂは、第１の構成での図２０Ａの包帯材担体、支持体、ベース引張デバイス、またはアプリケータの側面図である。図２０Ｃは、第２の構成での図２０Ａの包帯材担体、支持体、ベース引張デバイス、またはアプリケータの側面図である。
【図２１】図２１Ａは、包帯材担体、支持体、ベース引張デバイス、またはアプリケータの変形例の斜視図である。図２１Ｂは、図２１Ａの包帯材担体、支持体、ベース引張デバイス、またはアプリケータの上面図である。図２１Ｃは、図２１Ａの包帯材担体、支持体、ベース引張デバイス、またはアプリケータの側面図である。図２１Ｄは、撓曲構成での図２１Ａの包帯材担体、支持体、ベース引張デバイス、またはアプリケータの上面図である。図２１Ｅは、線Ａ−Ａに沿った図２１Ｄの断面図である。
【図２２】図２２Ａは、歪んでいない構成での包帯材および包装アセンブリの変形例の斜視図である。図２２Ｂは、歪んだ構成での包帯材および包装デバイスの変形例の斜視図である。
【図２３Ａ】図２３Ａは、本明細書の包装デバイスとともに使用され得る、包帯材の代替実施形態の概略上面図である。図２３Ｂは、図２３Ａの包帯材の縁領域の詳細図である。
【図２３Ｂ】図２３Ａは、本明細書の包装デバイスとともに使用され得る、包帯材の代替実施形態の概略上面図である。図２３Ｂは、図２３Ａの包帯材の縁領域の詳細図である。
【図２４Ａ】図２４Ａ−２４Ｆは、包帯材縁領域の種々の代替実施形態を描写する。
【図２４Ｂ】図２４Ａ−２４Ｆは、包帯材縁領域の種々の代替実施形態を描写する。
【図２４Ｃ】図２４Ａ−２４Ｆは、包帯材縁領域の種々の代替実施形態を描写する。
【図２４Ｄ】図２４Ａ−２４Ｆは、包帯材縁領域の種々の代替実施形態を描写する。
【図２４Ｅ】図２４Ａ−２４Ｆは、包帯材縁領域の種々の代替実施形態を描写する。
【図２４Ｆ】図２４Ａ−２４Ｆは、包帯材縁領域の種々の代替実施形態を描写する。
【図２５】図２５は、皮膚の角質層に適用された包帯材の概略断面図を描写する。
【図２６】図２６Ａは、直線外縁がその幅の一部分に沿ってその外縁から始まって皮膚の層に接着された、仮定上の歪んだ包帯材の一部分の上面図を描写する。図２６Ｂは、図２６Ａに示される皮膚の幅を横断して包帯材の外縁から始まる治療ゾーンの一部分に沿った皮膚の層に包帯材によって付与された仮定平均剪断応力の概略グラフを描写する。
【図２７】図２７Ａは、幾何学的特徴を有する変調縁ゾーンが、その幅の一部分に沿ってその最外縁から始まって皮膚の層に接着された、仮定上の歪んだ包帯材の一部分の上面図を描写する。図２７Ｂは、図２７Ａに示される皮膚の幅を横断して包帯材の外縁から始まって治療ゾーンの一部分に沿った皮膚の層に包帯材によって付与された仮定平均剪断応力の概略グラフを描写する。
【発明を実施するための形態】
【００４７】
（詳細な説明）
瘢痕およびケロイドを治療する以前の試行は、外科手術、シリコーン包帯材、ステロイド、Ｘ線照射、および凍結療法を含んでいた。これらの技術のそれぞれに不利点がある。おそらく、最大の不利点は、第１の場合において、これらのうちのいずれも瘢痕またはケロイドの形成を有効に予防または寛解しないことである。すなわち、これらの技法は、主として、既に十分に定着した後に瘢痕を治療するために使用されてきた。
【００４８】
創傷付近の外因性および／または内因性応力の除荷は、瘢痕、肥厚性瘢痕、またはケロイドの形成を寛解させ得る。損傷の機械的環境は、その損傷への組織反応の重要な要因であり得る。この機械的環境は、外因性応力（すなわち、筋肉活動または身体運動を介して創傷に伝達される応力を含む生理的応力）および内因性応力（すなわち、皮膚の腫脹または収縮により創傷で誘導される応力を含む、皮膚自体の物理的性質に由来する皮膚応力）を含む。本明細書で説明されるデバイス、包帯材、キット、および方法は、創傷の機械的環境を含むが、それに限定されない、皮膚の機械的環境を制御または調整し得る。本明細書で説明されるデバイス、包帯材、キット、および方法は、その機械的環境を制御または調整して、瘢痕および／またはケロイド形成を寛解させてもよい。皮膚の機械的環境は、応力、歪み、または応力および歪みの任意の組み合わせを含んでもよい。創傷の機械的環境の制御は、能動的または受動的、（例えば、振動応力を印加することによって）動的、または静的であり得る。創傷に作用する応力および歪みは、外側の角質層、表皮、および真皮等の皮膚の層、ならびに皮下脂肪等の基礎結合組織層を伴ってもよい。本明細書で説明されるデバイスおよび方法は、創傷をその機械的環境から防護してもよい。「防護する」という用語は、創傷が被る応力の除荷、ならびに接触、汚染物質、および同等物に対する物理的障壁を提供することを包含するように意図されている。本明細書で説明されるデバイスおよび方法は、内因性応力および／または外因性応力から創傷および周囲組織を除荷することによって創傷を防護してもよい。したがって、本明細書で説明されるデバイスおよび方法は、創傷および周囲組織が被る応力を健常皮膚および組織が被る応力より低いレベルに低減させ得る。創傷付近の外因性および／または内因性応力の除荷は、瘢痕、肥厚性瘢痕、またはケロイドの形成を寛解させてもよい。
【００４９】
細胞の外部機械的環境は、細胞内部の生物学的反応を誘発し、細胞挙動を変化させ得る。細胞は、細胞の原形質膜中の内在性膜タンパク質であるインテグリンおよび細胞内経路を使用して、それらの機械的環境の変化を感知し、それらに反応することができる。細胞内経路は、細胞膜に付着した受容体および機械力を感知することができる細胞膜によって開始される。例えば、機械力は、サイトカイン、ケモカイン、成長因子、および炎症反応を増加または誘発することができる他の生物活性化合物の分泌を誘導し得る。そのような分泌は、それらを分泌する細胞内で作用し（イントラクリン）、それらを分泌する細胞に対して作用し（オートクリン）、それらを分泌する細胞を包囲する細胞に対して作用し（パラクリン）、または分泌点から距離を置いて作用することができる（エンドクリン）。イントラクリン干渉は、細胞シグナル伝達を改変することができ、その結果として、創傷に対する細胞の動員、創傷における細胞の増殖、および創傷における細胞死を含む、細胞挙動および生物学を改変することができる。加えて、細胞外基質が影響を受け得る。
【００５０】
上で述べたように、創傷治癒プロセスは、早期炎症相、増殖相、および再構築の３段階において特徴付けられ得る。炎症相は、損傷直後に発生し、典型的には、約２日から１週間続く。血液凝固が起こって失血を停止させ、創傷から破片、細菌、および損傷組織を除去することができる細胞を誘引する因子が放出される。加えて、創傷治癒の増殖相を開始するように因子が放出される。約４日から数週間続く増殖相では、線維芽細胞が成長し、コラーゲンおよびプロテオグリカンを分泌することによって新たな細胞外基質を構築する。増殖相の終了時、線維芽細胞はさらに創傷と接触するように作用し得る。再構築相では、ランダムに配向したコラーゲンが皮膚張力線に沿って組織化され、架橋される。もはや必要のない細胞は、アポトーシスを被り得る。再構築相は、損傷後何週間も、または何か月も、あるいは無期限に継続し得る。瘢痕は、典型的には、損傷の約６〜８週間後に健常皮膚の破断強度の約７５〜８０％に達する。一般に、瘢痕は、典型的には、三角形の断面を有する。すなわち、瘢痕は、通常、皮膚表面付近（すなわち、角質層および表皮）では体積が最小であり、より深い真皮層に進行するにつれて体積が増加する。
【００５１】
創傷治癒プロセスに一般的に起こり得る転帰が３つある。第１に、正常瘢痕が生じ得る。第２に、肥厚性瘢痕またはケロイドの形成等の瘢痕形成の病的増加が生じ得る。第３に、創傷が完全には治癒せず、慢性創傷または潰瘍になり得る。本明細書で説明されるデバイス、キット、および方法は、任意の種類の瘢痕の形成を寛解させることができる。加えて、本明細書で説明されるデバイス、キット、および方法は、種々の創傷サイズおよび皮膚の異なる厚さに適合することができ、例えば、デバイスは、身体の異なる領域での使用のために構成されてもよい。加えて、本明細書で説明されるデバイス、キット、および方法は、任意の種類、例えば、身体場所、年齢、人種、または状態の皮膚における瘢痕形成を寛解させるように適合することができる。
【００５２】
いかなる特定の理論にも拘束されることを所望するわけではないが、本発明者らは、創傷治癒プロセスの増殖相の早期に創傷または切開部に対して作用する機械的歪みが、細胞アポトーシスを阻害し得、細胞および基質の有意な蓄積、したがって、増加した瘢痕化または肥厚性瘢痕の産生につながると考えている。過剰な基質形成についての肥厚性瘢痕とケロイドとの根源的類似性に鑑みて、本発明者らは、本明細書で説明されるデバイスおよび方法は、創傷または切開部に対して作用し得る少なくとも多少の歪みを除荷または中和することにより、ケロイドの予防および治療にも有用であり得ると考えている。この引張歪みは、外因性歪みおよび／または内因性歪みであり得、健常無傷皮膚組織において見出される固有引張力からの歪みを含んでもよいが、それに限定されない。
【００５３】
いくつかの創傷包帯材は、創傷包帯材の適用に先立って除去される、裏当て、接着ライナ、および／または包装を有する。多くの既存の包帯材は、配向および適用しにくくあり得、折曲してそれら自体に付着する傾向を有し得る。
【００５４】
本明細書で説明されるデバイス、キット、および方法は、限定ではないが、皮膚部位で、またはその付近で、すなわち、対象の皮膚の創傷または治療部位で、またはそれに隣接した、皮膚組織の表皮およびより深層に制御可能に応力または歪みを付与し、それによって、その皮膚部位の引張または圧縮応力を低減させることによって、創傷部位での瘢痕形成を寛解させることを含み、皮膚部位で皮膚を治療し得る（「皮膚治療デバイス」）。皮膚部位での応力は、健常皮膚および組織が被るレベルより下のレベルに低減させられてもよい。応力または歪みは、１つ、２つ、またはそれを上回る方向で皮膚部位における内因性または外因性応力を低減させるように、１つ、２つ、またはそれを上回る方向で周囲組織に印加されてもよい。したがって、本明細書で説明されるデバイスおよび方法は、対象を治療するために、皮膚および／または創傷ならびに周囲組織が被る応力を低減させてもよい。本デバイスは、創傷裂開の発生の予防または低減を支援してもよい。
【００５５】
本明細書で説明されるデバイス、キット、および方法は、包帯材用の包装および／またはアプリケータを提供してもよい。一変形例によると、包装および／またはアプリケータは、包帯材の迅速または容易な準備および／または適用を提供するように構成される。本明細書のいくつかの実施例は、具体的には、包帯材に事前に歪みを付与するように引張デバイスの役割も果たす包装を指すが、１つ以上の変形例または実施形態による、事前に歪みを付与されない、および／または適用に先立って歪みを付与されない、他の包帯材が提供されてもよい。包装はまた、包帯材を対象の皮膚に位置付ける、および／または適用するために、包装の１つ以上の要素が使用され得る、アプリケータとして動作してもよい。
【００５６】
本明細書で説明されるデバイス、キット、および方法は、包帯材の準備および／または適用のためのものであり得る。そのような準備は、例えば、接着ライナの除去、包帯材に歪みまたは張力を付与すること、適用のために包帯材を配向すること、および／または適用に先立って包帯材の一部分に医薬品または他の材料を適用することを含んでもよいが、それらに限定されない。
【００５７】
裏当て、接着ライナ、または剥離層、および／または他の包装は、多少の構造的安定性を可撓性創傷包帯材に提供してもよい。しかしながら、除去されたとき、可撓性創傷包帯材は、折曲してそれ自体またはユーザに付着し、あるいは創傷を覆う困難な位置付けを別様に提供し得るため、若干使用しにくくあり得る。また、ライナを引くか、または除去し、包帯材を患者に再配向するという行為は、折曲または倒壊する傾向を増加させ得る。さらに、包帯材の折曲または倒壊性により、接着剤除去および後続の再配向中に、ユーザは、創傷部位に適用されるデバイスの一部分の無菌状態を損なう有意な可能性がある。
【００５８】
別の変形例によると、包装またはアプリケータは、包帯材が準備された後、および包帯材が対象に適用されている間に、包帯材のための支持を提供するように構成される。いくつかの変形例によると、裏当ては、接着ライナが剥離される際および／または後に、包帯材の構造的支持または安定性を提供する。いくつかの変形例によると、包帯材および包装は、創傷に対面する位置で再配向されるように、すなわち、創傷デバイスが適用のために準備されたときおよび後の即時的用のために、構成される。いくつかの変形例によると、包装アプリケータは、本デバイスを対象の皮膚に配向および／または適用するために片手で使用されるように構成される。
【００５９】
いくつかの変形例によると、包装包帯材担体、支持体、ベース引張デバイスまたはアプリケータ引張デバイス、および／またはアプリケータは、包帯材を皮膚に適用した後、適用された包帯材を包装および／またはアプリケータから分離するための剥離機構を提供する。変形例によると、例えば、参照することによってその全体で本明細書に組み込まれる、２０１１年７月１７日出願の米国仮出願第６１／５１２，３４０で記載されるように、包帯材は、事前に歪みを付与され、包帯材担体、支持体、ベース引張デバイス、またはアプリケータに連結されてもよい。本明細書で説明される１つ以上の包帯材の剥離が、包帯材担体、支持体、ベース引張デバイス、またはアプリケータとともに使用されてもよい。
【００６０】
いくつかのさらなる変形例では、包帯材、または包帯材の１つ以上の接着剤領域は、包装またはアプリケータを開放することによって、ライナから剥離され、すなわち、分離されてもよい。いくつかの変形例によると、本のような包装は、カバー、および包帯材が取り外し可能に取り付けられるベースを提供される。カバーが開放されるとき、または開放されるにつれて、ライナは、手動で、または自動的に、包帯材の接着剤から剥離されてもよい。変形例によると、ライナは、カバーに取り付けられ、カバーが持ち上げられるか、または開放されたときに包帯材の接着剤側を露出するであろう。ベースは、ライナが除去されている間に、および／または包帯材が対象の皮膚に適用されている間に、構造的支持を包帯材に提供するように構成されてもよい。
【００６１】
いくつかの変形例によると、包装、引張デバイス、包帯材担体、支持体、ベース、またはアプリケータはさらに、包帯材が皮膚に適用されると、それを通して創傷、切開位置、または他の場所が可視化され得る、開口部、窓、あるいは透明または半透明部分を備えてもよい。いくつかの変形例によると、窓は、創傷と包帯材の縁との間に最適または所望の距離があるように、および／または包帯材が皮膚応力を除荷するために最適な場所にあるように、包帯材の適用を誘導する。
【００６２】
いくつかの変形例によると、アプリケータ、引張デバイス、包装または担体、支持体、あるいはベースは、種々の身体場所または輪郭に適用されたときに包帯材が成形されることを可能にするように、多様または可変的な可撓性を提供してもよい。
【００６３】
いくつかの変形例によると、包装またはアプリケータは、より剛性であるか、または包帯材を支持するために少なくとも第１の方向で十分な柱強度を提供する一方で、対象の湾曲または成形した皮膚表面へのより適合する適用を提供するように、あるいはそれが適用される包帯材の湾曲または成形を可能にするように、少なくとも第２の方向で比較的可撓性であり、あまり剛性ではない。第１および第２の方向は、相互と直角である場合もあり、そうではない場合もある。いくつかの変形例によると、包装アプリケータ、引張デバイス、または包帯材担体、支持体、あるいはベースは、包帯材の成形を可能にしながら、十分に剛性であるか、または包帯材を支持する。いくつかの変形例によると、ベースおよび／またはカバーを含み得る担体または支持体は、適用中に包帯材の十分な支持を提供しながら、包装／アプリケータおよび／または包帯材の成形を可能にする可撓性を提供するように、隣接区画に可撓性に連結された比較的剛性の材料の区画を備えてもよい。いくつかの変形例によると、区画は、低密度ポリエチレン（ＬＤＰＥ）材料、または接着剤およびより薄くより可撓性の物質の複合材料等の可撓性材料を介して、隣接区画に連結される。代替として、区画は、切り欠き、スロット、溝、折り目、または他の開口部、あるいは異なる場所での基板の厚さの変動を伴って、基板を製造することによって、構造として形成されてもよい。
【００６４】
包装、アプリケータ、引張デバイス、または包帯材担体は、支持体の面に対して直角である１つの方向で可撓性を提供する一方で、支持体の面に対して直角である別の方向で可撓性を制限する、要素または特徴を有してもよい。いくつかの変形例によると、可撓性要素は、本デバイスが歪みを付与されているときに可撓性を制限し、本デバイスが皮膚に適用されているときに可撓性を可能にしてもよい。要素のそれぞれは、他の要素のうちの１つ以上の要素とは異なる方向で撓曲することを可能にしてもよい。可撓性要素は、所望の適用または配置の場所にしたがって、直線であり得るか、または成形されてもよい。
【００６５】
変形例によると、可撓性要素は、ユーザが歪んだ構成で包帯材を維持することを可能にするために十分な支持を提供する、支持要素と組み合わせて提供される。変形例によると、１つ以上の要素は、歪んだ構成で歪んだ包帯材を維持する、例えば、対象に適用され、担体、支持体、ベース引張デバイス、またはアプリケータから剥離されるまで、歪んだ構成で包帯材を固着する固着要素を維持するように提供されてもよい。例えば、包帯材に歪みを付与した後、包帯材は、担体、支持体、ベース引張デバイス、またはアプリケータ、あるいはアセンブリから剥離されるまで、包帯材、支持体、ベース引張デバイス、またはアプリケータ、あるいは包帯材アセンブリのうちの１つ以上の要素に接着されるか、または取り付けられてもよい。
【００６６】
いくつかの変形例によると、アプリケータはさらに、例えば、デバイスを適用している間またはその後に、支持構造体を使用して圧縮力の印加を可能にすることによって、出血を低減させることに役立つために使用されてもよい。１つ以上の止血剤または凝固性薬剤が、出血を低減させることに役立つように、包帯材に適用され、または別様に包帯材と統合されてもよい。潜在的な薬剤は、キトサン、カルシウム負荷ゼオライト、微小繊維コラーゲン、セルロース、無水硫酸アルミニウム、硝酸銀、カリウムミョウバン、酸化チタン、フィブリノゲン、エピネフリン、アルギン酸カルシウム、ポリ−Ｎ−アセチルグルコサミン、トロンビン、凝固因子（例えば、ＩＩ、ＶＩＩ、ＶＩＩ、Ｘ、ＸＩＩＩ、フォン・ヴィレブランド因子）、凝固促進剤（例えば、没食子酸プロピル）、抗線維素溶解薬（例えば、イプシロンアミノカプロン酸）、および同等物を含む。いくつかの変形例では、薬剤は、凍結乾燥させられ、包帯材に組み込まれ、血液または他の流体との接触時に活性化されてもよい。いくつかのさらなる変形例では、包帯材が対象で使用される前に、活性化剤が包帯材または治療部位に適用されてもよい。なおも他の実施例では、包帯材の適用前に、またはカテーテルあるいは管を介した包帯材への適用後に、別個に、または直接、止血剤が創傷に適用されてもよい。本デバイスはまた、創傷治癒プロセスのいくつかの側面を支援することに有用であり得る、１つ以上の他の活性剤を備えてもよい。例えば、活性剤は、医薬品、タンパク質（例えば、成長因子）、ビタミン（例えば、ビタミンＥ）、またはそれらの組み合わせであってもよい。そのような薬剤のさらなる実施例は、種々の抗生物質（セファロスポリン、バシトラシン、硫酸ポリミキシンＢ、ネオマイシン、ポリスポリンを含むが、それらに限定されない）、消毒剤（ヨウ素溶液、スルファジアジン銀、クロルヘキシジン等）、抗真菌剤（ナイスタチン等）、抗増殖剤（シロリムス、タクロリムス、ゾタロリムス、バイオリムス、パクリタキセル）、成長因子（ＶＥＧＦ等）、および他の治療（例えば、ボツリヌス毒素）を含んでもよいが、それらに限定されない。当然ながら、本デバイスは、１つより多くの薬物または薬剤を備えてもよく、本デバイスは、１つ以上の薬物または薬剤を送達してもよい。
【００６７】
一変形例によると、アプリケータおよび／または包装は、操作することが容易であるように、包帯材の形態を保持するために十分に支持性または剛性であり得る。変形例によると、アプリケータは、無菌適用および／または片手による適用を提供し得るように、包帯材より十分に幅広く、および／または長くあり得、あるいは十分に広い面積を有してもよい。変形例によると、支持構造が包帯材のために提供される。変形例によると、辺縁が、包帯材または包帯材接着剤と支持構造の１つ以上の縁部分との間で、支持構造として提供される。そのような辺縁は、接着剤との不慮のユーザ接触のより高い可能性を余儀なくさせることなく、または生成することなく、包帯材またはその担体、ベース、または支持体を把持または操作するように、支持された縁または領域を提供してもよい。
【００６８】
いくつかの変形例によると、包装またはアプリケータはまた、適用に先立って包帯材に歪みを付与して、瘢痕またはケロイド形成を寛解させるように構成された包帯材を提供するために使用されてもよい。
【００６９】
皮膚または創傷部位での瘢痕および／またはケロイドの形成を寛解させるために使用され得るデバイスが、本明細書で説明される。瘢痕は、任意の種類の瘢痕、例えば、正常瘢痕、肥厚性瘢痕等であり得る。一般に、本デバイスは、創傷付近の皮膚表面に取り外し可能に固着されるように構成されてもよい。本デバイスは、皮膚または創傷を内因性応力および／または外因性応力から防護してもよい。いくつかの変形例では、本デバイス、例えば、皮膚の弾性特性等を改善するデバイス等は、皮膚または創傷に対する外因性応力に影響を及ぼすことなく、内因性応力から皮膚または創傷を防護してもよい。他の変形例では、本デバイスは、創傷に対する内因性応力に影響を及ぼすことなく、外因性応力から皮膚または創傷を防護してもよい。そのような変形例は、筋肉組織および周囲皮膚または創傷組織が、例えば、ボツリヌス毒素または同等物の使用を通して、麻痺させられた状況を含み得る。さらなる他の変形例では、本デバイスは、内因性応力および外因性応力の両方から皮膚または創傷を防護する。
【００７０】
本明細書で説明されるデバイスまたは包帯材は、限定ではないが、皮膚部位のまたはその付近で皮膚組織の表皮およびより深層に制御可能に応力または歪みを付与し、それによって、その皮膚部位の引張または圧縮応力を低減させることによって、創傷部位での瘢痕の形成を寛解させることを含み、皮膚部位で皮膚を治療してもよい。皮膚部位での応力を、健常皮膚および組織が被るレベルより下のレベルに低減させてもよい。応力または歪みは、１つ、２つ、または３つの方向への皮膚部位における内因性または外因性応力を低減させるように、１つ、２つ、または３つの上回る方向で周辺組織に印加されてもよい。包帯材の物理的特徴および／または包帯材を適用する方法はまた、切開部位への歪みの印加から皮膚皮剥または張力水疱形成の速度に耐えるか、または速度を低減させるように、さらに構成されてもよい。例えば、皮膚表面に適用されたときの接着剤領域の伸張は、接着剤領域の下で増加した組織密度をもたらし得る。これは、接着剤領域の緩和に起因する、接着剤領域に直接取り付けられる皮膚組織の略平面、接線、または平行圧縮の結果であり得る。いくつかの実施例では、この組織圧縮は、包帯材の一方の端部が皮膚に接着され、次いで、他方の端部が創傷の反対側の皮膚に取り付けられる前に、創傷にわたって張力を加えられるか、または引っ張られる、包帯材「巻き付け」とは対照的に、接着剤と直接接触している皮膚の組織皮剥および／または水疱形成の危険を低減させ得る。包帯材「巻き付け」は、適用中に包帯材で張力を生成しながら、同時に、第１の接着部位で比較的高い組織歪みを生成し得る。次いで、この高い組織歪みは、高いピーク応力が包帯材下の皮膚に沿って再分散されるため、包帯材が第２の接着部位で皮膚に取り付けられたときに減少する。対照的に、事前に歪みを付与された包帯材が皮膚に適用されたとき、接着剤領域が所望の場所に適用されるため、あったとしてもわずかな歪みしか皮膚に伝達され得ない、または生成され得ない。しかしながら、事前に歪みを付与された包帯材が緩和させられたとき、皮膚の歪み（または、ピーク歪み）は増加され得る。したがって、事前に歪みを付与された包帯材を用いると、一時的な高い組織歪みが、適用手順中に回避されるか、または別様に低減させられ得る。しかしながら、他の変形例では、包帯材はまた、巻き付けることによって、または事前に歪みを付与することと巻き付けことの組み合わせによって、皮膚に適用されてもよい。
【００７１】
包帯材は、弾性材料のシート等の弾性部材を備えてもよい。包帯材の弾性材料は、材料の単一の層、あるいは同一または異なる材料の複数の層を備えてもよい。材料は、中実、発泡体、格子、または織物構成を含む、種々の構成のうちのいずれかを有してもよい。弾性材料は、生体適合性ポリマー、例えば、シリコーン、ポリウレタン、ＴＰＥ（熱可塑性エラストマー）、合成ゴム、またはコポリエステル材料であってもよい。ポリマーシートの厚さは、所望の回復可能な歪みを達成するために十分な負荷容量を伴う包帯材を提供するように、および経時的に望ましくない量の包帯材の漸動変形を防止するように選択されてもよい。いくつかの変形例では、包帯材にわたる厚さは、一様ではなく、例えば、包帯材にわたる厚さは、剛性、負荷容量、あるいは選択された配向および／または場所での回復歪みを変化させるように、変動させられ得る。例示的な包帯材の弾性材料は、約５０ミクロン〜１ｍｍ以上、約１００ミクロン〜約５００ミクロン、約１２０ミクロン〜約３００ミクロン、またはいくつかの変形例では、約２００ミクロン〜約２６０ミクロンの範囲内の厚さを有してもよい。例示的な包帯材は、約５００ミクロン以下、４００ミクロン以下、あるいは約３００ミクロン以下の縁厚を有し、偶発的に衣類または物体に軽く触れられたときに、偶発的持ち上げからの皮膚分離の危険性を呈する可能性が低い。いくつかの変形例では、包帯材は、厚さを低減させるように、縁の付近で先細である。先細縁はまた、包帯材の接着縁に隣接する皮膚組織に作用するピーク張力を緩和し得る。これは、皮膚の水疱形成または他の張力関連皮膚外傷の危険性を低減させる場合もあり、または低減させない場合もある。他の変形例では、包帯材の縁が、包帯材の中央より厚くあり得る。いくつかの構成では、より厚い包帯材縁が、均一な厚さの包帯材と比較して、包帯材縁付近で作用するピーク張力の場所の相対的な内向き偏移を提供し得ることが仮定される。弾性材料は、６０％の工学歪みで、少なくとも０．３５ニュートン／ｍｍの幅あたりの負荷、または４５％の工学歪みで、少なくとも０．２５ニュートン／ｍｍの幅あたりの負荷を有してもよい。弾性材料は、約４５％〜６０％の工学歪みで約２ニュートン／ｍｍと同じくらい、約４５％〜６０％の工学歪みで約１ニュートン／ｍｍ、約４５％〜６０％の工学歪みで約０．７ニュートン／ｍｍ、または約４５％〜６０％の工学歪みで約０．５ニュートン／ｍｍと同じくらいの幅あたりの負荷を有してもよい。システム弾性材料は、０％〜６０％の工学歪みから減少しない幅あたりの負荷、０％〜６０％の工学歪みから直線的に増加する幅あたりの負荷のプロット、または０％〜６０％の工学歪みから凸状ではない幅あたりの負荷のプロットを有してもよい。弾性材料は、約２０％〜３０％の工学歪みまで歪みが付与され、表面に取り付けられたときに、少なくとも８時間にわたって２００ｋＰａ〜約５００ｋＰａの範囲内で実質的に一定の応力を維持するように構成される、接着剤を含んでもよい。弾性材料は、約２０％〜３０％の工学歪みまで歪みが付与され、表面に取り付けられたときに、少なくとも８時間にわたって２００ｋＰａ〜約４００ｋＰａの範囲内で実質的に一定の応力を維持するように構成される、接着剤を含んでもよい。実質的に一定の応力は、少なくとも８時間にわたって１０％未満、または少なくとも８時間にわたって５％未満変動してもよい。
【００７２】
描写された包帯材は、約１６０ｍｍ〜約６０ｍｍの長さおよび／または幅を伴う略長方形の構成を有してもよいが、他の変形例では、包帯材は、種々の長さおよび幅のうちのいずれかを有してもよく、かつ種々の他の形状のうちのいずれかを備えてもよい。また、包帯材の角は、例えば、四角であるか、または丸みを帯びてもよい。例示的な包帯材の長さおよび／または幅は、約５ｍｍ〜約１メートル以上、いくつかの変形例では、約２０ｍｍ〜約５００ｍｍ、他の変形例では、約３０ｍｍ〜約５０ｍｍ、なおも他の変形例では、約５０ｍｍ〜約１００ｍｍの範囲内であってもよい。いくつかの変形例では、包帯材の最小寸法（例えば、厚さ）を除外する、最大寸法（例えば、幅）に対する直交寸法に対する包帯材の最大寸法（例えば、その長さ）の比は、約１：３、約１：２、約１：１、約２：１、約３：１、約４：１、約５：１、約６：１、約７：１、約８：１、約９：１、または約１０：１、あるいはそれを上回る範囲内であってもよい。いくつかの変形例では、使用中の包帯材の歪み軸は、最大寸法に対して、または最大寸法に対する直交寸法に対して、配向されてもよい。いくつかの変形例では、弾性材料によって皮膚に付与される最終圧縮応力および歪みは、皮膚における引張応力と包帯材の弾性材料との間の動的平衡の結果であってもよい。皮膚部位における皮膚は、典型的には、任意の組織が皮膚部位から切除されたかどうかにかかわらず、切開部位を伸張させる固有の張力を備える。包帯材が特定の張力まで伸張させられ、次いで、切開部位に接着されたとき、皮膚表面に対する接線軸に沿って包帯材の直下で組織を圧迫するように、包帯材における引張応力が切開部位に伝達され、皮膚場所に付与される応力および歪みが正味のまたは結果として生じた配向を有し、あるいは配向に対する類似軸、または包帯材における引張応力の軸を伴って、軸もまた、弾性材料および／または皮膚場所の外面に略接線または平面的であるように、弾性材料および接着剤領域は、皮膚場所に適用されるように構成されてもよい。包帯材における張力は、包帯材に隣接する皮膚における増加した張力との平衡を維持する、張力レベルまで弛緩するであろう。皮膚場所への包帯材の適用は、それ自体の上に重複することなく、または巻かれることなく、包帯材の配置を伴ってもよく、例えば、包帯材の隣接領域のみが相互接続され、包帯材の非隣接領域は相互接続されない。皮膚に付与される応力および歪みの実際の量は、例えば、特定の個人、皮膚場所、皮膚層（例えば、表皮、真皮、または下層結合組織）の厚さまたは種々の機械的特性、および／または既存の瘢痕化の程度に応じて、異なり得る。いくつかのさらなる変形例では、創傷治療包帯材は、頭皮、額、頬、首、上背、下背、腹部、胴体の上部（乳房を含むが、それに限定されない）、肩、上腕、前腕、掌部、手背、指、大腿部、下肢、足の甲または底面、および／または足指等の特定の身体場所で使用するために選択または構成されてもよい。適用可能である場合、いくつかの身体領域はさらに、前、後、内側、外側、近位、および／または遠位領域、例えば、腕および脚に線引きされてもよい。
【００７３】
包帯材は、約１０％〜約６０％以上、他の構成では、約１５％〜約５０％、なおも他の構成では、約２０％〜約３０％または約４０％の範囲内の皮膚歪みを付与するように構成されてもよい。所望の程度の皮膚歪みを達成するために、包帯材は、約２０％〜約８０％以上、時として、約３０％〜約６０％、他の場合には、約４０％〜約５０％または約６０％の範囲内の弾性引張歪みを受けるように構成されてもよい。包帯材は、シリコーン、スチレンブロック共重合体、天然ゴム、フルオロエラストマー、ペルフルオロエラストマー、ポリエーテルブロックアミド、熱可塑性エラストマー、熱可塑性ポリウレタン、ポリイソプレン、ポリブタジエン、および同等物を含むが、それらに限定さない、種々の弾性材料のうちのいずれかを含んでもよい。例示的な包帯材の材料は、約２０〜約９０、約３０〜約８０、約５０〜約８０の範囲内のショアＡ硬度を有してもよい。例示的な包帯材は、ＮＵＳＩＬ  ＴＥＣＨＮＯＬＯＧＹ  ＬＬＣ（Ｃａｒｐｉｎｔｅｒｉａ，  ＣＡ）によるＭＥＤ８２−５０１０−０５から構築された。好適な材料の他の実施例は、参照することによってその全体で以前に組み込まれる、米国出願第１１／８８８，９７８号で説明されている。
【００７４】
包帯材が皮膚位置に適用され、少なくとも部分的にその基礎構成に回復させられたとき、包帯材における歪みの回復レベルまたは平衡レベルは、約４％〜約６０％以上、他の構成では、約１５％〜約５０％、なおも他の構成では、約２０％〜約３０％または約４０％の範囲内であってもよい。回復前に包帯材に加えられた最初の工学引張歪みと、皮膚における結果として生じる工学圧縮歪みとの間の比は、皮膚の種類および場所に応じて異なってもよいが、いくつかの実施例では、約２：１であってもよい。他の実施例では、比は、約４：１〜約５：４、約３：１〜約５：３、または約５：２〜約２：１の範囲内であってもよい。これらの皮膚歪み特性は、再現可能な測定を促進するように、身体または身体部分の参照位置、例えば、解剖学的位置に対して判定されてもよい。特定の程度の歪みが、工学歪みまたは真の歪みのいずれかとして特徴付けられてもよいが、他の種類の歪みに基づいて計算される場合もあり、またはされない場合もあり、あるいは他の種類の歪みから変換されてもよい（例えば、歪みは、真の歪みに変換される４５％工学歪みに基づいてもよい）。
【００７５】
いくつかのさらなる変形例では、弾性材料の１つ以上の特性は、材料の応力／歪み曲線上の種々の特徴に対応してもよい。例えば、包帯材の１つの具体的実施例の工学および真の応力／歪み曲線は、約６０％工学歪みで約１．２ＭＰａの工学応力を呈する材料を含むが、他の実施例では、工学応力は、約９００ＫＰａ〜約３．５ＭＰａ、約１ＭＰａ〜約２．２ＭＰａ、約１ＭＰａ〜約２ＭＰａ、約１．１ＭＰａ〜約１．８ＭＰａ、約１．１ＭＰａ〜約１．５ＭＰａ、約１．２ＭＰａ〜約１．４ＭＰａの範囲内であってもよい。包帯材から応力を除荷または軽減するとき、材料は、約４０％工学歪みで約３８０ＫＰａの工学応力を伴って構成されてもよいが、他の実施例では、約４０％歪みまでの材料の除荷中の工学応力は、約３００ＫＰａ〜約７００ＫＰａ、約３２５ＫＰａ〜約６００ＫＰａ、約３５０ＫＰａ〜約５００ＫＰａ、または約３７５ＫＰＡ〜約４２５ＫＰａの範囲内であってもよい。約３０％の工学歪みまで材料を除荷するとき、材料は、約３００ＫＰａの工学応力を呈するが、他の実施例では、約３０％歪みまで材料を除荷するときの工学応力は、約２５０ＫＰａ〜約５００ＫＰａ、約２７５ＫＰａ〜約４５０ＫＰａ、約３００ＫＰａ〜約４００ＫＰａ、または約３２５ＫＰＡ〜約３７５ＫＰａの範囲内であってもよい。約２０％の工学歪みまで除荷するとき、材料は、約１００ＫＰａの工学応力を有してもよいが、他の実施例では、約２０％での除荷工学応力は、約５０ＫＰａ〜約２００ＫＰａ、約７５ＫＰａ〜約１５０ＫＰａ、または約１００ＫＰａ〜約１２５ＫＰａの範囲内であってもよい。いくつかの実施例では、材料は、少なくとも、上記で説明される特定工学歪みレベルのうちのそれぞれにおいて、特定の範囲またはレベルの工学応力を達成するように構成されてもよいが、他の実施例では、材料は、例えば、最大で約３０％または約４０％までのより低いレベルの最大工学歪みのために構成されてもよい。
【００７６】
いくつかの実施例では、応力／歪み曲線のある部分は、特定の幾何学形状を有してもよい。例えば、特定のレベルの最大歪みについては、負荷曲線は、対応する真の応力／歪み曲線上で略直線状であり得る。本明細書で説明される包帯材を使用する実施例では、最大で約４５％の真の歪みまで、負荷曲線は、略直線形構成を有した。他の実施例では、構成は、負荷曲線の一部に沿ってのみ直線状であり得るか、または負荷曲線全体に沿って曲線状であり得る。負荷曲線が非直線状である場合、負荷曲線は、凸状、凹状、または両方であり得る。また、いくつかの実施例では、負荷曲線の接線（すなわち、２つの三角形の間の線）もまた、略共線的であり得る。
【００７７】
いくつかの変形例では、弾性材料は、少なくとも約１ＭＰａ、約１．５ＭＰａ、約２ＭＰａ、約２．５ＭＰａ、約３ＭＰａ、約３．５ＭＰａ、約４ＭＰａ、約５ＭＰａ、約６ＭＰａ、約７ＭＰａ、約８ＭＰａ、約９ＭＰａ、または少なくとも約１０ＭＰａ、あるいはそれを上回る弾性率Ｅを有する材料を含む。材料弾性率Ｅは、約１０ＭＰａ、約９ＭＰａ、約８ＭＰＡ、約７ＭＰａ、約６ＭＰａ、または約５ＭＰａ、または約４ＭＰａと同じくらいであり得る。
【００７８】
上記で説明される、ある歪みレベルでの絶対応力レベルに加えて、材料はまた、ａ）負荷中に特定の歪み達成する応力と、ｂ）除荷中の同一の歪における応力との間の比に対して特徴付けられてもよい。例えば、材料は、２０％、３０％、および４０％歪みレベルのうちのそれぞれにおいて、少なくとも４：１〜約３：２の比を有してもよいが、他の実施例では、材料は、２０％、３０％、または４０％歪みレベルのみで、または４０％ではないが２０％および３０％の両方で、または２０％ではないが３０％および４０％の両方で、これらの比を呈してもよい。他の実施例では、歪みレベルのうちの１つ、いくつか、または全てにおける比は、約３：１〜約２：１、または約５：２〜約２：１の範囲内であってもよい。
【００７９】
いくつかの実施例では、包帯材の弾性材料は、一定の歪みで安定したレベルの応力を達成するように、試験条件下で構成されてもよく、例えば、材料は、特定の期間にわたって特定のレベルの歪みにおいて、限定量の応力緩和を呈する。期間は、少なくとも約８時間、約１２時間、約１８時間、約２４時間、約３６時間、約４８時間、約７２時間、約４日、約５日、約６日、または約１週間、あるいはそれを上回ってもよい。歪みのレベルは、約１０％、約２０％、約３０％、約４０％、約５０％、約６０％、約７０％、または約８０％、あるいはそれを上回ってもよい。種々の時間曲線にわたる例示的な包帯材の応力は、約１時間、約２時間、約３時間、約４時間、約５時間、約６時間、約７時間、または約８時間、あるいはそれを上回る期間にわたって、顕著な逸脱を伴わずに約３０％の工学歪みで約３００ＫＰａの工学応力を維持するように構成されてもよい。１０％歪み、２０％歪み、および４０％での応力は、より低くまたは高くあり得る。
【００８０】
いくつかの変形例では、弾性材料または包帯材は、特定の期間にわたって一定の歪みで保持されたときに特定の最小レベルの応力を維持するように、試験条件下で構成されてもよい。経時的に皮膚への応力および歪みを維持する裏当て材料の能力を評価する実施例では、工学歪みが測定された一方で、各裏当て材料は、毎秒１００ミクロンの速度で６０％まで引張歪みが付与されて１０分間保持され、次いで、毎秒１００ミクロンの速度で３０％の歪みまで低下されて９時間保持された。例えば、例示的な包帯材は、３０％の工学歪みで約３５０ＫＰａの工学応力レベルを維持することができる。いくつかの他の実施例では、最小レベルの応力は、約１００ＫＰａ、約１２０ＫＰａ、約１４０ＫＰａ、約１６０ＫＰａ、約１８０ＫＰａ、約２００ＫＰａ、約２２０ＫＰａ、約２４０ＫＰａ、約２６０ＫＰａ、約２８０ＫＰａ、約３００ＫＰａ、約３２０ＫＰａ、約３４０ＫＰａ、約３６０ＫＰａ、約３８０ＫＰａ、約４００ＫＰａ、約４２０ＫＰａ、約４４０ＫＰａ、約４６０ＫＰａ、約４８０ＫＰａ、約５００ＫＰａ、約６００ＫＰａ、約７００ＫＰａ、約８００ＫＰａ、約９００ＫＰａ、または約１０００ＫＰａ、あるいはそれより大きくてもよい。一定の歪みのレベルは、約１５％、約２０％、約２５％、約３０％、約３５％、約４０％、約４５％、約５０％、約５５％、約６０％、約６５％、約７０％、約７５％、または約８０％のレベルを伴って、他の構成で異なり得る。包帯材が応力レベルを維持することができる期間は、少なくとも約２０００秒、約３０００秒、約４０００秒、約５０００秒、約６０００秒、約７０００秒、約８０００秒、約９０００秒、約１００００秒、約２００００秒、約３００００秒、約４００００秒、約５００００秒、約６００００秒、約７００００秒、約２４時間、約３６時間、約４８時間、約７２時間、約４日、約５日、約６日、約７日、約１０日、約２週間、約１ヶ月、またはそれを上回ってもよい。いくつかの変形例では、包帯材、弾性材料、および／または接着材料は、皮膚表面または試験表面に適用されたときに特定の期間にわたって応力または歪みレベルの約１５％未満の変化を呈するように構成される。他の実施例では、変化の程度は、約１２％、約１０％、約８％、約６％、約５％、約４％、約３％、または約２％、あるいはそれを下回ってもよい。応力または歪みは、工学応力あるいは歪み、および／または真の応力あるいは歪みであってもよい。
【００８１】
使用される接着剤は、例えば、シリコーン、アクリル、スチレンブロック共重合体、ビニルエステル、ニトリル、または他のＰＳＡとしての圧力活性化接着剤（ＰＳＡ）であってもよい。他の変形例では、熱または光硬化接着剤を含むが、それに限定されない、非感圧接着剤が使用されてもよい。感圧接着剤は、例えば、ポリアクリレートベース、ポリイソブチレンベース、シリコーンベースの感圧接着剤、合成ゴム、アクリル、およびポリイソブチレン（ＰＩＢ）、親水コロイド、および同等物から作製されてもよい。接着剤のＴピール剥離力およびブラントプローブタック力が、ＡＳＴＭＤ１８７６およびＡＳＴＭＤ２９７９等の標準化試験方法または他の適切な方法によって測定されてもよい。いくつかの変形例では、接着剤のＴピール剥離力またはブラントプローブタック試験値は、少なくとも約２４時間、約４８時間、約７２時間、約１週間、約２週間、約３週間、約４週間、またはそれを上回って、少なくとも約５０ｍＰａ／ｍｍの負荷を維持するように構成される。他の変形例では、負荷は、特定の期間にわたって、少なくとも約７５ｍＰａ／ｍｍ、約１００ｍＰａ／ｍｍ、約１２５ｍＰａ／ｍｍ、または少なくとも約１５０ｍＰａ／ｍｍであってもよい。（例えば、Ｔピール剥離力またはブラントプローブタック試験値によって測定されるような）接着の程度は、皮膚または切開部位に加えられた歪みの程度に応じて異なってもよく、いくつかの変形例では、これらの期間は、約１０％、約２０％、約３０％、約４０％、または約５０％、あるいはそれを上回る平均皮膚歪みに基づいてもよい。いくつかの変形例では、接着剤は、少なくとも約１５０ｋｇ／ｍ、約１６０ｋｇ／ｍ、約１７０ｋｇ／ｍ、約１８０ｋｇ／ｍ、約１９０ｋｇ／ｍ、約２００ｋｇ／ｍ、約２１０ｋｇ／ｍ、約２２０ｋｇ／ｍ、約２３０ｋｇ／ｍ、約２４０ｋｇ／ｍ、約２５０ｋｇ／ｍ、約２６０ｋｇ／ｍ、約２７０ｋｇ／ｍ、約２８０ｋｇ／ｍ、約２９０ｋｇ／ｍ、約３００ｋｇ／ｍ、約３１０ｋｇ／ｍ、約３２０ｋｇ／ｍ、約３３０ｋｇ／ｍ、約３４０ｋｇ／ｍ、約３５０ｋｇ／ｍ、約４００ｋｇ／ｍ、約４５０ｋｇ／ｍ、または少なくとも約５００ｋｇ／ｍ、あるいはそれより高いＴピール剥離力を有してもよい。いくつかのさらなる変形例では、Ｔピール剥離力は、約１０００ｋｇ／ｍ、約９００ｋｇ／ｍ、約８００ｋｇ／ｍ、約７００ｋｇ／ｍ、約６００ｋｇ／ｍ、約５００ｋｇ／ｍ、約４００ｋｇ／ｍ、または約３００ｋｇ／ｍと同じくらいであってもよい。接着剤のブラントプローブタック試験値は、少なくとも約０．５０ｋｇ、約０．５５ｋｇ、約０．６０ｋｇ、約０．６５ｋｇ、約０．７０ｋｇ、または約０．７５ｋｇ、あるいはそれより高くあり得、かつ約１ｋｇ、約０．９ｋｇ、約０．８ｋｇ、約０．７ｋｇ、または約０．６ｋｇと同じくらいであってもよい。Ｔピール剥離力およびブラントプローブタック力は、ＡＳＴＭＤ１８７６およびＡＳＴＭＤ２９７９等の標準化試験方法または他の適切な方法によって測定されてもよい。本デバイスの他の特徴または変形例は、参照することによってその全体で本明細書に組み込まれる、２００７年８月３日出願の米国出願第１１／８８８，９７８号で説明されている。
【００８２】
剥離ライナは、不透明材料および透明材料の両方を含む、任意の種々の材料を含んでもよい。剥離ライナは、マイラーまたは紙、あるいはデバイスの接着材料への接着力が低減した任意の他の材料を含んでもよい。例えば、シリコーン接着材には、フルオロポリマー処理ポリエステルフィルムが使用されてもよく、アクリル系感圧接着剤には、シリコーン処理ポリエステルまたはマイラーフィルムあるいはシリコーン処理クラフト紙が使用されてもよい。デバイスが多数の別個の接着剤領域を有する変形例において、別個の剥離ライナが各領域に提供されてもよく、またはいくつかの領域が同一の剥離ライナによって被覆されてもよい。
【００８３】
本明細書のデバイスキットまたは方法で使用され得る、包帯材、アプリケータ、または引張デバイスの実施例は、限定ではないが、その開示が参照することによってその全体で本明細書に既に組み込まれている、２０１０年８月１１日出願の米国出願第１２／８５４，８５９号で提供されているものを含んでもよい。
【００８４】
包装アセンブリ、アプリケータ、および／または引張デバイスは、引張構造と、包帯材に剥離可能に取り付けるように構成される第１の取付部分と、包帯材に剥離可能に取り付けるように構成される第２の取付部分とを備えてもよく、引張構造は、第１の取付部分と第２の取付部分との間に分離力を付与して、第１および第２の取付部分に取り付けられた包帯材において歪みを引き起こすように構成されてもよい。弾性包帯材は、包帯材および包装アセンブリの第１および第２の取付部分に剥離可能に取り付けるように構成されてもよく、かつ取付構造を含んでもよく、あるいは包装デバイス、アプリケータ、または引張部材の取付構造と一体であり得る。引張構造はまた、アプリケータデバイスの役割を果たしてもよく、またはユーザが包帯材を対象の皮膚に適用することを可能にするように構成されてもよい。
【００８５】
包装デバイス、包帯材アセンブリ、包帯材担体、支持体、ベース、アプリケータ、張力または歪み付与デバイスの取付構造は、アプリケータ、張力または歪み付与デバイスを包帯材に取り付けるか、または連結するために使用される、任意の構造を備えてもよい。包帯材は、取付特徴または構造を有する場合もあり、またはそうではない場合もある。任意のそのような取付特徴は、包装、アプリケータ包帯材、および／または引張デバイスの任意の取付構造または取付構造に対応する構造と一体であり得るか、またはそれらを含んでもよい。
【００８６】
いくつかの変形例では、アセンブリは、本明細書で説明される分離デバイスおよび方法を含むが、それらに限定されない、包装、アプリケータまたは引張デバイス、他の取付要素、または包帯材アセンブリの他の部分からの包帯材の分離、剥離、除去、または着脱を促進するように構成される、１つ以上の機構または要素を備えてもよい。剥離要素または剥離可能な取付構造は、例えば、ポケットおよびタブ、フックアンドループ機構、フック、角度付きバー、取付構造と関連付けられるか、または連結される、枢動、回転、揺動、または摺動特徴、接着剤、除去可能接着剤、接着テープまたは他の接着デバイス、ペグ、リップコード、タオル掛け構成、摺動ピン、摩擦ロック、カムロック、真空または吸引デバイス、スナップコネクタ、絨毯の留め鋲、圧入接続または他の接続、レバー、ラッチ、係止部材、ばね部材、あるいはカッタまたはリップコード等の他の機構、もしくはアプリケータ、包装、包帯材アセンブリの他の部分、および／または取付構造、特徴、要素、または部分からの包帯材の除去を可能にする、穿孔される取付構造または要素あるいは別様に切断可能な構造の引裂、切断、または分離を促進する他の構造または特徴を含んでもよいが、それらに限定されない。それらは、自己剥離式ラッチまたはばね部材であってもよい。それらは、アプリケータを除去することに先立って、圧力部材が皮膚治療デバイスに適用されたときに作動させられてもよい。それらは、手動で作動させられてもよい。
【００８７】
記述されるように、包装またはアプリケータ、引張デバイスおよび／または歪み付与デバイスは、いくつかの実施形態では、外力を用いて歪みを皮膚治療デバイスに付与するように、および／または皮膚治療デバイスに付与された歪みを維持するように、提供されてもよい。包装、アプリケータ、または引張デバイスは、包帯材に張力を加えるように枢動または回転するように構成されてもよい。いくつかの実施例では、歪み付与デバイスは、単一の所定のまたは事前に設定された歪み、あるいは複数の所定のまたは事前に設定された歪み、もしくは所定の最大または最小量の歪みを付与および／または維持するように構成されてもよい。包装アセンブリ、アプリケータ、または引張デバイスに関して本明細書で説明される特徴はまた、包帯材に歪みを付与するために使用される任意のデバイスで使用されてもよい。歪んでいない構成であるとして説明される包装、アプリケータ、張力付与、または歪み付与デバイスは、包帯材が、包装、アプリケータ、張力付与、または歪み付与デバイスに取り付けられたときに、歪みが付与されないか、または比較的少ない歪が付与され得る構成である。歪んだ構成であるとして本明細書で説明されるアプリケータ、包装、張力付与、または歪み付与デバイスは、包帯材が、包装、アプリケータ、引張または歪み付与デバイスに取り付けられたときに、または対象の皮膚に適用されたときの歪んでいない構成に対して、歪みが付与され、または比較的多くの歪みが付与され得る構成である。
【００８８】
包装デバイス、アプリケータ、引張デバイス、および対応する取付特徴は、多方向歪みまたは包帯材に対して直交方向での付加的な歪みを提供するように構成されてもよい。
【００８９】
包装デバイス、アプリケータ、引張デバイス、および／または取付構造外形は、直線状、曲線状、または別様に多様であり得る。例えば、デバイスの要素の形は、皮膚治療デバイスが取り付けられる対象の身体の領域の形状に追従するように構成されてもよい。包装デバイス、引張デバイス、アプリケータ、またはそれらの要素は、皮膚治療デバイスが対象の皮膚に配置される特定の身体場所または外形のための望ましい外形を有する、外形を有するように選択または構成されてもよい。包装デバイス、アプリケータ、引張デバイス、またはそれらの要素は、対象の身体外形の一部に密接に合致するように選択または構成されてもよい。包装デバイス、アプリケータあるいは引張デバイス、および／またはそれらの要素あるいは区画は、取り付けられた包帯材の代替形状または外形を提供するように、曲線状、湾曲可能、可撓性、屈曲可能、可鍛性、変形可能、成形可能、または移動可能であり得る。それらは、少なくとも１つの方向では比較的曲線状、湾曲可能、可撓性、可鍛性、屈曲可能、変形可能、成形可能、または移動可能であり得る一方で、別の方向ではより剛性である。
【００９０】
歪んでいない、部分的に歪んだ、歪んだ構成を含むが、それらに限定されない、種々の構成で、包装、アプリケータ、または引張デバイスを維持するために、種々の係止、ラッチ、固着、取付、または戻り止め機構が使用されてもよい。歪んでいない、部分的に歪んだ、歪んだ構成を含む、種々の構成で包帯材を維持するために、種々の係止、ラッチ、または戻り止め機構が使用されてもよい。包装、アプリケータ、引張デバイス、または包帯材を歪んだ一で係止することによって、所与の包帯材の所定の歪みが達成されてもよい。歪みの所定量は、治療部位の形および／またはサイズとは無関係である、歪みまたは力のレベルの所定の絶対百分率であり得る。さらなる実施例として、歪みまたは力のレベルのこの絶対百分率は、無縫合創傷閉鎖を達成するための最小歪みまたは力（例えば、治療部位の切開縁の対向配置を達成するための相対的歪みまたは力）とは無関係である場合もあり、そうではない場合もある。さらに、創傷閉鎖を達成するために必要とされる力は、切開縁の対向配置が達成されるまで歪みまたは力の最終レベルが分からないため、所定の歪みまたは力ではない。
【００９１】
図１−５Ｃを参照すると、包帯材および包装アセンブリ１００の変形例が図示されている。包装アセンブリ１００は、本のようなアプリケータおよび／または引張デバイス１２０と、包帯材１３０を含む包帯材アセンブリ１１０と、アプリケータおよび／または引張デバイス１２０から包帯材１３０を剥離するように構成される剥離部１５０とを備える。
【００９２】
包帯材１３０は、第１の表面１３５ａ上に皮膚接着剤１３５の層を備える、１つ以上の接着剤領域を伴う弾性シート１３１を備える。使用される接着剤は、例えば、好適な圧力活性化接着剤（ＰＳＡ）または非感圧接着剤であってもよい。
【００９３】
包装アセンブリ１００、アプリケータまたは引張デバイス１２０、および／または包帯材アセンブリ１１０は、包帯材１３０に事前に歪みを付与する、および／または対象の皮膚への事前に歪みを付与された包帯材１３０の移送を可能にするように構成されてもよい。アプリケータおよび／または引張デバイス１２０はまた、対象の皮膚および／または創傷部位への包帯材１３０の接着剤部分の利便的、迅速、または無菌移送を提供してもよい。
【００９４】
デバイス１２０は、カバー１２１と、ベース１２２とを備える。包帯材アセンブリ１１０は、包帯材担体または支持体の役割を果たし得る、デバイス１２０に取り外し可能に連結または係留される。カバー１２１は、略平面的であり得、その長さに沿って対応する縁１２３ａ、１２４ａを伴う側面１２３、１２４と、対向端における縁１２１ａとを含んでもよい。包帯材担体またはベース１２２は、略平面的であり得、その長さに沿って対応する縁１２５ａ、１２６ａを伴う側面１２５、１２６と、対向端における縁１２２ａとを含んでもよい。
【００９５】
いくつかの変形例によると、カバーおよび／またはベース１２１、１２２、あるいはそれらの要素または区画は、本明細書の変形例に関して説明されるように、対象に適用されるまで、取り付けられた包帯材を支持するために、取り付けられた包帯材に対して十分に強靭または剛性であるか、あるいはあまり可撓性ではないように構築されてもよい。そのような材料は、例えば、プラスチック、例えば、ポリプロピレン、ポリカーボネート、ポリテトラフルオロエチレン（ＰＴＦＥまたはＴＥＦＬＯＮ（登録商標））、ＬＤＰＥ、高密度ポリエチレン（ＨＤＰＥ）、超高分子量ポリエチレン（ＵＨＭＷＰＥ）、ポリ塩化ビニル（ＰＶＣ）、またはアクリル、ナイロン、あるいは板紙を含んでもよい。要素または区画は、板紙の層間に可撓性材料の層、例えば、シリコーン、ポリウレタン、ＬＤＰＥまたはゴム材料を伴う、固体漂白硫酸板紙等の材料の積層であってもよい。材料は、例えば、延性アルミニウムまたはステンレス鋼のような金属であってもよい。金属は、箔、リボン、ワイヤ、または他の形態を含んでもよい。
【００９６】
カバー１２１およびベース１２２は、側面１２３、１２５で移動可能に、ヒンジ連結して、または枢動可能に連結される。例えば、シリコーン、ポリウレタン、低密度ポリエチレン、またはゴム材料等の材料の層は、カバーおよびベースのそれぞれに接着されてもよく、側面１２３、１２５でそれらをともに可撓性に取り付ける。代替的なデバイスおよび方法が、カバー１２１およびベース１２２を連結するために使用されてもよい。例えば、種々の複合構造または積層が使用されてもよい。また、デバイスは、いくつかの選択された領域で可撓性、および他の領域で剛性を提供し、または第１の方向に対して直角であり得る第２の方向で相対または絶対剛性を伴って、第１の方向で相対または絶対可撓性を提供する、単一の基板から構築されてもよい。図１−５Ｃで描写されるカバー１２１およびベース１２２は、略同一のサイズおよび形状を有するが、他の実施例では、カバー１２１およびベース１２２は、異なるサイズおよび／または形状であってもよい。カバー１２１および／またはベース１２２は、屈曲可能、折曲可能、湾曲可能、可撓性、可鍛性、または成形可能であり得、様々な形状または曲率を伴う場所で、比較的均等な配置を可能にする。例えば、図示されるようなカバーおよびベース１２１、１２２はそれぞれ、隣接区画に対して屈曲可能または移動可能である長さに沿って、区画１２７に分割され、その長さに沿ってデバイス１２０の可撓性を可能にする。区画１２７は、横方向または他の方向への撓曲を低減させる、より剛性の材料で構築されてもよい。剛性および／または可撓性の方向が異なる他の構成が使用されてもよい。構成は、所望のレベルの歪みを生成および／または維持するために十分である、包帯材が歪みを付与される方向で剛性を提供するステップを含んでもよい。区画１２７は、エラストマー、例えば、相互と関係して区画をともに可撓性に保持するシリコーン等の材料によって連結されてもよい。他の構造もまた、区画または他の要素を可撓性に連結するために使用されてもよい。カバーおよびベース１２１、１２２を連結または結合する材料は、区画１２７を隣接区画１２７に連結する材料と連続的である場合もあり、そうではない場合もあり、かつカバーおよびベース１２１、１２２の側面の全体または一部分に取り付けられる場合もあり、そうではない場合もある。種々の取り付けられた構造、例えば、区画、および／またはカバーおよびベースならびに連結要素は、ユーザによって操作される包帯材担体のための構造的支持を提供してもよい。構造的支持要素、包帯材担体、または裏当ての少なくとも一部分と包帯材との間の辺縁が、例えば、本明細書でさらに説明されるように、縁１２１ａ、１２３ａ、１２４ａ、１２２ａ、１２５ａ、および／または１２６ａで、またはその付近で提供されてもよい。いくつかのさらなる実施形態では、カバー１２１およびベース１２２を取り付ける材料は、開放または閉鎖構成、あるいはその間の構成に付勢され得る、半剛性構造を備えてもよい。なおも他の変形例では、限定されないが、カバー１２１およびベース１２２は、１つ以上のピンベースのヒンジ継手、カバー１２１およびベース１２２内の穴に取り付けられたリング、または玉継手を含む、種々の関節動作部のうちのいずれかによって取り付けられてもよい。
【００９７】
図５Ａ−５Ｃで例証されるように、パッケージの構造の変形例が示されている。カバー１２１およびベース１２２は、比較的強靭または剛性の要素、例えば、側面１２３、１２５でカバーおよびベース１２１、１２２にも可撓性に連結する、例えば、シリコーン、ポリウレタン、低密度ポリエチレン、またはゴム材料等の材料のシート１２８を介して、それぞれ取り付けられる、バテン１２１ａ、１２１ｂおよびバテン１２２ａ、１２２ｂを備える。区画１２７は、代替的な形状と、区画１２７をともに連結する構造とを有してもよい。したがって、デバイス１２０は、多様な程度で、または複数の方向で屈曲または湾曲するように構築されてもよい。したがって、デバイスは、特定の解剖学的場所で、または様々なサイズとともに使用されるように構築されてもよく、あるいは特定の状況または個人のための形状を有するように構築されてもよい。
【００９８】
いくつかの変形例によると、カバー１２１およびベース１２２のそれぞれは、それを通して創傷、切開、または他の場所が包帯材１３０の正確な配置のために可視化され得る、窓部分１５９を提供する透明プラスチック、半不透明、または他の材料で少なくとも部分的に構築される。カバー１２１およびベース１２２は、同一の材料を含む場合もあり、そうではない場合もある。弾性シート１３１および接着剤層１３５もまた、それらを通して可視化を可能にするために十分透明であり得る。より不透明な材料が、窓１５９の境界を作成するように材料の部分上に提供されてもよい。区画１２７は、包帯材１３０に対する皮膚上の創傷また配置の場所を視認する、位置付ける、および／または中心に置くため、あるいは包帯材の最適または最有効歪みゾーン内に創傷を位置付けるための窓を提供するように、透明または半不透明であり得る。境界または他のマーキングが、創傷または切開を覆う適切な位置で包帯材１３０を配置する際にユーザを支援してもよい。
【００９９】
包帯材アセンブリ１１０の包帯材１３０は、長さを有する第１の側面または縁１３３と、長さを有する第２の側面または縁１３４とを有する。包帯材１３０は、包帯材の側面１３３、１３４の長さに沿って包装アセンブリ１００に連結される。デバイス１２０が閉鎖されたとき、接着剤層１３５は、ベース１２２から外方を向き、カバー１２１の内面１７７に取り付けられる剥離ライナ１４９によって被覆される。包帯材アセンブリ１１０はまた、第１の側面１４３および第２の側面１４４を有する、取付シート１４１も含む。取付シート１４１は、開放されたときに、取付シート１４１を通して歪み付与力を包帯材１３０に付与する、デバイス１２０のカバーに包帯材１３０を連結する。いくつかの変形例によると、取付シート１４１は、可撓性である一方で、包帯材１３０に対して比較的非弾性であり、例えば、低密度ポリエチレンから構築されてもよい。組み立てられたときに、取付シート１４１は、それぞれ、包帯材１３０および取付シート１４１の側面１３４および１４３で、またはその付近で、（例えば、シリコーンＰＳＡ／アクリルＰＳＡの組み合わせを使用して）包帯材の弾性シート１３１に結合される。取付シート１４１は、カバー１２１の長さに沿った取付の線または領域１３７ａを画定する取付点１３７で、その側面１４４においてカバー１２１に連結される。包帯材１３０は、包帯材１３０の第１の側面１３３付近の場所で、ベース１２２の第２の側面１２４に連結される。したがって、弾性シート１３１は、ベース１２２の長さに沿った取付の線または領域１３８ａを画定する取付点１３８で取り付けられる。いくつかの結合方法または接着剤、例えば、アクリル接着剤等の低表面エネルギーＰＳＡが、取付シート１４１をカバー１２１に取り付けるために使用されてもよい。
【０１００】
アセンブリ１００が図１で図示されるように閉鎖構成であり、図２に示されるように９０度開放構成であるとき、弾性シート１３１は、弛緩しているか、または歪んでおらず、弾性シート１３１は歪んでいない幅ｗ１を有する。（例えば、ベース１２２に対してカバー１２１を回転または枢動させることによって）アセンブリ１００が１８０度または最大約３６０まで開放されると、直交距離が取付の線または領域１３７ａ、１３８ａの間で増加する。いくつかの変形例によると、アセンブリは、アセンブリ１００に干渉することなく、包帯材の適用を提供するように、約１８０度（最小角変化）以上まで開放される。デバイス１２０が開放されたとき、取付線または領域１３７ａ、１３８ａ、あるいは対応する取付領域によって画定される、取付領域の間で分離力を付与する。力は、弾性シートに張力を加え、歪みを生成する。包帯材１３０に張力を加え、歪みを付与することにより、取付線または領域１３７ａ、１３８ａの間の幅をｗ２まで増加させる。幅の増加、すなわち、ｗ２−ｗ１は、ｗ１の割合または本明細書で説明されるような歪み率であってもよい。歪みを付与することは、カバー１２１がベース１２２から約９０度開放されたときに始まるものとして例証されるが、包帯材１３０は、歪みを付与することが始まるカバー位置または構成を変動させ得る、いくつかの場所またはいくつかの構成でカバー１２１に取り付けられてもよい。カバー１２１の縁１２４ａまたは側面１２４は、とりわけ、カバー１２１の縁１２４ａへのカバー上の包帯材アセンブリ１１０の取付の点１３８の距離、ならびに包帯材の引張が起こるベース１２２に対するカバー１２１の角度に依存し得る、機械効率を提供するように、レバーアームの役割を果たしてもよい。加えて、カバー１２１への非弾性取付シート１４１の取付の点１３８は、とりわけ、取付シート１４１の長さが同一のままであり、ベース１２２への包帯材アセンブリ１１０の取付の点１３７が同一のままであると仮定して、包帯材に印加された歪みの量を判定してもよい。
【０１０１】
一変形例によると、包帯材１３０は、一方の縁で（例えば、ベース１２２の側面１２６における縁１３４で）実質的に固定されてもよい一方で、反対縁で固定されない（例えば、縁１３３は、ベース１２２の縁１２５ａに対して歪みを付与されたときに移動する）。カバー１２１が開放され、包帯材１３０が歪みを付与されたとき、歪んだ包帯材の幅は、包帯材の領域がベース１２２および／またはカバー１２１の領域を覆って位置する、すなわち、ベース１２２および／またはカバー１２１が包帯材の領域の外側で縁取りするように、ベース１２２および／またはカバー１２１の幅より小さくあり得る。他の変形例によると、包帯材は、両方の縁で固定されてもよい。
【０１０２】
いくつかの変形例によると、包帯材は、皮膚に適用されたときに、デバイス１２０による比較的少ない干渉があるように、デバイス１２０に対して十分大きい。一実施例によると、包帯材の歪んだ部分の幅は、約１０ｍｍ、約２０ｍｍ、約３０ｍｍ、約４０ｍｍ、または約５０ｍｍであってもよい。他の歪んだ寸法が使用されてもよい。他の変形例によると、包帯材１３０の縁１３３、１３４のそれぞれと、それぞれ、ベース１２２の縁１２５ａ、１２６ａ（および／またはカバー１２１の縁１２３ａ、１２４ａ）との間の距離は、約１０ｍｍ、１５ｍｍ、または２０ｍｍと同じくらいである。いくつかの変形例によると、包帯材の縁１３６ａ、１３６ｂとベースの縁１２２ａとの間の距離は、約１０ｍｍ、約１５ｍｍ、または約２０ｍｍと同じくらいである。
【０１０３】
いくつかの変形例によると、包帯材１３０の縁１３３、１３４、１３６ａ、１３６ｂは、包帯材１３０または接着剤層１３５に触れる可能性が低減して、ベース１２２の縁１２５ａ、１２６ａ、および／または１２２ａがユーザによって握持され得るように、ベース１２２の縁１２５ａ、１２６ａ、および／または１２２ａの少なくとも一部分の内向きに少なくとも約１．０ｍｍである。いくつかの変形例によると、包帯材１３０の端部１３６ａ、１３６ｂは、ベース１２２の縁１２２ａの内向きに少なくとも約１．０ｍｍの辺縁を有する。いくつかの変形例によると、包帯材１３０の側面１３３、１３４、および端部１３６ａ、１３６ｂは、それぞれ、ベースの側面１２５、１２６および端部１２２ａから約１０ｍｍの辺縁を有する。いくつかの変形例によると、包帯材１３０の側面１３３、１３４、および端部１３６ａ、１３６ｂは、それぞれ、ベースの側面１２５、１２６および端部１２２ａから約１５ｍｍの辺縁を有する。包帯材１３０の側面１３３、１３４、または端部１３６ａ、１３６ｂと、ベース１２２の側面１２５、１２６および端部１２２ａとの間の辺縁のそれぞれは、異なり得る。図３で図示されるように、例えば、辺縁ｍ１およびｍ２は、約３ｍｍ以上であり、辺縁ｍ３は、約１５ｍｍである。例えば、カバー１２１の縁が、代替として、または加えて、デバイス１２０を把持するか、または包帯材１３０を操作するために使用される場合、類似辺縁が、包帯材１３０と、カバー１２１の縁１２１ａ、１２３ａ、および／または１２４ａとの間に提供されてもよい。次いで、いったんカバー１２１が開放されて接着剤層１３５が露出されると、包帯材１３０の接着剤側が、デバイス１２０を使用して皮膚または創傷部位上に配置されてもよい。図３および４に示されるように、カバー１２１およびベース１２２は、包帯材１３０を適用することに先立って、相互に対して付加的な量で、例えば、閉鎖構成から最大約３６０度まで回転させられてもよい。開放、部分的開放、または閉鎖位置でデバイスを係止または固着するように、係止機構が随意的に提供されてもよい。いくつかの実施例では、係止機構は、磁石、フックアンドループ取付構造、スナップ、ラッチ、クリップ、および同等物を備えてもよい。
【０１０４】
弾性シート１３１の接着剤層１３５は、アプリケータまたは引張デバイス１２０が開放される前に剥離ライナ１４９によって保護される。剥離ライナ１４９は、カバー１２１が図２に示されるように開放され、（弾性シート１３１に歪みを付与することに先立って）ベース１２２から分離されたときに、剥離ライナ１４９が弾性シート１３１から引き離され、接着剤層１３５を露出するように、カバー１２１の内面１７７に取り付けられるか、または接着される。代替として、図６に示されるように、剥離ライナ１４９ａは、カバー１２１に取り付けられていない接着剤層１３５上に提供されてもよい。デバイス１２０が開放されたとき、包帯材１３０に歪みを付与することに先立って、剥離ライナ１４９ａは、接着剤層１３５を露出するように弾性シート１３１から手動で除去されてもよい。
【０１０５】
包帯材１３０が歪みを付与され、ライナ１４９または１４９ａが剥離された後、包帯材１３０は、対象の皮膚上の所望の場所に適用されてもよい。窓１５９は、適正な配置を可視化するために使用されてもよい。ユーザは、弾性シート１３１上の接着剤を活性化するように、および／または圧縮を損傷に印加するように、圧力をデバイス１２０の裏面１２９に印加してもよい。代替として、カバー１２１が３６０度まで回転させられた場合、圧力がカバー１２１の内側１７７に印加されてもよい。いったん対象に適用されると、弾性シート１３１は、剥離構造または機構１５０を使用して、包装、アプリケータ、または引張デバイス１２０から剥離されてもよい。
【０１０６】
剥離機構１５０は、弾性シート１３１の反対側１３３、１３４にそれぞれ位置付けられる、カッタ１５１を備えてもよい。各カッタ１５１は、反対端１５７上の１つまたは複数の対向プルタブ１５６まで延在する脚１５４、１５５を伴って、一方の端部１５３の上にブレード１５２を備える。ブレード１５２は、略Ｖ字形であり得るか、または別様に成形され得る、鋭い表面を備える。ブレードは、例えば、ステンレス鋼、セラミック、または硬質プラスックで構築されてもよい。ブレード１５２およびプルタブ１５６はそれぞれ、それぞれ、弾性シート１３１の端部１３６ａ、１３６ｂ、およびベース１２２の端部１２２ａまで延在する。カッタ１５１は、包帯材アセンブリ１１０を切断して包帯材１３０を剥離するように、それに沿ってブレード１５２がタブ１５６によって引かれる、一般的切断経路１６２、１６３（図５Ａで最も良く描写される）を画定する様式で、包帯材アセンブリ１１０に取り付けられる。いくつかの変形例では、包帯材は、剥離機構による分離を促進するように、切り目を入れられ、穿孔され、または別様に構成されてもよい。
【０１０７】
図５Ｂおよび５Ｃで最も良く示されるように、それぞれ、カッタ１５１の脚１５４、１５５を受容および誘導するための管１６４、１６５は、弾性シート１３１の側面１３３に沿って位置付けられる。管１６４、１６５は、切断経路１６２が管１６４と管１６５との間にあるように位置付けられてもよい。管１６５は、切断経路１６２より側面１３３に近い場所で、弾性シート１３１の接着剤表面１３５に連結される、例えば、接着される。管１６４は、切断経路１６２より側面１３３に近い場所で、同様に弾性シート１３１にも連結される取付シート１４１を介して、弾性シート１３１の裏面１３９に連結される。管１６４は、側面１３３に対して切断経路１６２の内向きに延在する、取付シート１４１の自由端１４５に連結される。したがって、管１６４は、切断経路１６２の内側で弾性シート１３１に取り付けられることなく、切断経路１６２の内側に位置付けられてもよい。これは、包帯材１３０が、管１６４および取付シート１４１とともにカッタ１５１を含む、包装アセンブリ１００の残りの部分から剥離されることを可能にする。保護部材１７０が、管１６５の最上部に取り付けられ、例えば、接着される。保護部材１７０は、接着剤層１３５が対象の皮膚上に位置付けられ、カッタ１５１が作動させられたときに、皮膚がブレード１５２から保護されるように、切断経路１６２にわたって延在するレッジ１７１を含む。
【０１０８】
それぞれ、脚１５４、１５５を受容および誘導するための管１７４、１７５は、弾性シート１３１の側面１３４に沿って位置付けられる。管１７４、１７５は、切断経路１６３が管１７４と管１７５との間にあるように位置付けられる。管１７５は、切断経路１６３より弾性シート１３１の側面１３４に近い場所で、弾性シート１３１の接着剤表面１３５に連結され、例えば、接着される。管１７４は、拡張シート１４６を介して、弾性シート１３１の裏面１３９に連結される。管１７４は、側面に対して切断経路１６３の内向きに延在する、拡張シート１４６の自由端１４７に連結される。管１７４はまた、切断経路１６３より側面１３４に近い場所で、弾性シート１３１に連結される。したがって、管１７４は、切断経路１６３の内側で弾性シート１３１に取り付けられることなく、切断経路１６３の内側に位置付けられてもよい。これは、包帯材１３０が、管１７５および拡張シート１４６とともにカッタ１５１を含む、包装アセンブリ１００の残りの部分から剥離されることを可能にする。保護部材１７０が、管１７５の最上部に取り付けられ、例えば、接着される。保護部材１７０は、接着剤層１３５が対象の皮膚上に位置付けられ、カッタ１５１が作動させられたときに、皮膚がブレード１５２から保護されるように、切断経路１６３にわたって延在するレッジ１７１を含む。
【０１０９】
管１６４、１６５、１７４、１７５の内側は、潤滑材料で、例えば、Ｋａｐｔｏｎテープでコーティングされてもよい。誘導脚１５４、１５５が、例えば、ＨＤＰＥまたはＵＨＭＷＰＥ等の低摩擦材料で構築されてもよいため、脚１５４、１５５は、包装アセンブリ１００の残りの部分からの包帯材１３０の円滑な切断を可能にするように、管１６４、１６５、１７４、１７５の中で容易に摺動してもよい。
【０１１０】
包帯材１３０が歪みを付与され、接着剤１３５が露出されたとき、対象の皮膚に向かった接着剤側１３５を伴って、包帯材１３０が適用されてもよい。次いで、弾性シートの側面１３３は、切断経路１６２を横断してブレード１５２を引き寄せるようにタブ１４６を引くことによって、アプリケータから剥離されてもよい。また、次いで、弾性シートの側面１３４は、切断経路１６３を横断してブレード１５２を引き寄せるようにタブ１４６を引くことによって、アプリケータから剥離されてもよい。したがって、弾性シート１３１は、（剥離部１５０を含む）包装１００から剥離される。
【０１１１】
図７−９を参照すると、包帯材および包装アセンブリ２００の別の変形例が図示されている。包装アセンブリ２００は、アプリケータおよび／または引張デバイス２２０と、包帯材２３０を含む包帯材アセンブリ２１０とを備える。包帯材２３０は、皮膚接着剤２３５の層を備える、１つ以上の接着剤領域を伴う弾性シート２３１を備える。使用される接着剤は、例えば、好適な圧力活性化接着剤（ＰＳＡ）または非感圧接着剤であってもよい。
【０１１２】
包装アセンブリ２００、アプリケータまたは引張デバイス２２０、および／または包帯材アセンブリ２１０は、包帯材２３０に事前に歪みを付与する、および／または対象の皮膚への事前に歪みを付与された包帯材２３０の移送を可能にするように構成されてもよい。アプリケータおよび／または引張デバイス２２０はまた、対象の皮膚および／または創傷部位への包帯材の接着剤部分の利便的な無菌移送を提供してもよい。
【０１１３】
デバイス２２０は、カバー２２１と、ベース２２２とを備えてもよい。包帯材アセンブリ２１０は、デバイス２２０に取り外し可能に連結または係留され、包帯材担体としての機能を果たしてもよい。カバー２２１は、略平面的であり得、その長さを画定する、対応する縁２２３ａ、２２４ａを伴う側面２２３、２２４と、対向端における縁２２１ａとを含んでもよい。ベース２２２は、略平面的であり得、その長さを画定する、対応する縁２２５ａおよび２２６ａを伴う側面２２５、２２６と、対向端における縁２２２ａとを含んでもよい。
【０１１４】
いくつかの変形例によると、カバーおよび／またはベース２２１、２２２、あるいはそれらの要素または区画は、本明細書の変形例に関して説明されるように、対象に適用されるまで、取り付けられた包帯材を支持するために、取り付けられた包帯材に対して十分に強靭または剛性であるか、あるいはあまり可撓性ではないように構築されてもよい。そのような材料は、例えば、プラスチック、例えば、ポリプロピレン、ポリカーボネート、ＰＴＦＥ、ＬＤＰＥ、ＨＤＰＥ、ＵＨＭＷＰＥ、ＰＶＣ、またはアクリル、ナイロン、あるいは板紙を含んでもよい。要素または区画は、板紙の層間に可撓性材料の層、例えば、シリコーン、ポリウレタン、低密度ポリエチレン、またはゴム材料を伴う、固体漂白硫酸板紙等の材料の積層であってもよい。材料は、例えば、延性アルミニウムまたはステンレス鋼のような金属であってもよい。金属は、箔、リボン、ワイヤ、または他の形態を含んでもよい。適用または引張デバイス１００について説明されるような他の変形例も、デバイス２００に適用されてもよい。
【０１１５】
カバーおよびベース２２１および２２２は、本明細書のカバーおよびベース１２１、１２２に関して説明される様式と同様に、側面２２３、２２５で移動可能に、枢動可能に、屈曲可能に、またはヒンジ連結して、連結されてもよく、かつ本明細書のカバーおよびベース１２１、１２２と同様に構築されてもよく、とりわけ、区画２２７が区画１２７に類似し、包帯材１３０がデバイス１２０に取り付けられる様式と同様に、包帯材２３０がデバイス２２０に取り付けられ、デバイスによって歪みを付与される。
【０１１６】
種々の取り付けられた構造、例えば、区画、および／またはカバーおよびベースならびに連結要素は、ユーザによって操作される包帯材担体のための構造的支持を提供してもよい。構造的支持要素、包帯材担体、または裏当ての少なくとも一部分と、歪んだ、または歪んでいない包帯材との間の辺縁が、例えば、本明細書の図３に示される辺縁ｍ１、ｍ２、ｍ３等の縁２２１ａ、２２３ａ、２２４ａ、２２２ａ、２２５ａ、および／または２２６ａで、またはその付近で提供されてもよい。
【０１１７】
いくつかの変形例によると、カバー２２１およびベース２２２のそれぞれは、それを通して創傷、切開、または他の場所が包帯材２３０の正確な配置のために可視化され得る、窓部分２５９を提供する透明プラスチック、半不透明、または他の材料で少なくとも部分的に構築される。カバー２２１およびベース２２２は、同一の材料を含む場合もあり、そうではない場合もある。弾性シート２３１および接着剤層２３５もまた、それらを通して可視化を可能にするために十分透明であり得る。より不透明な材料が、窓の境界を作成するように材料の部分上に提供されてもよい。区画２２７は、包帯材２３０に対する皮膚上の創傷また配置の場所を視認する、位置付ける、および／または中心に置くため、あるいは包帯材の最適または最有効歪みゾーン内に創傷を位置付けるための窓を提供するように、透明または半不透明であり得る。境界または他のマーキングが、創傷または切開を覆う適切な位置で包帯材を配置する際にユーザを支援してもよい。
【０１１８】
包帯材アセンブリ２１０はまた、本明細書でさらに詳細に説明されるように、取付シート２４１と、取付シート２５１と、プルタブ２４６を備える包帯材剥離構造または機構２５０を含む。包帯材アセンブリ２１０の包帯材２３０は、長さを有する第１の側面２３３と、長さを有する第２の側面２３４とを有する。デバイス２２０が閉鎖されたとき、接着剤層２３５は、ベース２２２から外方を向き、カバー２２１の内面２７７に取り付けられる剥離ライナ２４９によって被覆される。
【０１１９】
取付シート２４１は、第１の側面２４３と、第２の側面２４４とを有する。取付シート２４１は、包帯材２３０の第２の側面２３４の付近で、包帯材２３０をデバイス２２０のカバー２２１に連結する。カバー２２１は、開放されたときに、取付シート２４１を通して歪み付与力を包帯材２３０に付与する。取付シート２４１は、例えば、アクリル接着剤等の低表面エネルギーＰＳＡを用いて結合することによって、取付線または領域２３７ａとして提供され得る取付点２３７で、その側面２４４においてカバー２２１に連結される。組み立てられたときに、取付シート２４１は、例えば、シリコーンＰＳＡ／アクリルＰＳＡの組み合わせを使用して、取付シート２４１の側面２４３で、またはその付近で、取付シート２４１の区分２６５において包帯材２３０の弾性シート２３１に結合される。取付シート２５１は、第１の側面２５３と、第２の側面２５４とを有する。取付シート２５１は、包帯材２３０の第１の側面２３３付近で、包帯材２３０をデバイス２２０のベース２２２に連結する。取付シート２５１は、例えば、アクリル接着剤等の低表面エネルギーＰＳＡを用いて結合することによって、取付線または領域２３８ａを画定する取付点２３８で、その側面２５４においてベース２２２に連結される。組み立てられたときに、取付シート２５１は、例えば、シリコーンＰＳＡ／アクリルＰＳＡの組み合わせを使用して、取付シート２５１の側面２５３で、またはその付近で、取付シート２５１の区分２６５において包帯材の弾性シート２３１に結合される。
【０１２０】
包帯材２３０は、弾性シート２３１が、それぞれ、取付シート２４１、２５１から遊離している、その側面２３３、２３４で、取り付けられていない部分または縁２５５を有する。したがって、包帯材２３０は、取り付けられていない部分２５５で歪みを付与されていない。プルタブ２４６は、それぞれ、デバイス２２０の端部２８１、２８２に連結される。各プルタブ２４６は、最上区分２４７と、底区分２４８とを備える。底区分２４８が、図示されるようにベース２２２またはカバー２２１に取り付けられる一方で、最上区分２４７は、包帯材２３０に隣接するが、それに取り付けられていない。
【０１２１】
いくつかの変形例によると、取付シート２４１、２４５は、可撓性である一方で、包帯材２３０に対して比較的非弾性的であり、例えば、低密度ポリエチレンから構築されてもよい。取付シート２４１、２４５は、他の方向で、具体的には、取付シート２４１の材料の引張方向（包帯材が張力、応力、または歪みを付与される方向）で、引張強度を提供しながら、材料長に沿って引裂可能であるように製造されてもよい。そのような材料の実施例は、指向的に付勢された粒子を作成し、それによって、材料が粒子の方向で引裂可能であるが、粒子に対して直角な方向で引裂に対して相対的抵抗を有する、押出プロセスによって生成されるＬＤＰＥポリマーである。プルタブ２４６は、線２６２に沿って完成させられる、取付シート２４１または２５１内の切り込みで引裂を開始してもよい。取付シート２４１、２５１は、加えて、または代替として、線２６２に沿って形成された穿孔を伴うＬＤＰＥ等の材料を含んでもよい。
【０１２２】
本明細書のアセンブリ１００と同様に、アセンブリ２００が閉鎖構成にあり、図７に示されるように９０度開放構成であるとき、弾性シート２３１は、弛緩しているか、または歪んでおらず、弾性シート２３１は歪んでいない幅ｗ３を有する。（例えば、ベース２２２に対してカバー２２１を回転または枢動させることによって）アセンブリ２００が１８０度または最大約３６０まで開放されると、直交距離が取付の線または領域２３７ａ、２３８ａの間で増加する。デバイス２２０が開放されたとき、取付線または領域２３７ａ、２３８ａ、あるいは対応する取付領域によって画定される、取付領域の間で分離力を付与する。力は、弾性シート２３１に張力を加え、歪みを生成する。包帯材２３０に張力を加え、歪みを付与することにより、取付線または領域２３７ａ、２３８ａの間の幅をｗ４まで増加させる。幅の増加（すなわち、幅ｗ４−幅ｗ３）は、ｗ３の割合または本明細書で説明されるような歪み率であってもよい。歪みを付与することは、カバー２２１がベース２２２から約９０度開放されたときに始まるものとして例証されるが、包帯材２３０は、歪みを付与することが始まるカバー２２２の位置または構成を変動させ得る、いくつかの場所またはいくつかの構成でカバー２２１に取り付けられてもよい。
【０１２３】
図８−８Ｂに示されるように、カバー２２１およびベース２２２は、包帯材２３０を適用することに先立って、相互に対して付加的な量で、例えば、閉鎖構成から最大約３６０度まで回転させられてもよい。いくつかの変形例によると、アセンブリは、アセンブリに干渉することなく、包帯材の適用を提供するように、約１８０度（最小角変化）以上まで開放される。
【０１２４】
次いで、いったんカバー２２１が開放されて接着剤層２３５が露出されると、包帯材２３０の接着剤側が、デバイス２２０を使用して皮膚または創傷部位上に配置されてもよい。カバー２２１およびベース２２２は、包帯２３０の適用に先立って、相互に対して、例えば、閉鎖構成から最大約３６０度まで回転されてもよい。包帯材２３０が歪み始めるカバー２２１の配向は、例えば、カバー２２１への包帯材アセンブリ２１０の取付場所を変動させることによって、変動させられてもよい。開放、部分的開放、または閉鎖位置でデバイスを係止または固着するように、係止機構が随意的に提供されてもよい。いくつかの実施例では、係止機構は、磁石、フックアンドループ取付構造、スナップ、ラッチ、クリップ、および同等物を備えてもよい。
【０１２５】
弾性シート２３１の接着剤層２３５は、アプリケータまたは引張デバイス２２０が開放される前に剥離ライナ２４９によって保護される。剥離ライナ２４９は、カバー２２１が開放され、（弾性シート２３１に歪みを付与することに先立って）ベース２２２から分離されたときに、剥離ライナ２４９が弾性シート２３１から引き離され、接着剤層２３５を事前に露出するように、カバー２２１の内面２７７に取り付けられる。代替として、図６に示されるように、剥離ライナ１４９ａは、カバー２２１に取り付けられていない接着剤層２３５上に提供されてもよい。デバイス２２０が開放されたとき、歪みを付与することに先立って、剥離ライナ１４９ａは、接着剤層２３５を露出するように弾性シート２３１から手動で除去されてもよい。
【０１２６】
ライナ２４９または１４９ａが剥離され、包帯材２３１が歪みを付与された後、包帯材２３０は、対象の皮膚上の所望の場所に適用されてもよい。窓は、適正な配置を可視化するために使用されてもよい。ユーザは、包帯材２３１上の接着剤を活性化するように、および／または圧縮を損傷に印加するように、圧力をデバイス２２０の裏面２２９に印加してもよい。カバー２２１が３６０度まで回転させられた場合、圧力がカバー２２１の内側２７７に印加されてもよい。いったん対象に適用されると、包帯材２３０は、剥離機構２５０を使用して、アプリケータまたは引張デバイス２２０から剥離されてもよい。
【０１２７】
剥離機構２５０のプルタブ２４６はそれぞれ、弾性シート２３１の端部２３６ａまで延在する。各剥離プルタブ２４６は、デバイスから包帯材２３０を分離するように、それに沿ってタブ２４６が引かれる、引裂経路２６２を画定する様式で、包帯材アセンブリ１１０に取り付けられる。経路２６２に沿って引き裂くことを促進する、切り込みまたは穿孔が取付シート２４１、２５１に作製されてもよい。
【０１２８】
包帯材２３０は、対象に適用される。次いで、包帯材２３０は、取付シート２４１、２５１の経路２６２を横断してタブ２４６を引き寄せるようにタブ２４６を引くことによって、デバイス２２０から剥離されてもよい。それによって、プルタブ２４６に結合されている取付シート２４１、２５１の区分２４５は、取付シートから分離され、それによって、それぞれ、カバー２２１およびベース２２２に取り付けられている取付シート２４１および２５１の残りの部分から、包帯材２３０に取り付けられている取付シートの区分２６５を分離する。したがって、包帯材２３０は、図９に示されるように包装１００の残りの部分から剥離される。取付シート２４１、２５１の区分２６５は、図９に示されるようにシリコーンシート２３１の裏面２３９上にとどまってもよい。弾性包帯材２３０の取り付けられていない区分２４５は、歪んでおらず、接着剤層２３５の接着剤から遊離し得る（またはその上に低減した量の接着剤を有してもよい）。したがって、より少ない応力が、区分２４５によって画定される、取り付けられていない側面または縁で生じる。
【０１２９】
図１０−１２Ｂを参照すると、包帯材および包装アセンブリ３００が図示されている。包装アセンブリ３００は、包装デバイスアプリケータ３２０と、包帯材３３０を含む包帯材アセンブリ３１０とを備える。
【０１３０】
包装デバイスまたはアプリケータ３２０は、対象の皮膚への包帯材３３０の移送を可能にするように構成され、また、対象の皮膚および／または創傷部位への皮膚治療デバイスの接着剤部分の利便的、迅速、または無菌移送を提供してもよい。
【０１３１】
包装デバイスまたはアプリケータ３２０は、カバー３２１と、包帯材アセンブリ３１０が取り外し可能に連結されるか、または係留される、底部要素、包帯材担体、またはベース３２２とを備える。カバー３２１は、略平面的であり得、その長さを画定する、対応する縁３２３ａ、３２４ａを伴う側面３２３、３２４と、対向端における縁３２１ａとを含んでもよい。ベース３２２は、略平面的であり得、その長さを画定する、対応する縁３２５ａ、３２６ａを伴う側面３２５、３２６と、対向端における縁３２２ａとを含んでもよい。
【０１３２】
いくつかの変形例によると、カバー３２１およびベース３２２は、例えば、取り付けられた包帯材３３０に対して、比較的非可撓性の材料で部分的に構築される。そのような材料は、例えば、カバー１２１およびベース１２２を参照して本明細書で説明されるように、プラスチック、板紙または材料の積層、あるいは金属を含んでもよい。カバーまたはベースは、例えば、本明細書の図１−２２Ｂに示される種々のアプリケータ、引張デバイス、または包帯材担体に関して説明されるような様式で構築されてもよい。カバー３２１およびベース３２２は、同一の材料を含む場合もあり、そうではない場合もある。
【０１３３】
カバー３２１およびベース３２２は、移動可能に、枢動可能に、屈曲可能に、またはヒンジ連結して、側面３２３、３２５で連結され、カバー１２１およびベース１２２に関して本明細書で説明される様式と同様に別様に構築される。包装デバイスまたはアプリケータ３２０は、窓１５９、２５９の使用に関して本明細書で説明される様式と同様に、それを通して創傷、切開、または他の場所が包帯材３３０の正確な配置のために可視化され得る、窓部分３５９を含んでもよい。
【０１３４】
アセンブリ３００は、皮膚包帯材デバイス３３０を伴う包帯材アセンブリ３１０を含んで構築される。包帯材アセンブリ３１０はまた、図１−２２Ｂを参照して本明細書で説明される種々の剥離および除去構造等の剥離デバイスであり得る、包帯材剥離構造または機構３５０も含む。包帯材３３０は、弾性包帯、ガーゼ型包帯、親水コロイドを含むが、それらに限定されない、種々の包帯材材料を含んでもよい。種々の構造、例えば、区画、および／またはカバーおよびベースならびに連結要素は、ユーザによって操作される包帯材担体のための構造的支持を提供してもよい。構造的支持要素、包帯材担体、または裏当ての少なくとも一部分と包帯材との間の辺縁が、例えば、本明細書でさらに説明されるように、縁３２１ａ、３２３ａ、３２４ａ、３２２ａ、３２５ａ、および／または３２６ａで、またはその付近で提供されてもよい。
【０１３５】
包装デバイスまたはアプリケータ３２０と組み立てられたとき、包帯材３３０は、ベースに連結される。その第１の側面３３３に隣接する包帯材３３０の長さは、その側面３２４および剥離部３５０の外面に隣接して、ベース３２２の長さに結合される。また、その第２の側面３３４に隣接する包帯材３３０の長さは、その側面３２５および剥離部３５０の外面に隣接して、ベース３２２の長さに連結される。包帯材３３０の側面３３３、３３４をベース３２２に取り付けるために、シート１４１、１４６、または２４１、２５１に類似する取付シートが使用されてもよい。接着剤層３３５は、アプリケータ３２０が開放されたときにカバー３２１およびベース３２２から外方を向く。
【０１３６】
変形例によると、包帯材３３０は、皮膚に適用されたときに、デバイス３２０による比較的少ない干渉があるように、デバイス３２０に対して十分大きい。一実施例によると、包帯材の歪んだ部分の幅は、約２０ｍｍ、約３０ｍｍ、約４０ｍｍ、または約５０ｍｍであってもよい。他の変形例によると、包帯材３３０の縁３３３ａ、３３４ａのそれぞれと、それぞれ、ベース３２２の縁３２５ａ、３２６ａ（および／またはカバー３２１の縁３２３ａ、３２４ａ）との間の距離は、約１０ｍｍ、１５ｍｍ、または２０ｍｍと同じくらいである。変形例によると、包帯材の縁３３６ａ、３３６ｂとベースの縁３２２ａとの間の距離は、約１０ｍｍ、約１５ｍｍ、または約２０ｍｍと同じくらいである。
【０１３７】
いくつかの変形例によると、包帯材３３０の縁３３３、３３４、３３６ａ、３３６ｂは、包帯材３３０または接着剤層３３５に触れる可能性が低減して、ベース３２２の縁３２５ａ、３２６ａ、および／または３２２ａがユーザによって握持され得るように、ベース３２２の縁３２５ａ、３２６ａ、および／または３２２ａの少なくとも一部分の内向きに少なくとも約３ｍｍである。いくつかの変形例によると、包帯材１３０の端部３３６ａ、３３６ｂは、ベース３２２の縁３２２ａの内向きに少なくとも約３ｍｍの辺縁を有する。いくつかの変形例によると、包帯材３３０の側面３３３、３３４、および端部３３６ａ、３３６ｂは、それぞれ、ベースの側面３２５、３２６および端部３２２ａから約１０ｍｍの辺縁を有する。いくつかの変形例によると、包帯材３３０の側面３３３、３３４、および端部３３６ａ、３３６ｂは、それぞれ、ベースの側面３２５、３２６および端部３２２ａから約１５ｍｍの辺縁を有する。包帯材３３０の縁３３３、３３４、または端部３３６ａ、３３６ｂと、ベース３２２の側面３２５、３２６および端部３２２ａとの間の辺縁のそれぞれは、異なり得る。図３で図示されるように、例えば、辺縁ｍ１およびｍ２は、約３ｍｍ以上であり、辺縁ｍ３は、約１５ｍｍである。類似辺縁が、包帯材３３０と、ベース３２２の縁３２２ａ、３２５ａ、および／または３２６ａとの間に提供されてもよい。例えば、カバー３２１の縁が、代替として、または加えて、デバイス３２０を把持するか、または包帯材３３０を操作するために使用される場合、類似辺縁が、包帯材３３０と、カバー３２１の縁３２１ａ、３２３ａ、および／または３２４ａとの間に提供されてもよい。
【０１３８】
包帯材３３０上の接着剤層３３５は、包装デバイスまたはアプリケータ３２０が開放される前に剥離ライナ３４９によって保護されてもよい。剥離ライナ３４９は、カバー３２１が開放されるか、またはベース３２２から分離されたときに、剥離ライナ３４９が包帯材３３０から引き離され、接着剤層３３５を露出するように、カバー３２１の内面３７７に取り付けられてもよい。剥離ライナ３４９はまた、適用に先立って包帯材を保護または被覆する、保護ライナであってもよい。例えば、ライナは、物質または薬剤あるいは他の作用物質が適用される、包帯材を被覆してもよい。１つ以上の止血剤または凝固性薬剤が、出血を低減させることに役立つように、包帯材に適用され、または別様に包帯材と統合されてもよい。潜在的な薬剤は、キトサン、カルシウム負荷ゼオライト、微小繊維コラーゲン、セルロース、無水硫酸アルミニウム、硝酸銀、カリウムミョウバン、酸化チタン、フィブリノゲン、エピネフリン、アルギン酸カルシウム、ポリ−Ｎ−アセチルグルコサミン、トロンビン、凝固因子（例えば、ＩＩ、ＶＩＩ、ＶＩＩ、Ｘ、ＸＩＩＩ、フォン・ヴィレブランド因子）、凝固促進剤（例えば、没食子酸プロピル）、抗線維素溶解薬（例えば、イプシロンアミノカプロン酸）、および同等物を含む。いくつかの変形例では、薬剤は、凍結乾燥させられ、包帯材に組み込まれ、血液または他の流体との接触時に活性化されてもよい。いくつかのさらなる変形例では、包帯材が対象で使用される前に、活性化剤が包帯材または治療部位に適用されてもよい。なおも他の実施例では、包帯材の適用前に、またはカテーテルあるいは管を介した包帯材への適用後に、別個に、または直接、止血剤が創傷に適用されてもよい。本デバイスはまた、創傷治癒プロセスのいくつかの側面を支援することに有用であり得る、好適な薬剤である１つ以上の他の薬剤を備えてもよい。例えば、活性剤は、医薬品、タンパク質（例えば、成長因子）、ビタミン（例えば、ビタミンＥ）、またはそれらの組み合わせであってもよい。当然ながら、本デバイスは、１つ以上の医薬品または薬剤を含んでもよく、デバイスは、１つ以上の医薬品または薬剤を送達してもよい。そのような薬剤の実施例は、種々の抗生物質（セファロスポリン、バシトラシン、硫酸ポリミキシンＢ、ネオマイシン、ポリスポリンを含むが、それらに限定されない）、消毒剤（ヨウ素溶液、スルファジアジン銀、クロルヘキシジン等）、抗真菌剤（ナイスタチン等）、抗増殖剤（シロリムス、タクロリムス、ゾタロリムス、バイオリムス、パクリタキセル）、成長因子（ＶＥＧＦ等）、および他の治療（例えば、ボツリヌス毒素）を含んでもよいが、それらに限定されない。カバー３２１は、いくつかの様式で引き離され、または分離されてもよい。カバー３２１は、本のカバーのように開放されてもよい。本明細書のデバイス１２０および２２０、４２０、５２０、６２０、７２０、８２０、９２０、１０２０と同様に、要素３２１、３２２は、剥離ライナ３４９を分離するために十分に、かつ最大約３６０度まで回転させられてもよく、包装デバイスまたはアプリケータ３２０を使用して、包帯材３３０の露出した接着剤側３３５が皮膚または創傷部位上に配置されることを可能にする。いくつかの変形例によると、アセンブリ３００は、アセンブリ３００に干渉することなく、包帯材の適用を提供するように、約１８０度（最小角変化）以上まで開放される。代替として、例えば、カバー３２１は、接着剤によってベース３２２に取り付けられてもよく、かつ包帯材３３０または包帯材３３０が連結されるベース３２２から剥がされてもよい。カバー３２１自体は、ベース３２２から剥がされ得る、可撤性または分離可能な剥離ライナであってもよい。代替として、図６に示されるように、剥離ライナ１４９ａは、カバー３２１に取り付けられていない接着剤層３３５上に提供されてもよい。本デバイスが開放されたとき、剥離ライナ１４９ａは、接着剤層３３５を露出するように、包帯材３３０から手動で除去されてもよい。そのような場合、カバー３２１は省略されてもよい。デバイス３００が図１１または１２Ａおよび１２Ｂに示されるような位置まで開放された後、包帯材３３０が対象の皮膚上の所望の場所に適用されてもよい。窓３５９は、適正な配置を可視化するために使用されてもよい。開放、部分的開放、または閉鎖位置でデバイスを係止または固着するように、係止機構が随意的に提供されてもよい。いくつかの実施例では、係止機構は、磁石、フックアンドループ取付構造、スナップ、ラッチ、クリップ、および同等物、ならびに接着剤、または接着構造を備えてもよい。圧縮力が、約３６０度回転させられた場合、ベース３２２の裏面３７８またはカバーの内側３７７に印加されてもよい。いったん対象に印加されると、包帯材３３０は、剥離機構３５０を使用して、包装デバイスまたはアプリケータ３２０から剥離されてもよい。剥離機構３５０は、例えば、本明細書のデバイス１５０および２５０に関して説明されるように、切断要素または穿孔要素を含んでもよい。剥離機構はさらに、本明細書で説明され、図１−２２Ｂに示される、１つ以上の剥離要素を含んでもよい。
【０１３９】
図１３は、デバイス１２０、２２０、または３２０、５２０、６２０、７２０、８２０、９２０、１０２０、１１２０、１２２０のデバイス要素または特徴に代用され得る、デバイス要素または特徴を含む、本明細書の実施形態のうちのいずれかで使用され得る、代替的な包装またはアプリケータ４２０を図示する。図１３は、ナイロンおよび／またはポリエチレンあるいは金属等の材料から単一の基板で構築される、カバー４２１、および包帯材担体またはベース４２２を図示する。デバイス４２０は、単一の金型から製造されてもよく、および／または基板から切り取られた部分、スロット、溝、折り目、または他の開口部、あるいは異なる場所での基板の厚さの変動を有してもよい。カバー４２１およびベース４２２はそれぞれ、区画４２７等の要素を形成するスロット４２８を備える。スロット４２８は、デバイス４２０の撓曲を可能にし、取り付けられた包帯材が適用される対象の身体の輪郭にそれが一致することを可能にする。カバー４２１およびベース４２２は、基板に形成される接続特徴４２９を介して、相互に連結される。カバー４２１およびベース４２２は、コネクタ特徴４２９、したがって、相互に対するカバー４２１およびベース４２２の撓曲または移動を可能にするように、接続特徴４２９に隣接して形成されるスロット４３０により、ヒンジ連結して、または枢動可能に、相互に対して移動可能である。デバイス１００に関して記述されるように、他の変形例では、スロット４３０は、カバー４２１およびベース４２２に対して低減した厚さを提供する、溝または他の構造を備えてもよい。デバイス４２０は、本明細書の図１Ａ−２２Ｂに関して説明されるように、剥離機構を含んでもよい。デバイス４２０は、本明細書の図１Ａ−２２Ｂを参照して説明されるデバイスと同様に使用されてもよく、かつ本明細書の図１Ａ−２２Ｂを参照して説明されるデバイスに関して説明されるものと同様に包帯材を取り付けてもよい。
【０１４０】
種々の構造、例えば、区画、および／またはカバーおよびベース、ならびに連結要素、スロット、および溝は、ユーザによって操作される包帯材担体のための構造的支持ならびに可撓性を提供してもよい。構造的支持要素、包帯材担体、または裏当ての少なくとも一部分と、取り付けられた包帯材との間の辺縁が、例えば、本明細書でさらに説明されるように、縁４２１ａ、４２３ａ、４２４ａ、４２２ａ、４２５ａ、および／または４２６ａで、またはその付近で提供されてもよい。
【０１４１】
図１４は、図１Ａ−２２Ｂを参照して説明されるデバイスのうちのいずれかで使用され得る、代替的な包装またはアプリケータデバイス５２０を図示する。カバー部分５２１および包帯材担体またはベース部分５２２は、積層構造５３０で構築されてもよい。積層構造５３０の第１の層５３１は、カバー５２１およびベース５２２のそれぞれを横断して横方向に形成されたスロット５２８を有する、板紙、またはプラスチック材料あるいは金属等の他の支持材料を含む。スロット５２８は、デバイス５２０の区画５２７の撓曲を可能にし、取り付けられた包帯材が適用される対象の身体の輪郭にそれが一致することを可能にする、区画５２７を形成する。第１の層５３１はさらに、第１の層５３１に形成された、カバー５２１とベース５２２との間の横方向スロット５２９を備える。第１の層５３１はさらに、デバイス５２０の組立で使用され、カバー５２１およびベース５２２がスロット５２９によって分離され、もはや第１の層５３１によって接続されなくなるように、組立後に除去される、開口部を伴うタブ５４０を備える。積層の第２の層５３２は、ＰＳＡアクリル、ゴム、またはシリコーン接着剤等の接着材料を含む。第２の層５３２は、厚さ約０．００１〜０．００６である場合もあり、そうではない場合もある。材料の可撓性ストリップ５３４は、スロット５２９を覆い、カバー５２１およびベース５２２を接続して、デバイス５２０の長さに沿って位置付けられる。カバー５２１およびベース５２２は、相互に対するカバー５２１およびベース５２２の撓曲または移動を可能にするように、スロット５２９を覆う材料のストリップ５３４を介して、可撓性に、およびヒンジ連結して、または枢動可能に連結され、相互に対して移動可能である。可撓性ストリップ５３４は、第１の層５３１と略類似の輪郭を有し得、かつ区画５２７を含むデバイス５２０の構造をともに保持する、紙またはプラスチック等の薄い材料を含む、第３の層５３３に、接着剤５３５を用いて取り付けられる。
【０１４２】
デバイス５２０は、剥離機構、包帯材取付を含んでもよく、本明細書の図１Ａ−２２Ｂに関して説明されるデバイスおよびアセンブリと同様に使用されてもよい。
【０１４３】
種々の構造、例えば、区画、接着構造、積層の層、および／またはカバーおよびベース、ならびに連結要素、スロット、および溝は、ユーザによって操作を促進される包帯材担体のための構造的支持ならびに可撓性を提供してもよい。構造的支持要素、包帯材担体、または裏当ての少なくとも一部分と、取り付けられた包帯材との間の辺縁が、例えば、本明細書でさらに説明されるように、縁５２１ａ、５２３ａ、５２４ａ、５２２ａ、５２５ａ、および／または５２６ａで、またはその付近で提供されてもよい。
【０１４４】
図１５Ａ−１５Ｊを参照すると、包帯材および包装アセンブリ６００の変形例が図示されている。包装アセンブリ６００は、アプリケータおよび／または引張デバイス６２０と、包帯材６３０を含む包帯材アセンブリ６１０とを備える。包帯材６３０は、本明細書で説明されるような皮膚接着剤の層を備える、１つ以上の接着剤領域を伴う弾性シート６３１を備える。
【０１４５】
図１５Ａ−１５Ｊの特徴は、図１Ａ−２２Ｂに示されるデバイスおよびアセンブリのデバイス要素または特徴に代用され得る、デバイス要素または特徴を含む、本明細書の変形例のうちのいずれかで使用されてもよい。
【０１４６】
包装アセンブリ６００アプリケータ、引張デバイス６２０、および／または包帯材アセンブリ６１０は、包帯材６３０に事前に歪みを付与する、および／または対象の皮膚への事前に歪みを付与された包帯材６３０の移送を可能にするように構成されてもよい。アプリケータまたは引張デバイス６２０はまた、対象の皮膚および／または創傷部位への包帯材の接着剤部分の利便的な無菌移送を提供してもよい。
【０１４７】
デバイス６２０は、カバー６２１と、ベース６２２とを備える。包帯材アセンブリ６１０は、包帯材担体の役割を果たし得る、デバイス６２０に取り外し可能に連結または係留される。カバー６２１は、略平面的であり得、その長さに画定する、対応する縁６２３ａおよび６２４ａを伴う側面６２３、６２４と、対向端における縁６２１ａとを含んでもよい。ベース６２２は、略平面的であり得、その長さを画定する、対応する縁６２５ａ、６２６ａを伴う側面６２５、６２６と、対向端における縁６２２ａとを含んでもよい。
【０１４８】
いくつかの変形例によると、カバー６２１および／またはベース６２２、あるいはそれらの要素または区画は、本明細書の変形例に関して説明されるように、対象に適用されるまで、取り付けられた包帯材を支持するために、取り付けられた包帯材に対して十分に強靭または剛性であるか、あるいはあまり可撓性ではないように構築されてもよい。アプリケータまたは引張デバイス６２０、包帯材６３０、および包装６００の材料および構造は、本明細書の変形例で説明され、図１Ａ−２２Ｂに示される包装アセンブリおよび／または包帯材に類似し得る。
【０１４９】
カバー６２１およびベース６２２は、側面６２３、６２４で移動可能に、枢動可能に、屈曲可能に、またはヒンジ連結して、連結されてもよい。例えば、シリコーン、ポリウレタン、低密度ポリエチレン、またはゴム材料等の材料６２７の層は、カバーおよびベースのそれぞれに接着されてもよく、側面６２３、６２５でそれらをともに可撓性に取り付ける。デバイス６２０は、本明細書の他のデバイスに関して説明され、図１Ａ−２２Ｂに示されるものと同様に構築されてもよく、材料、区画化、強度および可撓性、可視化、歪み付与機構、および剥離ライナを含むが、それらに限定されないものに関して本明細書で説明される様式と同様に構築されてもよい。
【０１５０】
包帯材アセンブリ６１０はまた、取付シート６４１と、取付シート６５１とを含む。取付シート６４１は、ポリイミドフィルムまたはテープ（例えば、ＤｕＰｏｎｔＴＭによるＫＡＰＴＯＮ（登録商標））または貼り直せる接着剤等の接着構造６７０を介して、包帯材の第２の側面６３４に取り付けられる、第１の側面６４３を有する。本明細書の接着構造は、繰り返しの皮膚接触後に低皮膚外傷を提供するように構成される、ＫＡＰＴＯＮ（登録商標）テープまたは貼り直せる接着剤、あるいはシリコーン接着剤、シリコーンゲル、またはアクリル接着剤等の材料で作製された軟質皮膚接着剤を含んでもよいが、それらに限定されない。接着構造またはＫＡＰＴＯＮ（登録商標）テープはまた、取付シートが相互から分離されたときに歪みを包帯材に付与するように、取り付けシートに付着することができる一方で、選択された包帯材材料から剥がすことができる、材料を含んでもよい。
【０１５１】
図１５Ｊに示されるように、取付シート６４１および包帯材の側面６３４は、取付シート６４１が包帯材６３１に重複するが、それに取り付けられていない状態で、接着構造６７０の同一の側面６７１上で取り付けられてもよい。
【０１５２】
取付シート６４１は、例えば、アクリル接着剤等の低表面エネルギーＰＳＡを用いて結合することによって、デバイス６２０のカバー６２１に連結される、第２の側面６４４を有する。取付シート６４１はまた、接着構造６７０へのその取付とカバー６２１へのその取付との間に折り目または穿孔６８１を有してもよい。包帯材に歪みが付与された後、穿孔６８１は、カバー６２１とベース６２２との間の継ぎ目に、またはカバー６２１の内面を覆って位置する。
【０１５３】
取付シート６５１は、例えば、アクリル接着剤等の低表面エネルギーＰＳＡを用いて結合することによって、その側面６５４でベース６２２の裏面６９８に連結されてもよい。取付シート６５１の側面６５３は、ＫＡＰＴＯＮ（登録商標）テープまたは貼り直せる接着剤等の接着構造６８０を介して、および包帯材６３０の側面６５４を取付シート６４１に取り付ける接着構造６７０と同様に、包帯材の側面６３３に取り付けられてもよい。取付シート６５１は、ベース６５２の裏への取付シート６５１の取付ゾーン６５５に隣接して、かつその内側で、ベースの裏面６９８上に位置する、プルタブ６８８を含んでもよい。
【０１５４】
カバー６２１は、開放されたとき、取付シート６４１を通して歪み付与力を包帯材６３０に付与する。
【０１５５】
いくつかの変形例によると、取付シート６４１、６５１は、可撓性である一方で、包帯材６３０に対して比較的非弾性であり、例えば、低密度ポリエチレンから構築されてもよい。取付シート６４１、６５１は、他の方向で、具体的には、取付シート６４１の材料の引張方向（包帯材が張力、応力、または歪みを付与される方向）で、引張強度を提供しながら、材料長に沿って引裂可能であるように製造されてもよい。そのような材料の実施例は、異方性または指向的に付勢された粒子を作成し、それによって、材料が粒子の方向で引裂可能であるが、粒子に対して直角な方向で引裂に対して相対的抵抗を有する、押出プロセスによって生成されるＬＤＰＥポリマーである。
【０１５６】
図１５Ａは、歪んでいない構成でアセンブリ６００を示す。接着テープ６８３が、ベース６２２の内面６９４で露出される。包帯材６３０の弾性シート６３１上の皮膚接着剤層は、アプリケータまたは引張デバイス６２０が開放される前に、本明細書の剥離ライナ１４９ａに類似する剥離ライナによって保護されてもよい。
【０１５７】
図１５Ｂは、開放して歪んだ構成でアセンブリ６００を示す。図１５Ｂに示されるように、歪みを付与されたとき、取付シート上の穿孔６８１は、それぞれ、カバー６２１およびベース６２２の縁６２３ａおよび６２５ａと整合させられる。取付シート６４１の一部分６４１ａは、部分６４１ａをベース６２２に取り付け、歪んだ構成で包帯材６３０を保持する、接着テープ６８３と界面接触する。剥離ライナ６４５が、カバー６２１への取付と穿孔６８１との間で取付シート６４１の下面に取り付けられる。ライナ６４５は、カバー６２１に界面接触する取付シート６４１の部分が、接着テープ６８３に付着することを防止する。
【０１５８】
カバー６２１およびベース６２２は、例えば、カバー６２１をベース６２２に連結する層６２７内の穿孔６８２を介して、および穿孔６８１に沿ったシート６４１の分離によって、相互から分離可能であり得る。図１５Ｃは、カバー６２１がベース６２２から分離された、アセンブリ６００を示す。歪みを付与された包帯材６３０は、アプリケータとしてベース６２２を使用して、対象の皮膚に適用されてもよい。
【０１５９】
図１５Ｄは、包帯材６３０を対象の皮膚に向かって適用する位置でベース６２２の裏面６９８を図示する。示されるように、取付シート６５１の縁６５４は、ベース６２２の内側６９４から、それが取り付けられる裏面６９８まで、巻き付けられてもよい。引裂ストリップが、取り付けられた縁と取り付けられていない中間区分との間の取付シート６５１に取り付けられてもよい。プルタブ６８８または引裂ストリップは、図１５Ｅに示されるように、包帯材アセンブリの残りの部分からベース６２２を着脱するように引かれてもよい。タブ６８８が引かれた後、取付シート６５１の取り付けられていない部分６５１ａは、ベース６２２から剥離される。ベースが除去された後、取付シート６４１、６５１の残りの部分は、包帯材６３０からＫＡＰＴＯＮ（登録商標）テープを剥がすことによって除去されてもよい。図１５Ｆは、包帯材アセンブリの残りの部分の除去後の包帯材６３０を示す。
【０１６０】
図１５Ｇ−１５Ｊは、ＫＡＰＴＯＮ（登録商標）テープまたは接着構造６７０、６８０、および取付シート６４１、６５１が包帯材６３０から除去される際の包帯材アセンブリ６１０の構成を図示する。図１５Ｇおよび１５Ｊは、包帯材６３０の内側から包帯材６３０の側面６３３、６３４に向かった方向へ、または包帯材の歪みの方向へ剥がされる際のＫＡＰＴＯＮ（登録商標）テープまたは接着構造６７０、６８０の配向を示す。図１５Ｈは、包帯材の側面６３３を横断して包帯材の内側から剥がされた第１の構造６７０を示す。図１５Ｉは、包帯材６３０から除去された第１の接着構造６７０を示す。第２の接着構造６８０は、類似様式で除去されてもよい。
【０１６１】
図１６Ａ−１６Ｄは、図１５Ａ−１５Ｊに関して説明される様式と同様に、包帯材アセンブリ７１０がアプリケータまたは引張デバイスから分離される構成で、代替的な包帯材アセンブリ７１０を図示する。図１６Ａは、取付シート７４１、７５１を包帯材７３０に取り付けるために使用される、ＫＡＰＴＯＮ（登録商標）テープまたは貼り直せる接着構造をそれぞれ備える、第１の接着構造７７０および第２の接着構造７８０を図示する。図１６Ａに示されるように、接着構造７７０、７８０の取り付けられていない端部は、包帯材７３０から離れて配向される。図１６Ｂに示されるように、第２の接着構造７８０は、内向きに剥がされ、図１６Ｃでは、除去されている。
【０１６２】
図１７Ａ−１７Ｄは、図１５Ａ−１５Ｊに関して説明される様式と同様に、包帯材アセンブリ８１０がアプリケータまたは引張デバイスから分離される構成で、代替的な包帯材アセンブリ構成を図示する。図１７Ｄは、それぞれ、取付シート８４１、８５１を包帯材８３０に取り付けるために使用される、ＫＡＰＴＯＮ（登録商標）テープまたは貼り直せる接着構造をそれぞれ備える、第１の接着構造８７０および第２の接着構造８８０を図示する。図１７Ａおよび１７Ｄに示されるように、接着構造８７０、８８０は、接着長８９１を伴って包帯材８３０に取り付けられる。付加的な長さ８９２が、接着長８９１に１８０度巻き付けられる。付加的な長さ８９２は、容易なアクセスおよび除去のために包帯材８３０まで延在する、端部８９３を有する。図１７Ｂに示されるように、第１の接着構造８７０は、図１７Ｃにさらに示されるように、包帯材８３０から取付構造８４１、８５１および接着構造８７０を除去するように、歪みの方向と部分的に垂直である方向へ、端部８９３を使用して引かれてもよい。
【０１６３】
図１８Ａ−１８Ｉは、包帯材および包装アセンブリ９００の変形例を図示する。包装アセンブリ９００は、アプリケータおよび／または引張デバイス９２０と、包帯材９３０を含む包帯材アセンブリ９１０とを備える。デバイス９２０は、カバー９２１と、ベース９２２とを備えてもよい。包帯材アセンブリ９１０は、包帯材担体の役割を果たし得る、デバイス９２０に取り外し可能に連結または係留される。カバー９２１は、略平面的であり得、その長さを画定する、対応する縁９２３ａおよび９２４ａを伴う側面９２３、９２４と、対向端における縁９２１ａとを含んでもよい。ベース９２２は、略平面的であり得、その長さを画定する、対応する縁９２５ａおよび９２６ａを伴う側面９２５、９２６と、対向端における縁９２２ａとを含んでもよい。
【０１６４】
包帯材アセンブリ９１０はまた、取付シート９４１と、取付シート９５１とを含む。取付シート９４１は、ＫＡＰＴＯＮ（登録商標）テープまたは貼り直せる接着剤等の接着構造９７０を介して、包帯材の第２の側面９３４に取り付けられる、第１の側面９４３を有する。明細書の接着構造は、繰り返しの皮膚接触後に低皮膚外傷を提供するように構成される、ＫＡＰＴＯＮ（登録商標）テープまたは貼り直せる接着剤、あるいはシリコーン接着剤、シリコーンゲル、またはアクリル接着剤等の材料で作製された軟質皮膚接着剤を含んでもよいが、それらに限定されない。接着構造またはＫＡＰＴＯＮ（登録商標）テープはまた、取付シートが相互から分離されたときに歪みを包帯材に付与するように、取り付けシートに付着することができる一方で、選択された包帯材材料から剥がすことができる、材料も含む。
【０１６５】
図１８Ｊに示されるように、取付シート９４１および包帯材の側面９３４は、取付シート９４１が包帯材９３１に重複するが、それに取り付けられていない状態で、接着構造９７０の同一の側面９７１上で取り付けられる。取付シート９４１は、例えば、アクリル接着剤等の低表面エネルギーＰＳＡを用いて結合することによって、デバイス９２０のカバー９２１に連結される、第２の側面９４４を有する。取付シート９４１はまた、接着構造９７０へのその取付とカバー９２１へのその取付との間の取り付けられていない領域中にプルタブ９８１を有してもよい。包帯材に歪みが付与された後、穿孔プルタブ９８１は、カバー９２１の内面９６０に、または代替として、カバー９２１とベース９２２との間の継ぎ目に位置する。
【０１６６】
取付シート９５１は、例えば、アクリル接着剤等の低表面エネルギーＰＳＡを用いて結合することによって、その側面９５４でベース９２２の裏面９９８に連結される。取付シート９５１の側面９５３は、ＫＡＰＴＯＮ（登録商標）テープまたは貼り直せる接着剤等の接着構造９８０を介して、および包帯材９３０の側面９４４を取付シート９４１に取り付ける接着構造９７０と同様に、包帯材９３０の側面９３３に取り付けられてもよい。取付シート９５１は、ベース９５２の裏への取付シート９５１の取付ゾーン９５５に隣接して、かつその内側で、ベースの裏面９９８上に位置する、プルタブ９８８を含んでもよい。
【０１６７】
いくつかの変形例によると、取付シート９４１、９５１は、可撓性である一方で、包帯材９３０に対して比較的非弾性であり、例えば、ＬＤＰＥから構築されてもよい。取付シート９４１、９５１は、他の方向で、具体的には、取付シート９４１の材料の引張方向（包帯材が張力、応力、または歪みを付与される方向）で、引張強度を提供しながら、材料長に沿って引裂可能であるように製造されてもよい。そのような材料の実施例は、異方性または指向的に付勢された粒子を作成し、それによって、材料が粒子の方向で引裂可能であるが、粒子に対して直角な方向で引裂に対して相対的抵抗を有する、押出プロセスによって生成されるＬＤＰＥポリマーである。
【０１６８】
カバー９２１は、開放されたとき、取付シート９４１を通して歪み付与力を包帯材９３０に付与する。図１８Ａが、歪んでいない構成のアセンブリ９００を示す一方で、図１８Ｂは、皮膚に適用され得る、開放して歪んだ構成のアセンブリ９００を示す。図１８Ｃに示されるように、取付シート９４１上のタブ９８１は、カバー９２１の内面を覆って位置し（後方に折曲されて露出され）、ユーザにアクセス可能である。包帯材９３０を適用した後、カバー９２１およびベース９２２は、除去されてもよい。
【０１６９】
カバー９２１およびベース９２２は、タブ９８８が引かれたときにそれぞれから分離可能である。図１８Ｃは、例えば、対象の皮膚に適用されたときにそうなるように、包帯材を下向きにしてカバーが位置付けられたアセンブリを示す。図１８Ｄに示されるように、タブ９８８は、残りの包帯材アセンブリ９１０からカバー９２１を剥離するように引かれる。図１８Ｅに示されるように、カバー９２１は、デバイス９２０の残りの部分から除去され、第２のプルタブ９９８を露出する。図１８Ｆに示されるように、第２の引かれたタブ９９８は、取付シート９４１、９５１がベース９２２に取り付けられていない状態で、包帯材アセンブリ９１０からベース９２２を剥離している。図１８Ｇに示されるように、ベース９２２は、取付シート９４１、９５１の残りの部分で除去され、接着構造９７０、９８０は、包帯材が図１８Ｉに示されるような構成で皮膚上にとどまっている状態で、図１８Ｈに示されるように包帯材９３０から剥がされてもよい。
【０１７０】
図１９Ａ−１９Ｄを参照すると、包帯材および包装アセンブリ１０００の変形例が図示されている。包装アセンブリ１０００は、アプリケータおよび／または引張デバイス１０２０と、包帯材１０３０を含む包帯材アセンブリ１０１０とを備える。図１９Ａは、アプリケータまたは引張デバイス１０２０に連結された包帯材アセンブリ１０１０を示す。引張部材またはアプリケータ１０２０は、本明細書で説明され、図１Ａ−２２Ｂに示される引張およびアプリケータと同様に構築されてもよい。
【０１７１】
デバイス１０２０は、カバー１０２１と、ベース１０２２とを備える。包帯材アセンブリ１０１０は、包帯材担体の役割を果たし得る、デバイス１０２０に取り外し可能に連結または係留される。包帯材アセンブリは、本明細書で説明されるアセンブリと同様に、引張部材またはアプリケータに取り付けられてもよい。包帯材アセンブリ１０１０はまた、取付シート１０４１と、取付シート１０５１とを含む。取付シート１０４１は、接着構造９７０、９８０を参照して説明されるような接着構造１０７０を介して、包帯材１０３０の第２の側面１０３４に取り付けられる、第１の側面１０４３を有する。取付シート１０４１は、例えば、アクリル接着剤等の低表面エネルギーＰＳＡを用いて結合することによって、デバイス１０２０のカバー１０２１に連結される、第２の側面１０４４を有する。取付シート１０４１はまた、接着構造１０７０へのその取付とカバー１０２１への取付との間の取付シート１０４１の取り付けられていない部分で、その長さに沿って縫い付けられたリップコード１０８８も有する。チェーンステッチまたはロックステッチを含むが、それらに限定されない、種々の種類の縫い目が使用されてもよい。包帯材に歪みが付与された後、リップコード１０８８は、カバー１０２１の露出内面１０９０に、または代替として、カバー１０２１とベース１０２２との間の継ぎ目に位置する。
【０１７２】
取付シート１０５１は、例えば、アクリル接着剤等の低表面エネルギーＰＳＡを用いて結合することによって、その側面１０５４でベース１０２２の裏面に連結される。取付シート１０５１の側面１０５３は、ＫＡＰＴＯＮ（登録商標）テープまたは貼り直せる接着剤等の接着構造１０８０を介して、および包帯材１０３０の側面１０３４を取付シート１０４１に取り付ける接着構造１０７０と同様に、包帯材の側面１０３３に取り付けられる。取付シート１０５１は、接着構造１０９０への取付とベースの裏への取り付けとの間に位置するリップコード１０９８を含む。リップコード１０８８、１０９８の端部は、容易なアクセス可能性のために引張部材１０２０から外へ延在する。
【０１７３】
図１９Ａおよび１９Ｂは、歪んでいない構成で包帯材アセンブリ１０１０を図示する。カバー１０２１は、開放されたとき、取付シート１０４１を通して歪み付与力を包帯材１０３０に付与する。図１９Ｃは、歪んだ構成で包帯材アセンブリ１０１０を図示する。
【０１７４】
包帯材が歪みを付与されて適用された後、リップコード１０８８、１０９８は、包帯材１０３０に取り付けられた取付シート１０４１、１０５１の部分から、引張デバイス１０２０に取り付けられた取付シート１０４１、１０５１の部分を分離するように引かれる。次いで、アプリケータまたは引張デバイス１０２０は、図１９Ｄに示されるように除去されてもよい。次いで、接着構造１０８０、１０９０は、図１９Ｅに示されるように、包帯材から包帯材アセンブリ１０１０の残りの部分および取付シート１０４１、１０５１を除去するように剥がされてもよい。
【０１７５】
図２０Ａ−２０Ｃを参照すると、包帯材担体、引張デバイス、またはアプリケータ１１２０の変形例が示されている。デバイス１１２０は、平面の片側１１５５で基板１１５０に折り目を入れることによって形成される、複数の区画１１３０を備える。折り目１１７０は、１つ以上の方向で、あるいは曲線状または直線状の１つ以上の形状を有して、形成されてもよい。加えて、折り目は、デバイスの凸状および凹状成形の両方を可能にして、両側で形成されてもよい。図示されるように、折り目１１７０は、デバイスまたは取り付けられた包帯材の成形を可能にする。図示されるような折り目１１７０が、デバイスの平面の第１の側面１１５５上に形成される一方で、第２の側面１１６５は、折り目を入れられない。力が第２の側面１１６５に印加されたとき、基板が屈曲する。力が第１の側面１１５５に印加されたとき、デバイスの基板１１５０は、折り目１１７０で撓曲しない。折り目１１７０における残りの基板が、撓曲制限装置の役割を果たしてもよい一方で、折り目１１７０は、撓曲要素の役割を果たす。
【０１７６】
凸状の包帯材形状が凹面に所望されるとき、基板が屈曲されたときに、包帯材が凸形状を形成して、デバイスが適用される凹状輪郭に合致するように、包帯材は、第１の側面１１５５上で取り付けられてもよい。凹状包帯材が凸状身体輪郭に所望されるとき、包帯材は、基板１１５０の第２の側面１１６５上に位置付けられてもよい。したがって、基板が屈曲されたとき、包帯材は、デバイスが適用される凸状身体輪郭に合致するように、凹形状を形成する。種々の包帯材裏当てが、異なる身体場所または輪郭のために提供されてもよい。
【０１７７】
変形例によると、折り目は、担体、アプリケータ、または引張デバイスの区画１１２７に対して、直交するか、または直交構成要素を有してもよい。区画１１２７は、図１Ａ−２２Ｂに示される区画に類似し得る。
【０１７８】
図２１Ａ−２１Ｄを参照すると、包帯材担体、引張デバイス、またはアプリケータ１２２０の変形例が示されている。デバイス１２２０は、接着剤裏当て１２６０によって連結された複数のフォームセル１２４０を備える。フォームセル１２４０は、デバイスが、包帯材が適用される対象の曲率、外形、または形状に合致するように、複数の方向への撓曲を可能にする、複数の区画１２２７を形成する。フォームは、概して、包帯材に歪みを付与するための追加柱強度、すなわち、屈曲に対する抵抗を提供するために十分厚くあり得る。裏当てまたは支持体が、例えば、包帯材に歪みを付与することによって生成される力に最低限でも対抗するであろう、弾性係数および適切な厚さを伴う材料で構築される、包帯材に歪みを付与するために提供されてもよい。包帯材の歪みは、例えば、包帯材アセンブリまたは取付シートの一部分の裏で接着剤を使用して、固定されてもよい。包帯材が固定された後、裏当てまたは支持体が除去されてもよく、包帯材が適用される患者の身体輪郭の形状にさらに一致するように、歪んだ包帯材の形状の増加した操作を可能にする。
【０１７９】
図示されるように、フォーム区分間の分離１２７０は、デバイスの成形を可能にする。図示されるような分離１２７０が、デバイスの平面の第１の側面１２５５上に形成される一方で、第２の側面１２６５は、折り目を入れられない。力が第１の側面１２５５に印加されたとき、基板が屈曲する。力が第２の側面１２６５に印加されたとき、デバイスの基板１２５０は分離において撓曲しない。分離における残りの基板が、撓曲制限装置の役割を果たしてもよい一方で、折り目は、撓曲要素の役割を果たす。
【０１８０】
凸状の包帯材形状が凹面に所望されるとき、基板が屈曲されたときに、包帯材が凸形状を形成して、デバイスが適用される凹状輪郭に合致するように、包帯材は、第１の側面１２５５上で取り付けられてもよい。凹状包帯材形状が凸状身体輪郭に所望されるとき、包帯材は、基板１２５０の第２の側面１２６５上に位置付けられてもよい。したがって、基板が屈曲されたとき、包帯材は、デバイスが適用される凸状身体輪郭に合致するように、凹形状を形成する。種々の包帯材裏当てが、異なる身体場所または輪郭のために提供されてもよい。
【０１８１】
図２２Ａおよび２２Ｂを参照すると、包帯材および包装アセンブリ１５００の変形例が図示されている。包装アセンブリ１５００は、アプリケータおよび／または引張デバイス１５２０と、包帯材１５３０を含む包帯材アセンブリ１５１０とを備える。包装アセンブリ１５００、アプリケータまたは引張デバイス１５２０、および／または包帯材アセンブリ１５１０は、包帯材１５３０に事前に歪みを付与する、および／または対象の皮膚への事前に歪みを付与された包帯材１５３０の移送を可能にするように構成されてもよい。
【０１８２】
デバイス１５２０は、カバー１５２１と、ベース１５２２とを備えてもよい。包帯材アセンブリ１５１０は、デバイス１５２０に取り外し可能に連結または係留され、包帯材担体の役割を果たしてもよい。カバー１５２１およびベース１５２２は、移動可能に、枢動可能に、屈曲可能に、またはヒンジ連結して、側面１５２３、１５２４で連結され、図１Ａ−２２Ｂで説明されるカバーおよびベースに関して本明細書で説明される様式と同様に構築されてもよい。包帯材アセンブリ１５１０の取付領域１５４１、１５５１は、例えば、貼り直せる接着剤または除去可能な接着構造を介して、それぞれ、カバー１５２１、１５２２の自由側面１５２５、１５２６付近に取り付けられる。しかしながら、本明細書の図１Ａ−２２Ｂに関して説明される取付シートまたは取付構造が使用されてもよい。取付領域１５４１、１５５１および／またはデバイス１５２０上の包帯材１５３０の位置付けは、それぞれ、カバー１５２１およびベース１５２２の側面１５２３、１５２４の取付によって画定される線に対して対称であり得る。図２２Ｂに示されるように、包帯材１５３０は、カバー１５２１およびベース１５２２が開放された状態で歪みを付与される。次いで、包帯材１５３０は、対象の皮膚に適用されてもよく、デバイス１５２０は、包帯材１５３０から剥がされてもよい。加えて、または代替として、カバー１５２１およびベース１５２２は、デバイス１５２０の基板に形成された穿孔、またはそれぞれ、カバー１５２１およびベース１５２２の側面１５２３および１５２４を取り付ける材料のテープまたは層等の取付構造１５５０に形成された穿孔１５５１を介して、分離されてもよい。
【０１８３】
いくつかの変形例では、デバイス１５２０は、随意に、包帯材１５３０が張力を加えられ、包帯材がさらにカバー１５２１およびベース１５２２と接触するときに、包帯材１５３０に付着し得る、カバー１５２１および／またはベース１５２２上の接着コーティングまたは接着テープを備えてもよい。いくつかの変形例では、接着剤は、引っ張られた状態で、および／またはカバー１５２１および／またはベース１５２２に対して、包帯材１５３０を維持するように構成される。接着コーティングまたは接着テープは、カバー１５２１および／またはベース１５２２の側面領域１５２３、１５２４に沿って位置してもよいが、また、取付領域１５４１、１５５１に隣接して提供されてもよい。剥離ライナはまた、デバイス１５２０の起動が所望されるまで、接着剤への包帯材または他の構造の不慮の接着を低減させるように提供されてもよい。
【０１８４】
変形例によると、本明細書で説明される種々のアセンブリまたはデバイスは、創傷が閉鎖される前に適用され得る、一時的創傷包帯材を提供してもよい。アセンブリは、包帯材を創傷に適用するように、およびアプリケータ、引張デバイスまたは包帯材担体、ベースまたは支持体を包帯材から除去または分離する前に、圧力を創傷に印加するために包装またはアプリケータを使用するように、構成されてもよい。以下で説明する実施形態のうちのいずれかで提供され得る、この変形例によると、包装またはアプリケータは、包帯材を創傷に適用したときおよび／または後に、包装またはアプリケータに圧力を印加することによって、創傷に比較的均等なまたは安定した力を分散するために十分な剛性を有する。変形例によると、そのような包帯材は、例えば、本明細書で説明されるような凝固剤または他の薬剤あるいは医薬品を含んでもよい。別の変形例によると、本明細書で説明されるような辺縁が、包帯材とデバイスを操作するために使用される縁との間で、そのようなデバイス上に提供される。
【０１８５】
本明細書で説明されるアセンブリまたはデバイスはまた、包帯材支持構造を形成してもよい。例えば、包帯材支持構造は、ベース構造の複数の区画から成ってもよい。包帯材支持構造は、少なくとも包帯材の第１の側面から包帯材の第２の側面まで延在する、少なくとも３つの区画を備えてもよい。包帯材支持構造はまた、ともに連結または形成される、図１Ａ−２２Ｂで説明される区画等の複数の区画を備えてもよい。本明細書で説明されるカバーの複数の区画はまた、カバーが対応するベース構造に対して３６０度折曲されたときに支持を包帯材に提供してもよい。
【０１８６】
一部の患者および／または引張応力を付与された治療デバイスの使用において、デバイスの縁および角に沿った、またはその付近の皮膚の炎症が起こり得ると仮定される。さらに、皮膚に適用される引張応力を付与された包帯材の縁で、またはその付近で、部分的に包帯材が皮膚に付与している局所的けん引力の集中により、細胞間剥離があり得ると仮定される。皮膚における力は、固有の応力、運動による生理学的応力、およびデバイスによって付与される応力に由来する。包帯材から皮膚に付与されるけん引力は、例えば、剪断、モーメント、および／または張力の組み合わせであってもよい。細胞間力は、超えたときに、細胞間結合を乱し得、かつ皮膚の角質層の「保護機能」の侵害をもたらし得る、皮膚をともに保持する力と見なすことができると仮定される。この侵害は、機械的炎症または皮膚につながり得、かつ増加した細菌定着または感染への参入としての機能を果たし得る。種々のけん引力は、皮膚上の包帯材の場所に対して皮膚上の異なる場所で、様々な程度に、または異なる量で作用してもよい。例えば、さらに、包帯材の下で皮膚を圧縮するように作用する包帯材の剪断力が、包帯材縁に隣接するか、またはそこから離間される外面である皮膚に張力を加え得ることが仮定される。さらに、包帯材縁付近のモーメント力が、包帯材の縁で、またはそれに直接隣接して、皮膚に力を付与し得ることが仮定される。いかなる特定の理論にも拘束されることを所望するわけではないが、皮膚に適用される引張応力が付与された包帯材の縁で、またはそれに隣接して、皮膚に付与されるけん引力を再分散することにより、皮膚上の包帯材に隣接する場所で皮膚層に結合するように作用する、細胞内力を下回るレベルまで、縁で、またはそれに隣接して受けられるピーク応力を低減させ得、したがって、皮膚の炎症または細菌の侵入を低減させ得ると考えられる。いくつかの変形例では、包帯材の平面内に位置する幾何学的特徴は、直線包帯材縁と比較して、包帯材縁で受けられるピーク応力を低減させるように、包帯材の境界上で提供されてもよい。所与の張力が加えられた包帯材で、同一総量のけん引力が包帯材によって皮膚場所に印加され得る一方で、包帯材の縁で、またはそれに隣接して受けられる平均ピーク力を低減させる様式で、局所的力が分散され得ることが仮定される。
【０１８７】
いかなる特定の理論にも拘束されることを所望するわけではないが、包帯材の縁での適合性を効果的に増加させることにより、縁付近で受けられるピーク力を低減させ得ることが仮定される。さらに、変調ゾーン内、または包帯材の縁における全体的な包帯材面積を縮小することにより、変調ゾーン内の包帯材の有効適合性を増加させ得ることが仮定される。さらに、縁拡張の種々の幾何学的特徴を選択または提供することにより、包帯材の縁で、またはその付近でピーク力を低減させ得ることが仮定される。さらに、比較的小さい曲率半径を維持しながら、縁の長さを増加させることにより、包帯材の縁で、またはその付近で局所的ピーク力を低減させ得ることが仮定される。
【０１８８】
図２５は、皮膚４１００の角質層に適用された包帯材４０００の概略断面図を描写する。包帯材４０００は、包帯材４０００の縁４３００で、またはその付近で、包帯材４２００の下の皮膚４１００の角質層にけん引力を、および／または包帯材皮膚界面の外側の場所４４００で張力を付与してもよい。
【０１８９】
図２６Ａおよび２６Ｂは、概して、包帯材５０００の側面または縁の一部分の幅の一部分に沿った、皮膚の角質層上の平均剪断力の簡略化された仮定分布を概略的に図示する。図２６Ｂは、包帯材縁が包帯材の引張軸に対して直角に配向される、包帯材の縁５２００からの位置的距離の関数として、皮膚に作用する平均剪断応力の規模を描写する、図２６Ａで描写される包帯材５０００と整合および対応する、グラフを図示する。図２６Ｂの平均剪断応力曲線Ａは、直線縁を伴う包帯材の仮定平均剪断力分布を概略的に描写する。
【０１９０】
図２７Ａおよび２７Ｂは、包帯材６０００の側面または縁６２００の一部分の幅の一部分に沿った、皮膚の角質層上の平均剪断力の簡略化された仮定分布を概略的に図示する。図２７Ｂは、包帯材縁が包帯材の引張軸に対して直角に配向される、包帯材の縁６２００からの位置的距離の関数として、皮膚に作用する平均剪断応力の規模を描写する、図２７Ａで描写される包帯材６０００と整合および対応する、グラフを図示する。図２７Ｂの平均剪断応力曲線は、幾何学的拡張６２８０を有する変調ゾーン６２５０を伴う包帯材６０００の仮定平均剪断力分布を概略的に描写する。
【０１９１】
比較目的で、力曲線ＡおよびＢは、同一の総量または正味量の力（例えば、それぞれの曲線の下の面積）が皮膚上で包帯材Ａおよび包帯材Ｂによって提供され、仮定細胞間力Ｆｉが皮膚４１００（図２５）の細胞の間で見出されることが仮定される。包帯材Ａについては、皮膚に平行移動させられる仮定平均ピーク剪断応力τａは、包帯材の縁に沿った、または縁に隣接する、いくつかの点で、細胞間力Ｆｉを超える。皮膚に平行移動させられる同量の平均力は、包帯材縁に沿った、またはそれに隣接する、少なくとも１つの場所またはいくつかの場所で、治療ゾーン内の皮膚の角質層における細胞間力を超えない、包帯材縁に隣接する平均ピーク剪断応力τｂを平行移動させる、包帯材Ｂとは異なって分散される。具体的には、包帯材Ａの平均ピーク剪断応力τａに対して、包帯材Ｂの平均ピーク剪断応力τｂは、規模が比較的低く、包帯材５０００、６０００の縁から比較的遠く位置し、包帯材Ｂの力曲線の形状は、包帯材Ａの力曲線より比較的幅広い場合もあり、そうではない場合もあり得ることが考えられる。言い換えれば、包帯材Ｂの平均値および中央値は、包帯材ＡおよびＢの両方の平均ピーク剪断力τａおよびτｂを包含する包帯材または皮膚領域にわたって、包帯材Ａの平均値および中央値より近い。いくつかの変形例では、包帯材Ｂの平均ピーク剪断応力τｂは、少なくとも５％、少なくとも１０％、少なくとも２０％、少なくとも２５％、少なくとも３０％、少なくとも３５％、または少なくとも４０％、あるいはそれを上回って、包帯材Ａの平均ピーク剪断応力τａより比較的低い。いくつかの変形例では、平均ピーク剪断応力τｂのための包帯材の縁からの距離は、少なくとも約２０％、４０％、６０％、８０％、１００％、１２０％、１４０％、１６０％、１８０％、または２００％だけ、ピーク力τａのための包帯材の縁からの距離より大きい。これらのパラメータは、以下で説明される変調ゾーンの特徴、例えば、包帯材の材料、厚さ、弾性係数、適用に先立って包帯材に付与される元の歪みからの場所または距離、応力を付与された包帯材の幅あたりの負荷に加えて、振幅、波長、包帯材、開放領域、周波数、曲率半径、および形状に基づいて、変動させられてもよく、いくつかの変形例では、これらのパラメータは、ピーク力τｂの比較的大きい低下、またはピーク力τｂのための包帯材の縁からのより大きい距離を達成するように構成される、包帯材のより大きいサイズによって制限されてもよい。
【０１９２】
図２３Ａおよび２３Ｂは、本明細書で説明される包帯材と同様に構築され得る、例示的な包帯材２０００を概略的に図示する。加えて、包帯材２０００は、縁応力を分散するか、またはピーク縁応力を低減させるための手段を別様に提供するように構成される、変調ゾーン２５００を含む。変調ゾーンは、包帯材２０００の縁または側面２２００、２３００の少なくとも一部分に沿った、複数の幾何学的拡張２０５０を備えてもよい。変調ゾーン２５００はさらに、拡張２０５０の間に切り欠きまたは開放空間あるいは領域２３１０を備えてもよい。幾何学的拡張２０５０は、例えば、波形、起伏のある特徴、指、または拡張を備えてもよい。変調波形２６００は、波長２６５０を有し、拡張２０５０のそれぞれの間の切り欠きまたは開放領域２３１０を画定する、頂点２１１０および谷２１２０を有する、複数の拡張２０５０を備えてもよい。拡張２０５０および開放領域２３１０、または波形２６００は、包帯材２０００の側面２２００、２３００の少なくとも一部分に沿って延在してもよい。拡張２０５０および／または開放領域２３１０は、包帯材２０００の端部２４００に沿って延在してもよく、かつ端部２４００の間で、およびそれと直角に延在する中心線２４５０から距離ｄｃでオフセットされてもよい。端部２４００と側面２２００、２３００との間の角２０３０は、丸みを帯びてもよい。拡張２０５０または波形２６００の頂点２１１０は、角２０３０の曲率半径の頂点２１１０ｐにある場合もあり、そうではない場合もある。
【０１９３】
縁拡張２０５０のそれぞれは、振幅２７１０と、縁拡張の最大幅における縁拡張の間で直角にある最小間隙２７７０と、最小頸部幅２７２０と、最小頸部幅と同一または異なり得る最大頸部幅と、頭部半径２７３０と、頸部半径２７４０と、（縁拡張のベースを通した最良適合の線によって制約される）表面積とを有してもよい。開放領域はそれぞれ、最大幅２７６０と、表面積とを有してもよい。変調ゾーン２５００は、拡張２０５０のそれぞれの振幅２７１０、および包帯材２０００の幅によって画定される。いくつかの変形例では、拡張のベース幅または頸部幅は、拡張の遠位端において丸みを帯びること、または先細になることを除いて、その長さに沿って略一様であるが、他の変形例では、図２４Ａ−２４Ｆで例示されるように、拡張は、頸部幅より大きいか、またはそれとは別様に異なり得る、拡大遠位端を備えてもよい。各個別縁拡張のためのこれらの特性に加えて、本明細書で説明される起伏のある特徴はまた、包帯材全体のためのそれらの平均特性によって、またはある線長あるいは包帯材長、例えば、包帯材の張力軸と直角である１つまたは２つの縁にわたって、特徴付けられてもよい。拡張の特徴は、平均振幅、平均最小頸部幅、平均頭部半径、平均頸部半径、および平均面積を含んでもよい。開放領域は、平均最小間隙、平均最大幅、および平均面積を含んでもよい。
【０１９４】
拡張２０５０は、典型的には、包帯材が非付勢状態であるときに、包帯材の一般的な平面配向と同一平面内で配向される。しかしながら、他の実施例では、拡張は、包帯材の一般的な平面配向に対して平面外構成要素を備え得る、起伏のある構成を呈してもよい。また、包帯材の反対側の特徴２０５０に対する包帯材の１つの側面または縁の上の幾何学的拡張２０５０は、包帯材の１つ以上の中心線に対して部分的または完全に対称であるか、または反対側の対応する変調特徴と別様に整合させられる場合もあり、そうではない場合もある。他の実施形態では、変調特徴は、反対縁に対して部分的または完全にオフセットされてもよい。
【０１９５】
例示的な図２３Ａ−２４Ｆで図示される種々の幾何学的な縁特徴は、概して、鋭い縁または小さい曲率半径を有さない半円形の頂点を備える（例えば、最小曲率半径は、少なくとも約０．８ｍｍ、１ｍｍ、または２ｍｍ、または３ｍｍ、または４ｍｍ、または５ｍｍ、あるいはそれを上回ってもよい）。対応する直線縁より５０％またはそれを上回って大きい縁長を有する、交互配向された半円形を備える縁構成を伴う変調ゾーンが、いくつかの条件下で最適であり得ることが仮定される。
【０１９６】
幾何学的特徴は、直線縁、または拡張のベースおよび開放領域のベースと接線である最良適合の曲線と対比して、より大きい縁長を提供する。より大きい縁長は、皮膚に付与される力のより望ましい分散を少なくとも部分的に提供し得ることが仮定される。いくつかの変形例では、直線縁／少なくとも２つの拡張および少なくとも２つの関連谷を含む最良適合の曲線の長さに対する変調ゾーンの縁長は、少なくとも５０％大きくあり得、他の実施形態では、少なくとも１００％またはさらに少なくとも１５０％大きい。直線縁／少なくとも２つの拡張および少なくとも２つの関連谷を含む最良適合の曲線の長さに対する変調ゾーンの平均縁長の比は、少なくとも３：２であってもよく、他の実施形態では、少なくとも２：１または少なくとも３：１である。
【０１９７】
交互半円を含むがそれに限定されない、いくつかの変形例では、全拡張表面積対全開放表面積の比は、拡張の最遠位縁を通って接線である最良適合の直線または曲線による外周と、開放領域の近位縁および拡張のベースを通って接線である最良適合の直線または曲線によるベース周囲との間で境界される際に、約１であってもよい。他の変形例では、全拡張表面積対全開放表面積の比は、少なくとも０．８、少なくとも０．９、少なくとも１、少なくとも１．１、少なくとも１．２、または約０．９〜約１．１、または約０．８〜約１．２、または約０．８〜約１、または約１〜約１．２であってもよい。
【０１９８】
いくつかの変形例では、振幅対全幅の割合は、約１２％〜３５％であってもよく、いくつかの変形例では、約１０％〜４０％であってもよい。いくつかの変形例では、振幅対全幅の平均割合は、約１２％〜３５％であってもよく、いくつかの変形例では、約１０％〜４０％であってもよい。
【０１９９】
図２３Ａでは、波長２６５０は、約７．２ｍｍであってもよい。拡張２０５０の振幅は、約５ｍｍであってもよい。頸部幅は、約２ｍｍであってもよい。頭部半径は、約１．６であってもよい。頸部半径は、約１．６であってもよい。拡張の面積は、約１８平方ｍｍであってもよい。切り欠き２１３０の最小間隙は、約２ｍｍであってもよい。切り欠きの面積は、約１８平方ｍｍであってもよい。変調ゾーンの面積の縮小率（変調ゾーンの全体面積の切り欠き面積の割合）は、約５０％であってもよい。
【０２００】
図２４Ａ−２４Ｆは、幾何学的拡張の代替構成を図示する。
【０２０１】
図２４Ａでは、波長２６５０ａは、約８ｍｍであってもよい。拡張２０５０ａの振幅は、約５ｍｍであってもよい。最小頸部幅は、約２ｍｍであってもよい。頭部半径は、約１．３５であってもよい。頸部半径は、約２．１３であってもよい。拡張の面積は、約１２．６平方ｍｍである。開放領域２１３０ａの最小間隙は、約２ｍｍであってもよい。切り欠きの面積は、約２５．９０平方ｍｍであってもよい。変調ゾーンの面積の縮小率（変調ゾーンの全体面積の切り欠き面積の割合）は、約６７％であってもよい。
【０２０２】
図２４Ｂでは、波長２６５０ｂは、約６ｍｍであってもよい。拡張２０５０ｂの振幅は、約５ｍｍであってもよい。最小頸部幅は、約３．１５ｍｍであってもよい。頭部半径は、約２．００であってもよい。頸部半径は、約０．８４であってもよい。拡張の面積は、約１７．２７平方ｍｍであってもよい。開放領域２１３０ｂの最小間隙は、約２ｍｍであってもよい。切り欠きの面積は、約１２．７３平方ｍｍであってもよい。変調ゾーンの面積の縮小率（変調ゾーンの全体面積の切り欠き面積の割合）は、約４２％であってもよい。
【０２０３】
図２４Ｃでは、波長２６５０ｃは、約１０ｍｍであってもよい。拡張２０５０の振幅は、約１０ｍｍであってもよい。最小頸部幅は、約２ｍｍであってもよい。頭部半径は、約４．０であってもよい。最小頸部半径は、約１であってもよい。拡張の面積は、約５５平方ｍｍであってもよい。開放領域２１３０ｃの最小間隙は、約２ｍｍであってもよい。切り欠きの面積は、約４５平方ｍｍであってもよい。変調ゾーンの面積の縮小率（変調ゾーンの全体面積の切り欠き面積の割合）は、約４５％であってもよい。
【０２０４】
図２４Ｄでは、波長２６５０ｄは、約１６ｍｍであってもよい。拡張２０５０の振幅は、約１０ｍｍであってもよい。頸部幅は、約２ｍｍであってもよい。頭部半径は、約４であってもよい。頸部半径は、約１．０であってもよい。拡張の面積は、約５５平方ｍｍであってもよい。開放領域２１３０ｄの最小間隙は、約８ｍｍであってもよい。切り欠きの面積は、約１０５平方ｍｍであってもよい。変調ゾーンの面積の縮小率（変調ゾーンの全体面積の切り欠き面積の割合）は、約６６％であってもよい。
【０２０５】
図２４Ｅでは、波長２６５０ｅは、約４．５ｍｍであってもよい。拡張２０５０の振幅は、約１０ｍｍであってもよい。頸部幅は、約２ｍｍであってもよい。頭部半径は、約１．２５であってもよい。頸部半径は、約１．０であってもよい。拡張の面積は、約２３平方ｍｍであってもよい。開放領域２１３０ｅの最小間隙は、約２ｍｍであってもよい。切り欠きの面積は、約２４平方ｍｍであってもよい。変調ゾーンの面積の縮小率（変調ゾーンの全体面積の切り欠き面積の割合）は、約５１％であってもよい。
【０２０６】
図２４Ｆでは、波長２６５０ｆは、約７．５ｍｍであってもよい。拡張２０５０ｆの振幅は、約１０ｍｍであってもよい。頸部幅は、約２ｍｍであってもよい。頭部半径は、約１．２５であってもよい。頸部半径は、約１．０であってもよい。拡張の面積は、約２０．６平方ｍｍであってもよい。開放領域２１３０ｆの最小間隙は、約５ｍｍであってもよい。切り欠きの面積は、約５２平方ｍｍであってもよい。変調ゾーンの面積の縮小率（変調ゾーンの全体面積の切り欠き面積の割合）は、約７２％であってもよい。
【０２０７】
変形例によると、波長および／または平均波長は、４．５ｍｍ〜１６ｍｍ、または６ｍｍ〜８ｍｍであってもよい。振幅および／または平均振幅は、５ｍｍ〜１０ｍｍであってもよい。頸部幅または平均最小頸部幅は、約２ｍｍまたはそれを上回ってもよい。頭部半径または平均頭部半径は、約１ｍｍ〜４ｍｍまたは１．２ｍｍ〜４ｍｍであってもよい。頸部半径または平均頸部半径は、約０．７ｍｍ〜２．７ｍｍまたは０．８ｍｍ〜２．２ｍｍであってもよい。包帯材２０００の平均面積は、約１２平方ｍｍ〜約１６平方ｍｍであってもよい。平均面積は、１６平方ｍｍより大きくあり得、または平均面積は、１２平方ｍｍ未満であってもよい。平均切り欠き面積は、約１４平方ｍｍ〜１０５平方ｍｍであってもよい。波長の変調ゾーン内の包帯材（または変調ゾーン面積の全体面積の割合としての開放領域）の平均縮小は、変調ゾーンの総面積の約８０％〜２５％または約７５％〜３０％であってもよい。平均頂点間距離および／または平均谷間距離は、約５ｍｍ〜９ｍｍであってもよい。
【０２０８】
包帯材２０００はまた、例えば、本明細書で、または参照することによりその全体で本明細書に組み込まれる、２０１０年８月１１日に出願された米国出願第１２／８５４，８５９号で説明されるように、取付ゾーンまたは領域２９５０の間で包帯材に歪みを付与するように引張デバイスを取り付けるために、取付ゾーンまたは領域２９５０内に取付構造２９００を備えてもよい。例えば、０ｍｍから５ｍｍまで変動し得る、アプリケータによる負荷の印加と切り欠きとの間の距離ｄ１があってもよい。変調ゾーン２５００はまた、端部２４５０の間の中心線からオフセットされてもよい。
【０２０９】
本発明は、その実施形態を参照して具体的に示し、説明されているが、本発明の範囲を逸脱することなく、形態および詳細の種々の変更が行われ得ることが、当業者によって理解されるであろう。上記で説明される実施形態の全てについて、方法のステップは連続的に行われる必要はない。
【図１】
0006375363.tif 000002
【図２】
0006375363.tif 000003
【図３】
0006375363.tif 000004
【図４】
0006375363.tif 000005
【図５Ａ】
0006375363.tif 000006
【図５Ｂ】
0006375363.tif 000007
【図５Ｃ】
0006375363.tif 000008
【図６】
0006375363.tif 000009
【図７】
0006375363.tif 000010
【図８Ａ】
0006375363.tif 000011
【図８Ｂ】
0006375363.tif 000012
【図８Ｃ】
0006375363.tif 000013
【図９】
0006375363.tif 000014
【図１０】
0006375363.tif 000015
【図１１】
0006375363.tif 000016
【図１２Ａ】
0006375363.tif 000017
【図１２Ｂ】
0006375363.tif 000018
【図１３】
0006375363.tif 000019
【図１４】
0006375363.tif 000020
【図１５Ａ】
0006375363.tif 000021
【図１５Ｂ】
0006375363.tif 000022
【図１５Ｃ】
0006375363.tif 000023
【図１５Ｄ】
0006375363.tif 000024
【図１５Ｅ】
0006375363.tif 000025
【図１５Ｆ】
0006375363.tif 000026
【図１５Ｇ】
0006375363.tif 000027
【図１５Ｈ】
0006375363.tif 000028
【図１５Ｉ】
0006375363.tif 000029
【図１５Ｊ】
0006375363.tif 000030
【図１６Ａ】
0006375363.tif 000031
【図１６Ｂ】
0006375363.tif 000032
【図１６Ｃ】
0006375363.tif 000033
【図１６Ｄ】
0006375363.tif 000034
【図１７Ａ】
0006375363.tif 000035
【図１７Ｂ】
0006375363.tif 000036
【図１７Ｃ】
0006375363.tif 000037
【図１７Ｄ】
0006375363.tif 000038
【図１８Ａ】
0006375363.tif 000039
【図１８Ｂ】
0006375363.tif 000040
【図１８Ｃ】
0006375363.tif 000041
【図１８Ｄ】
0006375363.tif 000042
【図１８Ｅ】
0006375363.tif 000043
【図１８Ｆ】
0006375363.tif 000044
【図１８Ｇ】
0006375363.tif 000045
【図１８Ｈ】
0006375363.tif 000046
【図１８Ｉ】
0006375363.tif 000047
【図１８Ｊ】
0006375363.tif 000048
【図１９Ａ】
0006375363.tif 000049
【図１９Ｂ】
0006375363.tif 000050
【図１９Ｃ】
0006375363.tif 000051
【図１９Ｄ】
0006375363.tif 000052
【図１９Ｅ】
0006375363.tif 000053
【図２０】
0006375363.tif 000054
【図２１Ａ】
0006375363.tif 000055
【図２１Ｂ】
0006375363.tif 000056
【図２１Ｃ】
0006375363.tif 000057
【図２１Ｄ】
0006375363.tif 000058
【図２１Ｅ】
0006375363.tif 000059
【図２２Ａ】
0006375363.tif 000060
【図２２Ｂ】
0006375363.tif 000061
【図２３Ａ】
0006375363.tif 000062
【図２３Ｂ】
0006375363.tif 000063
【図２４Ａ】
0006375363.tif 000064
【図２４Ｂ】
0006375363.tif 000065
【図２４Ｃ】
0006375363.tif 000066
【図２４Ｄ】
0006375363.tif 000067
【図２４Ｅ】
0006375363.tif 000068
【図２４Ｆ】
0006375363.tif 000069
【図２５】
0006375363.tif 000070
【図２６】
0006375363.tif 000071
【図２７】
0006375363.tif 000072